(57)【要約】【課題】本発明は、定型フォーマットの画像に各種情報を組み込んだ画像をリライタブルペーパーに書き換え可能に記録するリライタブル記録システムに関する。【解決手段】リライタブル記録システム１は、パソコン１００から広幅ＲＰ出力装置２００に予定表及び日程表等の定型フォーマットの画像と当該定型フォーマットに組み込む組込情報を印刷データとして送って、広幅ＲＰ出力装置２００で広幅ＲＰ２０１に画像を印刷して表示するが、広幅ＲＰ出力装置２００で広幅ＲＰ２０１への画像の印刷処理を行う印刷モード以外の待機モードにおいては、各部への電源の供給の停止、削減を行って電気消費量を削減する。したがって、多くの閲覧者に対してデータの提供と共有を可能とするとともに、情報の内容に変化が発生すると、速やかに更新し、かつ、情報の内容が不変の間は、広幅ＲＰ出力装置２００の電気消費量を最少限に抑える。【選択図】          図１
2006263918.tif 000002
【特許請求の範囲】
【請求項１】
情報処理装置と、広幅リライタブルペーパーに書替可能に画像の書込及び消去を行う広幅リライタブルペーパー出力装置と、が有線または無線で接続され、前記情報処理装置から前記広幅リライタブルペーパー出力装置に予定表及び日程表等の定型フォーマットの画像と当該定型フォーマットに組み込む組込情報を印刷データとして送って、当該広幅リライタブルペーパー出力装置で前記広幅リライタブルペーパーに当該印刷データに基づいて画像を印刷して表示するリライタブル記録システムであって、前記広幅リライタブルペーパー出力装置で前記広幅リライタブルペーパーへの画像の印刷処理を行う印刷モード以外の待機モードにおいては、各部への電源の供給の停止、削減を行って電気消費量を削減する省エネルギーモード処理を行うことを特徴とするリライタブル記録システム。
【請求項２】
前記情報処理装置は、少なくとも印刷開始日時を含む更新印刷条件を印刷タスク予定リストとして保存し、現在日時が当該印刷タスク予定リストの印刷開始日時になると、当該印刷開始日時となった更新印刷データを前記広幅リライタブルペーパー出力装置に送り、当該広幅リライタブルペーパー出力装置が、当該更新印刷データを前記広幅リライタブルペーパーに印刷することを特徴とする請求項１記載のリライタブル記録システム。
【請求項３】
前記情報処理装置は、前記更新印刷条件が、前記更新印刷データ発生後速やかに印刷する設定である場合に、前記更新印刷データが発生すると、当該更新印刷条件に基づいて、当該発生した更新印刷データを速やかに前記広幅リライタブルペーパー出力装置に送ることを特徴とする請求項２記載のリライタブル記録システム。
【請求項４】
前記情報処理装置は、前記更新印刷条件が、前記印刷開始日時に印刷する設定である場合に、前記更新印刷データが発生すると、現在の日時が当該更新印刷条件で設定されている印刷開始日時になるのを待って、当該発生した更新印刷データを前記広幅リライタブルペーパー出力装置に送ることを特徴とする請求項２記載のリライタブル記録システム。
【請求項５】
前記情報処理装置は、前記更新印刷条件が、所定のインターバル時間経過後に印刷する設定である場合に、前記更新印刷データが発生すると、当該更新印刷データが発生した時点から当該更新印刷条件で設定されているインターバル時間が経過した時点で、当該発生した更新印刷データを前記広幅リライタブルペーパー出力装置に送ることを特徴とする請求項２記載のリライタブル記録システム。
【請求項６】
前記情報処理装置は、前記更新印刷条件が前記定型フォーマットの所定の行数と所定の列数を乗算した基準セル数に対して設定された基準インターバル時間を有し、前記更新印刷データが発生すると、当該更新印刷データの行数と列数を乗算したセル数と前記基準セル数及び前記基準インターバル時間に基づいてインターバル時間を算出し、当該更新印刷データが発生した時点から当該算出したインターバル時間が経過した時点で、当該発生した更新印刷データを前記広幅リライタブルペーパー出力装置に送ることを特徴とする請求項２記載のリライタブル記録システム。
【請求項７】
前記情報処理装置は、前記更新印刷条件が前記定型フォーマットの所定の行数と所定の列数を乗算した基準セル数に対して設定された基準インターバル時間を有し、年月日、人数等の予め数値の設定されているデータに対して所定の数値を定義値として行数または列数に設定し、前記更新印刷データが発生すると、当該更新印刷データと前記定義値に基づいて前記行数または列数を求めてセル数を算出して、当該算出したセル数と前記基準セル数及び前記基準インターバル時間に基づいてインターバル時間を算出し、当該更新印刷データが発生した時点から当該算出したインターバル時間が経過した時点で、当該発生した更新印刷データを前記広幅リライタブルペーパー出力装置に送ることを特徴とする請求項２記載のリライタブル記録システム。
【請求項８】
前記情報処理装置は、前記定型フォーマットの行数を設定する際に、前記広幅リライタブルペーパーに印刷可能な限界行数を算出し、前記定型フォーマットの行数が当該限界行数を超えると、当該定型フォーマットを当該限界行数毎に分割して、分割定型フォーマット毎に前記広幅リライタブルペーパー出力装置に印刷データを送ることを特徴とする請求項６または請求項７に記載のリライタブル記録システム。
【請求項９】
前記情報処理装置は、前記定型フォーマットの列数を設定する際に、前記広幅リライタブルペーパーに印刷可能な限界列数を算出し、前記定型フォーマットの列数が当該限界列数を超えると、当該定型フォーマットを当該限界列数毎に分割して、分割定型フォーマット毎に前記広幅リライタブルペーパー出力装置に印刷データを送ることを特徴とする請求項６または請求項７に記載のリライタブル記録システム。
【請求項１０】
前記リライタブル記録システムは、前記広幅リライタブルペーパー出力装置が、光の点灯／点滅、所定の音声の出力等の方法で前記広幅リライタブルペーパーの表示内容が切り替わる旨を予告する所定の予告手段を備え、前記情報処理装置は、前記更新印刷データを前記広幅リライタブルペーパー出力装置に送る前に、前記予告手段を駆動させて表示内容の更新を予告することを特徴とする請求項２から請求項９のいずれかに記載のリライタブル記録システム。
【請求項１１】
前記広幅リライタブルペーパー出力装置は、前記広幅リライタブルペーパーの印刷画像の切替を指示操作する切替ボタンを備え、前記情報処理装置は、当該切替ボタンを前記予告手段として点滅駆動させるとともに、当該切替ボタンを点滅駆動させているときに、当該切替ボタンが操作されると、前記更新印刷データを速やかに送信することを特徴とする請求項１０記載のリライタブル記録システム。
【請求項１２】
前記情報処理装置は、所定の通知手段を備え、前記広幅リライタブルペーパー出力装置の前記切替ボタンを点滅駆動させているときに、当該切替ボタンが操作されると、当該切替ボタンが操作された旨を前記通知手段で通知することを特徴とする請求項１１記載のリライタブル記録システム。
【請求項１３】
前記情報処理装置は、前記広幅リライタブルペーパー出力装置に送る前記更新印刷データが所定の緊急性・重要性を有する緊急・重要印刷データであると、前記予告手段を通常の印刷データのときの駆動状態とは異なる駆動状態で駆動させて緊急・重要印刷データを印刷出力する旨の緊急・重要印刷予告を行うことを特徴とする請求項１０から請求項１２のいずれかに記載のリライタブル記録システム。
【請求項１４】
前記情報処理装置は、前記緊急・重大印刷データの印刷条件として、回毎表示時間、表示回数及び表示締切時間を設定し、当該緊急・重大印刷データの印刷指示を出すに際して、当該印刷指示を出すときの現在時刻に所定の猶予時間を加えた初回印刷開始時間から前記緊急・重大印刷データ印刷条件の前記表示締切時間までに当該緊急・重大印刷データを前記表示回数だけ印刷出力するのに必要な緊急・重大印刷データ送信間隔を、（表示締切時間−回毎表示時間）÷（表示回数−１）によって算出して、当該算出した緊急・重大印刷データ送信間隔で前記緊急・重要印刷予告を行って当該緊急・重大印刷データを前記広幅リライタブルペーパー出力装置に送信することを特徴とする請求項１３記載のリライタブル記録システム。
【請求項１５】
前記情報処理装置は、前記算出した緊急・重大印刷データ送信間隔が予め設定された所定時間より短いと、前記緊急・重大印刷データ印刷条件の回毎表示時間、表示回数及び表示締切時間の再設定を要請する表示を当該情報処理装置の表示手段に行うことを特徴とする請求項１４記載のリライタブル記録システム。
【請求項１６】
前記情報処理装置は、前記更新印刷データを前記広幅リライタブルペーパー出力装置へ送る前に、前記予告手段を駆動させて予告するとともに、当該更新印刷データの印刷を開始するまでの当初書替残時間を報知出力した後、その後の経過時間と当該当初書替残時間から経過時間を減算した書替残時間を前記広幅リライタブルペーパー出力装置及び当該情報処理装置の双方で報知出力することを特徴とする請求項１０記載のリライタブル記録システム。
【請求項１７】
前記情報処理装置は、前記更新印刷データを前記広幅リライタブルペーパー出力装置に送信する際に、当該送信時の時間を更新時間として当該更新印刷データに組み込んで送信し、前記広幅リライタブルペーパー出力装置に当該更新時間を組み込んだ更新印刷データで印刷出力させることを特徴とする請求項２から請求項１６のいずれかに記載のリライタブル記録システム。
【請求項１８】
前記広幅リライタブルペーパー出力装置は、前記広幅リライタブルペーパーの画像を外部から視認可能な表示領域部と、前記広幅リライタブルペーパーの画像を外部から視認不可能で少なくとも当該表示領域部の大きさを有する非表示領域部と、に前記広幅リライタブルペーパーを移動可能であるとともに、当該広幅リライタブルペーパーが当該表示領域部と略同じ大きさを有し画像の書き込まれる画像書込領域を少なくとも２つ有し、当該画像書込領域の一方が白色に施されており、他方の画像書込領域が近似色または非白色に施されていることを特徴とする請求項１から請求項１７のいずれかに記載のリライタブル記録システム。
【請求項１９】
前記広幅リライタブルペーパー出力装置は、前記広幅リライタブルペーパーの画像を外部から視認可能な表示領域部と、前記広幅リライタブルペーパーの画像を外部から視認不可能で少なくとも当該表示領域部の大きさを有する非表示領域部と、に前記広幅リライタブルペーパーを移動可能であるとともに、当該広幅リライタブルペーパーが当該表示領域部と略同じ大きさを有し画像の書き込まれる画像書込領域を少なくとも２つ有し、前記情報処理装置は、前記広幅リライタブルペーパー出力装置に表示させている印刷データに対して予め設定されている表示時間以外の時間または表示日以外の日付になると、当該印刷データの画像の印刷されている前記広幅リライタブルペーパーの前記画像書込領域を前記非表示領域部に移動させ、前記広幅リライタブルペーパーの画像の印刷されていない前記画像書込領域を前記表示領域部に移動させることを特徴とする請求項１から請求項１８のいずれかに記載のリライタブル記録システム。
【請求項２０】
前記情報処理装置は、前記非表示領域部に移動させている前記印刷データの画像の印刷されている前記広幅リライタブルペーパーの前記画像書込領域を、当該印刷データの表示時間または表示日になると、前記表示領域部に移動させることを特徴とする請求項１９記載のリライタブル記録システム。
【請求項２１】
前記情報処理装置は、前記広幅リライタブルペーパー出力装置に送信している印刷データに対して予め設定されている表示時間以外の時間または表示日以外の日付になると、前記広幅リライタブルペーパー出力装置に当該印刷データの画像を前記広幅リライタブルペーパーから消去させ、当該消去作業のログを所定の記憶手段に記憶することを特徴とする請求項１から請求項１８のいずれかに記載のリライタブル記録システム。
【請求項２２】
前記情報処理装置は、前記消去させた前記印刷データの表示時間または表示日になると、前記記憶手段に記憶されている当該印刷データの消去作業ログから当該印刷データの保管されている画像記憶手段から当該印刷データを読み出して、前記広幅リライタブルペーパー出力装置に送り、再度印刷させることを特徴とする請求項２１記載のリライタブル記録システム。
【請求項２３】
前記情報処理装置は、前記印刷データを、その文書名、頁番号、更新時刻を組とするログ一覧をログ記憶手段に記憶して管理し、前記広幅リライタブルペーパー出力装置に表示させている印刷データに更新があると、当該更新時刻を取得して、当該印刷データの文書名、頁番号、更新時刻を組とするログ一覧を形成して、前記ログ記憶手段の前記ログ一覧に組み込み、必要に応じて、当該ログ記憶手段の前記ログ一覧を前記広幅リライタブルペーパー出力装置に送信して前記広幅リライタブルペーパーに印刷出力することを特徴とする請求項１から請求項２２のいずれかに記載のリライタブル記録システム。
【請求項２４】
前記広幅リライタブルペーパー出力装置は、同じ大きさでロール状の広幅リライタブルペーパーが左右または上下に対となる状態で配置され、当該各広幅リライタブルペーパーが、その画像を外部から視認可能な表示領域部と、その画像を外部から視認不可能で少なくとも当該表示領域部の大きさを有する非表示領域部と、の間を移動可能に配置され、当該各広幅リライタブルペーパーにそれぞれ画像を印刷して前記表示領域部に移動させて表示する２画面対称広幅リライタブルペーパー出力装置であることを特徴とする請求項１から請求項２３のいずれかに記載のリライタブル記録システム。
【請求項２５】
前記広幅リライタブルペーパー出力装置は、ロール状の大サイズ広幅リライタブルペーパーとロール状の小サイズ広幅リライタブルペーパーが上下に配置され、当該各広幅リライタブルペーパーが、その画像を外部から視認可能なそれぞれの表示領域部と、その画像を外部から視認不可能で少なくとも当該各表示領域部の大きさを有するそれぞれの非表示領域部と、の間を移動可能に配置され、前記大サイズ広幅リライタブルペーパーには、前記定型フォーマットの印刷データの画像を印刷し、前記小サイズ広幅リライタブルペーパーには、緊急・重大情報等のデータ量の少ない印刷データの画像を印刷して、それぞれ前記表示領域部に移動させて表示する２画面非対称広幅リライタブルペーパー出力装置であることを特徴とする請求項１から請求項２３のいずれかに記載のリライタブル記録システム。
【請求項２６】
前記広幅リライタブルペーパー出力装置は、ロール状の大サイズ広幅リライタブルペーパーが上部に配置され、当該広幅リライタブルペーパーの画像を外部から視認可能な表示領域部と、その画像を外部から視認不可能で少なくとも当該表示領域部の大きさを有する非表示領域部と、の間を移動可能に配置され、画像を印刷して前記表示領域部に移動させて表示するとともに、下部に、カット状リライタブルペーパーに画像を印刷して、外部に排出するカットペーパー印刷機構を有するカットペーパー印刷機構付き広幅リライタブルペーパー出力装置であることを特徴とする請求項１から請求項２３のいずれかに記載のリライタブル記録システム。
【請求項２７】
前記リライタブル記録システムは、前記広幅リライタブルペーパー出力装置が前記２画面非対称広幅リライタブルペーパー出力装置であり、前記情報処理装置が、前記印刷データを、その文書名、頁番号、更新時刻を組とするログ一覧をログ記憶手段に記憶して管理し、前記印刷データに更新があると、当該更新時刻を取得して、当該印刷データの文書名、頁番号、更新時刻を組とするログ一覧を作成して、前記ログ記憶手段の前記ログ一覧に組み込み、当該ログ記憶手段の最新のログから過去数件分のログ一覧を、前記２画面非対称広幅リライタブルペーパー出力装置の前記小サイズ広幅リライタブルペーパーに印刷出力させ、前記大サイズ広幅リライタブルペーパーに印刷中の印刷データに更新が発生すると、当該更新を反映させたログ一覧を作成して、前記小サイズ広幅リライタブルペーパーに印刷出力させることを特徴とする請求項２５記載のリライタブル記録システム。
【請求項２８】
前記リライタブル記録システムは、前記広幅リライタブルペーパー出力装置が、前記２画面対称広幅リライタブルペーパー出力装置、２画面非対称広幅リライタブルペーパー出力装置またはカットペーパー印刷機構付き広幅リライタブルペーパー出力装置であり、前記２つのロール状の広幅リライタブルペーパーまたは前記ロール状の広幅リライタブルペーパーと前記カット状リライタブルペーパーが、所定距離略平行して移動され、当該平行移動部分で、当該リライタブルペーパーに画像を印刷する印刷手段と、当該リライタブルペーパーの画像を消去する消去手段と、がそれぞれ独自に当該リライタブルペーパーの一方側に移動して、画像の書き込み、消去を行うことを特徴とする請求項２５から請求項２６のいずれかに記載のリライタブル記録システム。
【請求項２９】
前記広幅リライタブルペーパー出力装置は、１行から複数行の表示領域または１列から複数列の表示領域を有する薄型表示手段を備え、緊急・重大情報等のデータ量の少ない情報を当該薄型表示手段に表示出力することを特徴とする請求項１から請求項２８のいずれかに記載のリライタブル記録システム。
【請求項３０】
前記広幅リライタブルペーパー出力装置は、前記画像の印刷される広幅リライタブルペーパーの外側に所定数のボタンが配置されており、当該各ボタンは、当該広幅リライタブルペーパーの当該各ボタンの近くにそれぞれの位置のボタンの機能を明示して印刷表示される仮想ボタンの機能が付与され、当該各ボタンが操作されると、当該操作されたボタンに対応する前記仮想ボタンの機能が付与された操作情報が前記情報処理装置に送信され、当該情報処理装置が当該操作情報に基づいて処理を行うことを特徴とする請求項１から請求項２９のいずれかに記載のリライタブル記録システム。
【請求項３１】
前記情報処理装置は、前記複数のボタンに対応して前記広幅リライタブルペーパーに印刷表示させる前記仮想ボタンの機能として、当該複数の仮想ボタンの所定の順序での操作手順の操作に対して所定の機能を設定し、当該操作手順で当該仮想ボタンに対応する前記ボタンが操作されると、当該操作手順に対して設定されている機能を実行することを特徴とする請求項３０記載のリライタブル記録システム。
【請求項３２】
前記リライタブル記録システムは、前記広幅リライタブルペーパー出力装置が、少なくとも前記印刷データの印刷・消去を行う前記広幅リライタブルペーパーを複数備え、前記情報処理装置が、当該広幅リライタブルペーパー出力装置の複数の前記広幅リライタブルペーパーのうち印刷済み画像の印刷日時からの経過時間の最も長い広幅リライタブルペーパーを、次回の更新印刷データの印刷対象の広幅リライタブルペーパーとすることを特徴とする請求項２記載のリライタブル記録システム。
【請求項３３】
前記リライタブル記録システムは、前記広幅リライタブルペーパー出力装置が、少なくとも前記印刷データの印刷・消去を行う複数の前記広幅リライタブルペーパーと、当該それぞれの広幅リライタブルペーパーに対応して配設され当該広幅リライタブルペーパーの印刷内容の切替を指示する切替ボタンと、を備え、前記情報処理装置が、前記更新印刷データを送るに際して、当該広幅リライタブルペーパー出力装置の複数の前記広幅リライタブルペーパーのうち当該更新印刷データで画像の書替を行う広幅リライタブルペーパーに対応する前記切替ボタンを点滅等させて画像切替予告を行い、当該画像切替予告中に、他の前記広幅リライタブルペーパーに対応する前記切替ボタンが操作されると、当該操作された切替ボタンに対応する前記広幅リライタブルペーパーに対して前記更新印刷データを送って、当該広幅リライタブルペーパーの画像の書替を行うことを特徴とする請求項２記載のリライタブル記録システム。
【発明の詳細な説明】
【技術分野】
【０００１】
本発明は、リライタブル記録システムに関し、詳細には、定型フォーマットの画像に各種情報を組み込んだ画像をリライタブルペーパーに書き換え可能に記録するリライタブル記録システムに関する。
【背景技術】
【０００２】
従来、各種情報を記載表示する場合、ホワイトボードや電子黒板装置が利用されることが多い。
【０００３】
ホワイトボードを利用する場合、ホワイトボードに各種情報をペンで書き込むことで利用されている。
【０００４】
また、電子黒板装置は、従来、それ自体独立したスタンドアロン型の装置となっていた。すなわち、従来の電子黒板装置は、筆記シート上に筆記ペン等により文字や図形等の書画情報（描画情報）が描画され、また、操作パネルの操作に応じて制御部の制御下で種々の動作、例えば、筆記シートを移動させて、筆記シート上の描画情報を上下方向あるいは左右方向に移動させたり、筆記シートを移動させつつ消去機構により筆記シート上に描かれた描画情報を消去する。そして、電子黒板装置は、操作パネルで記録指示操作が行われると、制御部の制御下で、駆動部を移動させて、筆記シート上の描画情報がイメージセンサの位置にくると、イメージセンサにより筆記シート上の描画情報をアナログの電気信号に変換させて、画像処理部に出力させる。制御部は、画像処理部に、アナログの電気信号を白黒２値のデジタル画信号（２値画像データ）に変換させ、必要に応じて記憶部に記憶させるとともに、記録部に転送して、記録部により記録紙に記録出力させる。この記録部としては、一般に、感熱式記録装置が用いられている。
【０００５】
また、会議等においては、パーソナルコンピュータ（以下、パソコンという。）等の情報処理装置やスキャナ等からの入力データに基づいて画像をスクリーン上に描画する画像描画機構を有するとともに、スクリーン上に画像描画機構や手書きで描かれた画像を消去する消去機構を備えた電子黒板装置が利用されるようになってきており、画像描画機構としては、電子黒板印字用ペンと同様のフェルトペンインクによる描画（特許文献１、特許文献２等参照）、静電記録方式による描画（特許文献３、特許文献４等参照）、インクジェット記録方式による描画（特許文献５等参照）等の各種描画方法のものが従来から提案されている。
【０００６】
このような電子黒板装置においては、パーソナルコンピュータ等により作成された文書、表及びグラフ等をインターフェイスを介して電子黒板装置に入力して、電子黒板装置の画像描画機構によりスクリーン上に描画させており、例えば、予め表やグラフのフォーマットを画像描画機構により作成して、会議で出された文字や数字等をパーソナルコンピュータ等を介して入力すると、当該入力された文字や数字をフォーマットされた表やグラフに組み込んでスクリーン上に描画する。
【０００７】
そして、このような電子黒板装置を利用した会議においては、必要に応じて、スクリーン上に描かれた画像の全部あるいは一部を消去する。
【０００８】
また、本出願人は、先に、可逆的感熱記録媒体の感熱層を可逆的に発色状態と消去状態に制御することで、繰り返し印字・消去が可能な可逆的感熱記録媒体用リライタブル記録装置を提案している（特許文献６参照）。
【０００９】
【特許文献１】実開平５−３９０６５号公報
【特許文献２】特開平９−９９６９７号公報
【特許文献３】実開平５−７００７０号公報
【特許文献４】特開平５−３２０９３号公報
【特許文献５】特開平８−１５６４９０号公報
【特許文献６】特開２００２−２３４２０１号公報
【発明の開示】
【発明が解決しようとする課題】
【００１０】
しかしながら、上記従来技術にあっては、予定表や日程表等の頻繁に更新される画像情報を出力する場合には、利用性が悪く、改良の必要があった。
【００１１】
すなわち、ホワイトボードを用いた場合、マーカーで書き込んでも、ラーフル（黒板消し）で消去された内容は再利用することができず、利用性が悪く、マグネットシート等を用いて各種情報を記載すると、再利用することはできるが、マグネットシート等を多数用意する必要がある。また、予定表や日程表等の定型フォーマットの表枠を用いる場合、当該表枠が消去しないように黒色のテープを張ったり、塗料で描画する措置を取ると、簡単に他の定型フォーマット、すなわち、他の使用目的に転用することができない。例えば、一日の個人予定表を週単位や月単位の業務進捗表にすぐに転用することができない。さらに、様々な使用目的の定型フォーマットの描画されたホワイトボードを用意する必要があり、各種定型フォーマットのホワイトボードを設置するためのスペースが必要となり、利用性が悪い。
【００１２】
一方、パソコンのソフトウェアを用いて、電子黒板等の画像描画機構に表示させると、全ての記載内容が保管され再利用することができるとともに、複数のソフトウェアを動作させることで、異なる使用目的の複数の定型フォーマットを同一画面上で同時に使用することができる。
【００１３】
ところが、記載内容を再利用する場合には、同一のソフトウェアに限られ、他のソフトウェアとの間においても再利用する場合には、定型フォーマットを含むデータの互換性があることが前提条件となる。
【００１４】
しかし、現実として職場等では、多様多種のパソコンがあり、パソコンの性能やオペレーションシステム等の違いにより、ソフトウェアの動作環境が異なり、全てのパソコンに同一仕様のソフトウェアを動作させることは、困難であり、仕様の異なるソフトウェアの間でデータの互換性が確保されるようにプログラムを組むと、多額の費用と手間がかかることとなる。
【００１５】
さらには、パソコンを立ち上げないと、記載内容を確認することができず、利用者全員が使用しないと円滑な運用を行うことができないが、全員がパソコンを立ち上げるとなると、パソコン本体、パソコンのモニタ及び表示機器全体で多くの電気消費量を必要とする。
【００１６】
また、ホワイトボートの代用として、液晶やＬＥＤを利用した薄地ディスプレーが幅広く使用されているが、予定表や日程表等においては、通常、日中において、情報を常時表示させる必要があるため、電源の切断や表示停止が取り難くく、電気消費量を極端に減らすことが難しい。一つずつ省エネルギーの機能を備えても、電光表示装置を多く設置すると全体の電気消費量が変わらないばかりか増加してしまう。
【００１７】
そこで、本発明は、パソコン等の情報処理装置と広幅リライタブルペーパー出力装置を接続して、広幅リライタブルペーパー出力装置で広幅リライタブルペーパーに情報を記録出力して表示手段として機能させることで、多くの閲覧者に対して、データの提供と共有を可能とするとともに、広幅リライタブルペーパーに印刷した情報の内容に変化が発生すると、速やかに更新内容を印刷して、迅速に反映（表示）し、かつ、広幅リライタブルペーパーの表示内容が不変の間は、広幅リライタブルペー出力装置の電気消費量を最少限に抑え、電気消費を節約して、省エネルギー、低コストの強化と情報更新の迅速化、情報共有、常時表示の利便性の向上を図ることのできるリライタブル記録システムを提供することを目的としている。
【課題を解決するための手段】
【００１８】
請求項１記載の発明のリライタブル記録システムは、情報処理装置と、広幅リライタブルペーパーに書替可能に画像の書込及び消去を行う広幅リライタブルペーパー出力装置と、が有線または無線で接続され、前記情報処理装置から前記広幅リライタブルペーパー出力装置に予定表及び日程表等の定型フォーマットの画像と当該定型フォーマットに組み込む組込情報を印刷データとして送って、当該広幅リライタブルペーパー出力装置で前記広幅リライタブルペーパーに当該印刷データに基づいて画像を印刷して表示するリライタブル記録システムであって、前記広幅リライタブルペーパー出力装置で前記広幅リライタブルペーパーへの画像の印刷処理を行う印刷モード以外の待機モードにおいては、各部への電源の供給の停止、削減を行って電気消費量を削減する省エネルギーモード処理を行うことにより、上記目的を達成している。
【００１９】
この場合、例えば、請求項２に記載するように、前記情報処理装置は、少なくとも印刷開始日時を含む更新印刷条件を印刷タスク予定リストとして保存し、現在日時が当該印刷タスク予定リストの印刷開始日時になると、当該印刷開始日時となった更新印刷データを前記広幅リライタブルペーパー出力装置に送り、当該広幅リライタブルペーパー出力装置が、当該更新印刷データを前記広幅リライタブルペーパーに印刷するものであってもよい。
【００２０】
また、例えば、請求項３に記載するように、前記情報処理装置は、前記更新印刷条件が、前記更新印刷データ発生後速やかに印刷する設定である場合に、前記更新印刷データが発生すると、当該更新印刷条件に基づいて、当該発生した更新印刷データを速やかに前記広幅リライタブルペーパー出力装置に送るものであってもよい。
【００２１】
さらに、例えば、請求項４に記載するように、前記情報処理装置は、前記更新印刷条件が、前記印刷開始日時に印刷する設定である場合に、前記更新印刷データが発生すると、現在の日時が当該更新印刷条件で設定されている印刷開始日時になるのを待って、当該発生した更新印刷データを前記広幅リライタブルペーパー出力装置に送るものであってもよい。
【００２２】
また、例えば、請求項５に記載するように、前記情報処理装置は、前記更新印刷条件が、所定のインターバル時間経過後に印刷する設定である場合に、前記更新印刷データが発生すると、当該更新印刷データが発生した時点から当該更新印刷条件で設定されているインターバル時間が経過した時点で、当該発生した更新印刷データを前記広幅リライタブルペーパー出力装置に送るものであってもよい。
【００２３】
さらに、例えば、請求項６に記載するように、前記情報処理装置は、前記更新印刷条件が前記定型フォーマットの所定の行数と所定の列数を乗算した基準セル数に対して設定された基準インターバル時間を有し、前記更新印刷データが発生すると、当該更新印刷データの行数と列数を乗算したセル数と前記基準セル数及び前記基準インターバル時間に基づいてインターバル時間を算出し、当該更新印刷データが発生した時点から当該算出したインターバル時間が経過した時点で、当該発生した更新印刷データを前記広幅リライタブルペーパー出力装置に送るものであってもよい。
【００２４】
また、例えば、請求項７に記載するように、前記情報処理装置は、前記更新印刷条件が前記定型フォーマットの所定の行数と所定の列数を乗算した基準セル数に対して設定された基準インターバル時間を有し、年月日、人数等の予め数値の設定されているデータに対して所定の数値を定義値として行数または列数に設定し、前記更新印刷データが発生すると、当該更新印刷データと前記定義値に基づいて前記行数または列数を求めてセル数を算出して、当該算出したセル数と前記基準セル数及び前記基準インターバル時間に基づいてインターバル時間を算出し、当該更新印刷データが発生した時点から当該算出したインターバル時間が経過した時点で、当該発生した更新印刷データを前記広幅リライタブルペーパー出力装置に送るものであってもよい。
【００２５】
さらに、例えば、請求項８に記載するように、前記情報処理装置は、前記定型フォーマットの行数を設定する際に、前記広幅リライタブルペーパーに印刷可能な限界行数を算出し、前記定型フォーマットの行数が当該限界行数を超えると、当該定型フォーマットを当該限界行数毎に分割して、分割定型フォーマット毎に前記広幅リライタブルペーパー出力装置に印刷データを送るものであってもよい。
【００２６】
また、例えば、請求項９に記載するように、前記情報処理装置は、前記定型フォーマットの列数を設定する際に、前記広幅リライタブルペーパーに印刷可能な限界列数を算出し、前記定型フォーマットの列数が当該限界列数を超えると、当該定型フォーマットを当該限界列数毎に分割して、分割定型フォーマット毎に前記広幅リライタブルペーパー出力装置に印刷データを送るものであってもよい。
【００２７】
さらに、例えば、請求項１０に記載するように、前記リライタブル記録システムは、前記広幅リライタブルペーパー出力装置が、光の点灯／点滅、所定の音声の出力等の方法で前記広幅リライタブルペーパーの表示内容が切り替わる旨を予告する所定の予告手段を備え、前記情報処理装置は、前記更新印刷データを前記広幅リライタブルペーパー出力装置に送る前に、前記予告手段を駆動させて表示内容の更新を予告するものであってもよい。
【００２８】
また、例えば、請求項１１に記載するように、前記広幅リライタブルペーパー出力装置は、前記広幅リライタブルペーパーの印刷画像の切替を指示操作する切替ボタンを備え、前記情報処理装置は、当該切替ボタンを前記予告手段として点滅駆動させるとともに、当該切替ボタンを点滅駆動させているときに、当該切替ボタンが操作されると、前記更新印刷データを速やかに送信するものであってもよい。
【００２９】
さらに、例えば、請求項１２に記載するように、前記情報処理装置は、所定の通知手段を備え、前記広幅リライタブルペーパー出力装置の前記切替ボタンを点滅駆動させているときに、当該切替ボタンが操作されると、当該切替ボタンが操作された旨を前記通知手段で通知するものであってもよい。
【００３０】
また、例えば、請求項１３に記載するように、前記情報処理装置は、前記広幅リライタブルペーパー出力装置に送る前記更新印刷データが所定の緊急性・重要性を有する緊急・重要印刷データであると、前記予告手段を通常の印刷データのときの駆動状態とは異なる駆動状態で駆動させて緊急・重要印刷データを印刷出力する旨の緊急・重要印刷予告を行うものであってもよい。
【００３１】
さらに、例えば、請求項１４に記載するように、前記情報処理装置は、前記緊急・重大印刷データの印刷条件として、回毎表示時間、表示回数及び表示締切時間を設定し、当該緊急・重大印刷データの印刷指示を出すに際して、当該印刷指示を出すときの現在時刻に所定の猶予時間を加えた初回印刷開始時間から前記緊急・重大印刷データ印刷条件の前記表示締切時間までに当該緊急・重大印刷データを前記表示回数だけ印刷出力するのに必要な緊急・重大印刷データ送信間隔を、（表示締切時間−回毎表示時間）÷（表示回数−１）によって算出して、当該算出した緊急・重大印刷データ送信間隔で前記緊急・重要印刷予告を行って当該緊急・重大印刷データを前記広幅リライタブルペーパー出力装置に送信するものであってもよい。
【００３２】
また、例えば、請求項１５に記載するように、前記情報処理装置は、前記算出した緊急・重大印刷データ送信間隔が予め設定された所定時間より短いと、前記緊急・重大印刷データ印刷条件の回毎表示時間、表示回数及び表示締切時間の再設定を要請する表示を当該情報処理装置の表示手段に行うものであってもよい。
【００３３】
さらに、例えば、請求項１６に記載するように、前記情報処理装置は、前記更新印刷データを前記広幅リライタブルペーパー出力装置へ送る前に、前記予告手段を駆動させて予告するとともに、当該更新印刷データの印刷を開始するまでの当初書替残時間を報知出力した後、その後の経過時間と当該当初書替残時間から経過時間を減算した書替残時間を前記広幅リライタブルペーパー出力装置及び当該情報処理装置の双方で報知出力するものであってもよい。
【００３４】
また、例えば、請求項１７に記載するように、前記情報処理装置は、前記更新印刷データを前記広幅リライタブルペーパー出力装置に送信する際に、当該送信時の時間を更新時間として当該更新印刷データに組み込んで送信し、前記広幅リライタブルペーパー出力装置に当該更新時間を組み込んだ更新印刷データで印刷出力させるものであってもよい。
【００３５】
さらに、例えば、請求項１８に記載するように、前記広幅リライタブルペーパー出力装置は、前記広幅リライタブルペーパーの画像を外部から視認可能な表示領域部と、前記広幅リライタブルペーパーの画像を外部から視認不可能で少なくとも当該表示領域部の大きさを有する非表示領域部と、に前記広幅リライタブルペーパーを移動可能であるとともに、当該広幅リライタブルペーパーが当該表示領域部と略同じ大きさを有し画像の書き込まれる画像書込領域を少なくとも２つ有し、当該画像書込領域の一方が白色に施されており、他方の画像書込領域が近似色または非白色に施されているものであってもよい。
【００３６】
また、例えば、請求項１９に記載するように、前記広幅リライタブルペーパー出力装置は、前記広幅リライタブルペーパーの画像を外部から視認可能な表示領域部と、前記広幅リライタブルペーパーの画像を外部から視認不可能で少なくとも当該表示領域部の大きさを有する非表示領域部と、に前記広幅リライタブルペーパーを移動可能であるとともに、当該広幅リライタブルペーパーが当該表示領域部と略同じ大きさを有し画像の書き込まれる画像書込領域を少なくとも２つ有し、前記情報処理装置は、前記広幅リライタブルペーパー出力装置に表示させている印刷データに対して予め設定されている表示時間以外の時間または表示日以外の日付になると、当該印刷データの画像の印刷されている前記広幅リライタブルペーパーの前記画像書込領域を前記非表示領域部に移動させ、前記広幅リライタブルペーパーの画像の印刷されていない前記画像書込領域を前記表示領域部に移動させるものであってもよい。
【００３７】
さらに、例えば、請求項２０に記載するように、前記情報処理装置は、前記非表示領域部に移動させている前記印刷データの画像の印刷されている前記広幅リライタブルペーパーの前記画像書込領域を、当該印刷データの表示時間または表示日になると、前記表示領域部に移動させるものであってもよい。
【００３８】
また、例えば、請求項２１に記載するように、前記情報処理装置は、前記広幅リライタブルペーパー出力装置に送信している印刷データに対して予め設定されている表示時間以外の時間または表示日以外の日付になると、前記広幅リライタブルペーパー出力装置に当該印刷データの画像を前記広幅リライタブルペーパーから消去させ、当該消去作業のログを所定の記憶手段に記憶するものであってもよい。
【００３９】
さらに、例えば、請求項２２に記載するように、前記情報処理装置は、前記消去させた前記印刷データの表示時間または表示日になると、前記記憶手段に記憶されている当該印刷データの消去作業ログから当該印刷データの保管されている画像記憶手段から当該印刷データを読み出して、前記広幅リライタブルペーパー出力装置に送り、再度印刷させるものであってもよい。
【００４０】
また、例えば、請求項２３に記載するように、前記情報処理装置は、前記印刷データを、その文書名、頁番号、更新時刻を組とするログ一覧をログ記憶手段に記憶して管理し、前記広幅リライタブルペーパー出力装置に表示させている印刷データに更新があると、当該更新時刻を取得して、当該印刷データの文書名、頁番号、更新時刻を組とするログ一覧を形成して、前記ログ記憶手段の前記ログ一覧に組み込み、必要に応じて、当該ログ記憶手段の前記ログ一覧を前記広幅リライタブルペーパー出力装置に送信して前記広幅リライタブルペーパーに印刷出力するものであってもよい。
【００４１】
さらに、例えば、請求項２４に記載するように、前記広幅リライタブルペーパー出力装置は、同じ大きさでロール状の広幅リライタブルペーパーが左右または上下に対となる状態で配置され、当該各広幅リライタブルペーパーが、その画像を外部から視認可能な表示領域部と、その画像を外部から視認不可能で少なくとも当該表示領域部の大きさを有する非表示領域部と、の間を移動可能に配置され、当該各広幅リライタブルペーパーにそれぞれ画像を印刷して前記表示領域部に移動させて表示する２画面対称広幅リライタブルペーパー出力装置であってもよい。
【００４２】
また、例えば、請求項２５に記載するように、前記広幅リライタブルペーパー出力装置は、ロール状の大サイズ広幅リライタブルペーパーとロール状の小サイズ広幅リライタブルペーパーが上下に配置され、当該各広幅リライタブルペーパーが、その画像を外部から視認可能なそれぞれの表示領域部と、その画像を外部から視認不可能で少なくとも当該各表示領域部の大きさを有するそれぞれの非表示領域部と、の間を移動可能に配置され、前記大サイズ広幅リライタブルペーパーには、前記定型フォーマットの印刷データの画像を印刷し、前記小サイズ広幅リライタブルペーパーには、緊急・重大情報等のデータ量の少ない印刷データの画像を印刷して、それぞれ前記表示領域部に移動させて表示する２画面非対称広幅リライタブルペーパー出力装置であってもよい。
【００４３】
さらに、例えば、請求項２６に記載するように、前記広幅リライタブルペーパー出力装置は、ロール状の大サイズ広幅リライタブルペーパーが上部に配置され、当該広幅リライタブルペーパーの画像を外部から視認可能な表示領域部と、その画像を外部から視認不可能で少なくとも当該表示領域部の大きさを有する非表示領域部と、の間を移動可能に配置され、画像を印刷して前記表示領域部に移動させて表示するとともに、下部に、カット状リライタブルペーパーに画像を印刷して、外部に排出するカットペーパー印刷機構を有するカットペーパー印刷機構付き広幅リライタブルペーパー出力装置であってもよい。
【００４４】
また、例えば、請求項２７に記載するように、前記リライタブル記録システムは、前記広幅リライタブルペーパー出力装置が前記２画面非対称広幅リライタブルペーパー出力装置であり、前記情報処理装置が、前記印刷データを、その文書名、頁番号、更新時刻を組とするログ一覧をログ記憶手段に記憶して管理し、前記印刷データに更新があると、当該更新時刻を取得して、当該印刷データの文書名、頁番号、更新時刻を組とするログ一覧を作成して、前記ログ記憶手段の前記ログ一覧に組み込み、当該ログ記憶手段の最新のログから過去数件分のログ一覧を、前記２画面非対称広幅リライタブルペーパー出力装置の前記小サイズ広幅リライタブルペーパーに印刷出力させ、前記大サイズ広幅リライタブルペーパーに印刷中の印刷データに更新が発生すると、当該更新を反映させたログ一覧を作成して、前記小サイズ広幅リライタブルペーパーに印刷出力させるものであってもよい。
【００４５】
さらに、例えば、請求項２８に記載するように、前記リライタブル記録システムは、前記広幅リライタブルペーパー出力装置が、前記２画面対称広幅リライタブルペーパー出力装置、２画面非対称広幅リライタブルペーパー出力装置またはカットペーパー印刷機構付き広幅リライタブルペーパー出力装置であり、前記２つのロール状の広幅リライタブルペーパーまたは前記ロール状の広幅リライタブルペーパーと前記カット状リライタブルペーパーが、所定距離略平行して移動され、当該平行移動部分で、当該リライタブルペーパーに画像を印刷する印刷手段と、当該リライタブルペーパーの画像を消去する消去手段と、がそれぞれ独自に当該リライタブルペーパーの一方側に移動して、画像の書き込み、消去を行うものであってもよい。
【００４６】
また、例えば、請求項２９に記載するように、前記広幅リライタブルペーパー出力装置は、１行から複数行の表示領域または１列から複数列の表示領域を有する薄型表示手段を備え、緊急・重大情報等のデータ量の少ない情報を当該薄型表示手段に表示出力するものであってもよい。
【００４７】
さらに、例えば、請求項３０に記載するように、前記広幅リライタブルペーパー出力装置は、前記画像の印刷される広幅リライタブルペーパーの外側に所定数のボタンが配置されており、当該各ボタンは、当該広幅リライタブルペーパーの当該各ボタンの近くにそれぞれの位置のボタンの機能を明示して印刷表示される仮想ボタンの機能が付与され、当該各ボタンが操作されると、当該操作されたボタンに対応する前記仮想ボタンの機能が付与された操作情報が前記情報処理装置に送信され、当該情報処理装置が当該操作情報に基づいて処理を行うものであってもよい。
【００４８】
また、例えば、請求項３１に記載するように、前記情報処理装置は、前記複数のボタンに対応して前記広幅リライタブルペーパーに印刷表示させる前記仮想ボタンの機能として、当該複数の仮想ボタンの所定の順序での操作手順の操作に対して所定の機能を設定し、当該操作手順で当該仮想ボタンに対応する前記ボタンが操作されると、当該操作手順に対して設定されている機能を実行するものであってもよい。
【００４９】
さらに、例えば、請求項３２に記載するように、前記リライタブル記録システムは、前記広幅リライタブルペーパー出力装置が、少なくとも前記印刷データの印刷・消去を行う前記広幅リライタブルペーパーを複数備え、前記情報処理装置が、当該広幅リライタブルペーパー出力装置の複数の前記広幅リライタブルペーパーのうち印刷済み画像の印刷日時からの経過時間の最も長い広幅リライタブルペーパーを、次回の更新印刷データの印刷対象の広幅リライタブルペーパーとするものであってもよい。
【００５０】
また、例えば、請求項３３に記載するように、前記リライタブル記録システムは、前記広幅リライタブルペーパー出力装置が、少なくとも前記印刷データの印刷・消去を行う複数の前記広幅リライタブルペーパーと、当該それぞれの広幅リライタブルペーパーに対応して配設され当該広幅リライタブルペーパーの印刷内容の切替を指示する切替ボタンと、を備え、前記情報処理装置が、前記更新印刷データを送るに際して、当該広幅リライタブルペーパー出力装置の複数の前記広幅リライタブルペーパーのうち当該更新印刷データで画像の書替を行う広幅リライタブルペーパーに対応する前記切替ボタンを点滅等させて画像切替予告を行い、当該画像切替予告中に、他の前記広幅リライタブルペーパーに対応する前記切替ボタンが操作されると、当該操作された切替ボタンに対応する前記広幅リライタブルペーパーに対して前記更新印刷データを送って、当該広幅リライタブルペーパーの画像の書替を行うものであってもよい。
【発明の効果】
【００５１】
本発明のリライタブル記録システムによれば、情報処理装置から広幅リライタブルペーパー出力装置に予定表及び日程表等の定型フォーマットの画像と当該定型フォーマットに組み込む組込情報を印刷データとして送って、当該広幅リライタブルペーパー出力装置で広幅リライタブルペーパーに当該印刷データに基づいて画像を印刷して表示するが、広幅リライタブルペーパー出力装置で広幅リライタブルペーパーへの画像の印刷処理を行う印刷モード以外の待機モードにおいては、各部への電源の供給の停止、削減を行って電気消費量を削減する省エネルギーモード処理を行うので、パソコン等の情報処理装置と広幅リライタブルペーパー出力装置を接続して、広幅リライタブルペーパー出力装置で広幅リライタブルペーパーに情報を記録出力して表示手段として機能させることで、多くの閲覧者に対して、データの提供と共有を可能とすることができるとともに、広幅リライタブルペーパーに印刷した情報の内容に変化が発生すると、速やかに更新内容を印刷して、迅速に反映（表示）することができ、かつ、広幅リライタブルペーパーの表示内容が不変の間は、広幅リライタブルペー出力装置の電気消費量を最少限に抑えることができ、電気消費を節約して、省エネルギー、低コストの強化と情報更新の迅速化、情報共有、常時表示の利便性の向上を図ることができる。
【発明を実施するための最良の形態】
【００５２】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００５３】
図１〜図７４は、本発明のリライタブル記録システムの一実施例を示す図であり、図１は、本発明のリライタブル記録システムの一実施例を適用したリライタブル記録システム１のブロック構成図である。
【００５４】
図１において、リライタブル記録システム１は、情報処理装置としてのパソコン（パーソナルコンピュータ）１００、広幅ＲＰ出力装置（広幅リライタブルペーパー出力装置）２００及びプリントサーバ３００がＬＡＮ（Local Area Network）等のネットワークＮＷで接続されている。なお、これらのパソコン１００、広幅ＲＰ出力装置２００及びプリントサーバ３００は、無線で接続されていてもよい。
【００５５】
パソコン１００は、ＣＰＵ（Central Processing Unit ）１０１、印刷バッファ１０２、画像１０３、文書番号割当プログラム１０４、更新印刷条件１０５、画像バッファ１０６、画像変換プログラム１０７、制御プログラム１０８、メモリ１０９、プリンタドライバ１１０、ハードディスク（ＨＤＤ）１１１、プリントスプーラ１１２、時間監視プログラム１１３、印刷タスク予定リスト１１４及び文書更新割込プログラム１１５等を収納しており、広幅ＲＰ出力装置２００は、広幅ＲＰ２０１、消去部熱ローラ２０２、印字部サーマルヘッド２０３、モータ２０４、画像バッファ２０５、回転軸２０６、ハードディスク（ＨＤＤ）２０７、メモリ２０８、ＣＰＵ２０９、時間監視プログラム２１０及び制御プログラム２１１等を収納している。また、プリントサーバ３００は、制御プログラム３０１、印刷タスク予定リスト３０２及び定型フォーマットＤＢ（定型フォーマットデータベース）３０３等を収納している。
【００５６】
まず、パソコン１００について説明する。パソコン１００は、制御プログラム１０８、文書番号割当プログラム１０４、画像変換プログラム１０７、時間監視プログラム１１３及び文書更新割込プログラム１１５等の各種プログラムをＣＰＵ１０１がメモリ１０９をワークメモリとして実行することで、後述する各種動作処理を広幅ＲＰ出力装置２００に行わせて、リライタブル記録処理を実行する。
【００５７】
印刷バッファ１０２は、広幅ＲＰ出力装置２００に画像（印刷データ）１０３を送る際に印刷データを一次保存するのに使用され、文書番号割当プログラム１０４は、文書を取り扱うアプリケーションにおいて文書更新が発生した場合に、アプリケーションからの起動コマンドによって起動され、更新文書の情報を送るか、あるいは、文書更新割込プログラム１１５は、パソコン１００の電源が入っている限り常に作動し、各アプリケーションから文書更新発生の連絡がくるのを待って、文書更新発生時に更新文書の情報を取得する。
【００５８】
更新印刷条件１０５は、表示中の画像１０３がパソコン１００で編集されて内容の更新があった場合に、広幅ＲＰ出力装置２００に再描画の方法や条件を定めたものである。
【００５９】
画像バッファ１０６は、各種画像処理を行う場合に画像を一次保存するのに使用される。
【００６０】
プリンタドライバ１１０は、印刷条件１０５を設定するための使用者とのインターフェースの役割を果たすソフトウェアであり、画像１０３の印刷開始日時（9０）やインターバル時間（9１）やタイムアウト時間（9２）の設定も行われる。
【００６１】
プリンタドライバ１１０は、図２０に示す広幅ＲＰ出力装置２００のメインメニュー画面Ｇ１が呼び出されたときに起動し、各印刷条件や各表示条件を設定する度に、それぞれの設定画面を表示して設定を行わせる。プリンタドライバ１１０は、印刷時に印刷画像を形成し、各印刷条件や各表示条件を広幅ＲＰ出力装置２００に送る。
【００６２】
画像変換プログラム１０７は、プリンタドライバ１１０で設定された印刷条件１０５に基づいて広幅ＲＰ出力装置２００で描画可能な印刷画像１０３を描画するソフトウェアであり、パソコン１００において印刷開始の指示、内部的には、印刷画像１０３の作成の指示が出てから起動する。
【００６３】
ハードディスク１１１は、主に、各種プログラムや画像１０３を保管するのに使用される。
【００６４】
プリントスプーラ１１２は、印刷タスク１２０を記憶し、広幅ＲＰ出力装置２００で閲覧者から印刷待機の指示が出た場合や緊急・重大情報の発生した場合、予め定められた印刷開始時刻になっても印刷できない画像１０３が出てくるが、この画像１０３をプリントスプーラ１１２で待機させて、印刷開始がくるのを待つ。
【００６５】
時間監視プログラム１１３は、パソコン１００内のシステム日時を取得して、画像１０３の印刷開始日時になったときに画像１０３の印刷を行うよう制御プログラム１０８に告げる。時間監視プログラム１１３は、セキュリティが必要な画像１０３の表示時間を定めて非表示の措置を取る。
【００６６】
印刷タスク予定リスト１１４は、ハードディスク１１１またはメモリ１０９内に保管され、画像１０３に対して基本的な印刷条件が付加された場合に、印刷タスク予定リスト１１４に登録される。印刷タスク予定リスト１１４のデータは、図３０のメインメニュー画面Ｇ１で「表示時間一覧」ボタンが押下されると、図２４の表示時間一覧画面Ｇ２として表示されることで、確認が可能となっている。
【００６７】
文書更新割込プログラム１１５は、文書を取り扱うアプリケーションにおいて、文書更新が発生した場合に、当該アプリケーションからの起動コマンドによって起動され、当該アプリケーションからの更新文書の情報を受け取る。文書更新プログラム１１５は、パソコン１００の電源が入っている限り、絶えず作動し、各アプリケーションから文書更新発生の連絡がくるのを常時待って、文書更新発生時に更新文書の情報を取得する。
【００６８】
次に、広幅ＲＰ出力装置２００について説明する。広幅ＲＰ出力装置２００は、専用紙である広幅ＲＰ２０１を使用して画像出力を行い、この広幅ＲＰ２０１は、ペーパー自体の物質に化学変化を起こさせて印刷内容の書込／消去を行って、多数回数の書き換えが可能であり、トナー等の現像剤やインク等を使用しない。
【００６９】
広幅ＲＰ出力装置２００は、内部に消去部熱ローラ（消去手段）２０２と印字部サーマルヘッド（印刷手段）２０３を備えており、消去部熱ローラ２０２と印字部サーマルヘッド２０３は、それぞれ異なる温度に発熱して、広幅ＲＰ２０１自体の物質に化学変化を起こさせて、白または黒への発色を促す。
【００７０】
この広幅ＲＰ出力装置２００は、例えば、基本タイプでは、図２に示すように、略コの字型の本体筐体２２０の中央部に所定長さの表示領域部２２１を挟んで、両端部に一対の回転軸２０６が配設され、これらの一対の回転軸２０６に所定の幅広の無端ロール状の広幅ＲＰ２０１が架け渡されている。広幅ＲＰ２０１は、複数の給紙コロ２２２に案内されており、回転軸２０６の少なくとも一方がモータ２０４（図２では図示略）により回転駆動されることで、図２に矢印で示す時計方向及び反時計方向（逆戻し方向）に回転移動される。この広幅ＲＰ２０１の移動順方向に沿って上記消去部熱ローラ２０２と印字部サーマルヘッド２０３が配設されており、広幅ＲＰ２０１の画像の消去及び書き込みを行う。
【００７１】
この広幅ＲＰ出力装置２００は、図３にその正面図を示すように、表示領域部２２１の広幅ＲＰ２０１にパソコン１００からの画像データに基づいて印字部サーマルヘッド２０３によって印字された印字内容（図３では、個人予定表）が表示され、本体筐体２２０の下部には、ボタンとしてのテンキーボタン２２３と各種機能ボタン２２４が設けられている。そして、表示領域部２２１の広幅ＲＰ２０１には、テンキーボタン２２３と機能ボタン２２４に対応する上部位置には、テンキーボタン２２３の機能に対応するキー内容（１、２、・・・）等を示す仮想テンキーボタンＫ２２３と機能ボタン２２４の各機能を明示する仮想機能ボタンＫ２２４が表示されている。図３では、仮想機能ボタンＫ２２４として、仮想文書ボタンＫ２２４ａ、仮想頁ボタンＫ２２４ｂ、仮想切替ボタンＫ２２４ｃ、仮想確認ボタンＫ２２４ｅ、仮想取消ボタンＫ２２４ｆが記録表示されている。
【００７２】
そして、広幅ＲＰ出力装置２００は、図２では、水平方向に広幅ＲＰ２０１をスクロールする状態となっているが、広幅ＲＰ出力装置２００の使用方法としては、水平方向に広幅ＲＰ２０１をスクロールするものに限るものではなく、９０度回転させて、上下方向に広幅ＲＰ２０１をスクロールする状態でも使用することができる。
【００７３】
なお、広幅ＲＰ出力装置２００としては、上記基本タイプのものに限るものではなく、例えば、図４に示すように、２つの対称の大きさの表示領域部２２１ａａ、２２１ａｂを備えた２画面対称ダブルタイプの広幅ＲＰ出力装置（２画面対称広幅リライタブルペーパー出力装置）２００ａであってもよい。この２画面対称ダブルタイプの広幅ＲＰ出力装置２００ａは、上記基本タイプの広幅ＲＰ出力装置２００を横方向に並置した形となっており、２つの広幅ＲＰ２０１ａａ、２０１ａｂが、それぞれ１つの回転軸２０６ａａ、２０６ａｂと中央部の２つの回転軸２０６ａａ、２０６ａｂに架け渡されている。中央部のそれぞれ２つの回転軸２０６ａａ、２０６ａｂは、相対向する位置に所定間隔離れて配置されており、このそれぞれ２つの回転軸２０６ａａ、２０６ａｂの間を搬送される広幅ＲＰ２０１ａａ、２０１ａｂの間に、１つの消去部熱ローラ２０２ａと１つの印字サーマルヘッド２０３ａが配設されている。これらの消去部熱ローラ２０２ａと印字サーマルヘッド２０３ａは、広幅ＲＰ２０１ａａ側と広幅ＲＰ２０１ａｂ側とに移動可能に配設されており、各広幅ＲＰ２０１ａａと広幅ＲＰ２０１ａｂのいずれを消去、書込を行うかで、広幅ＲＰ２０１ａａ側と広幅ＲＰ２０１ａｂ側とに移動して、消去動作と書込動作を行う。なお、各広幅ＲＰ２０１ａａ及び広幅ＲＰ２０１ａｂは、それぞれ給紙コロ２２２ａａ、２２２ａｂによって案内されている。
【００７４】
そして、この２画面対称ダブルタイプの広幅ＲＰ出力装置２００ａは、図５にその正面図を示すように、表示領域部２２１ａａの広幅ＲＰ２０１ａａと表示領域部２２１ａｂの広幅ＲＰ２０１ａｂにパソコン１００からの画像データに基づいて印字部サーマルヘッド２０３ａによって印字された印字内容（図５では、個人予定表）が表示され、本体筐体２２０ａの表示領域部２２１ａａと表示領域部２２１ａｂの下部には、テンキーボタン２２３ａと各種機能ボタン２２４ａがそれぞれ分けて設けられている。そして、表示領域部２２１ａｂの広幅ＲＰ２０１ａｂのテンキーボタン２２３ａに対応する上部位置に、テンキーボタン２２３ａに対応するキー内容（１、２、・・・）等を示す仮想テンキーボタンＫ２２３ａが表示され、表示領域部２２１ａａの広幅ＲＰ２０１ａａの機能ボタン２２４ａに対応する上部位置に、機能ボタン２２４ａの各機能を明示する仮想機能ボタンＫ２２４ａが表示されている。図５では、仮想機能ボタンＫ２２４ａとして、仮想文書ボタンＫ２２４ａａ、仮想頁ボタンＫ２２４ａｂ、仮想左右切替ボタンＫ２２４ａｃ、Ｋ２２４ａｄ、仮想確認ボタンＫ２２４ａｅ、仮想取消ボタンＫ２２４ａｆが記録表示されている。
【００７５】
そして、広幅ＲＰ出力装置２００ａは、図４では、水平方向に広幅ＲＰ２０１ａａ、２０１ａｂをスクロールする状態となっているが、広幅ＲＰ出力装置２００ａの使用方法としては、水平方向に広幅ＲＰ２０１ａａ、２０１ａｂをスクロールするものに限るものではなく、９０度回転させて、上下方向に広幅ＲＰ２０１ａａ、２０１ａｂをスクロールする状態でも使用することができる。
【００７６】
また、広幅ＲＰ出力装置２００としては、上記基本タイプ、２画面対称ダブルタイプのものに限るものではなく、例えば、図６に示すように、２つの非対称の大きさの表示領域部２２１ｂａ、２２１ｂｂを備えた２画面非対称ダブルタイプの広幅ＲＰ出力装置（２画面非対称広幅リライタブルペーパー出力装置）２００ｂであってもよい。この２画面非対称ダブルタイプの広幅ＲＰ出力装置２００ｂは、上記基本タイプの広幅ＲＰ出力装置２００の横に小型の広幅ＲＰ出力装置を並置した形となっており、広幅ＲＰ出力装置２００と同じ大きさの大サイズ広幅ＲＰ２０１ｂａと、長さの短い小サイズ広幅ＲＰ２０１ｂｂとが、それぞれ１つの回転軸２０６ｂａ、２０６ｂｂと中央部の２つの回転軸２０６ｂａ、２０６ｂｂに架け渡されている。中央部のそれぞれ２つの回転軸２０６ｂａ、２０６ｂｂは、相対向する位置に所定間隔離れて配置されており、このそれぞれ２つの回転軸２０６ｂａ、２０６ｂｂの間を搬送される大サイズ広幅ＲＰ２０１ｂａ、２０１ｂｂの間に、１つの消去部熱ローラ２０２ｂと１つの印字サーマルヘッド２０３ｂが配設されている。これらの消去部熱ローラ２０２ｂと印字サーマルヘッド２０３ｂは、大サイズ広幅ＲＰ２０１ｂａ側と小サイズ広幅ＲＰ２０１ｂｂ側とに移動可能に配設されており、各大サイズ広幅ＲＰ２０１ｂａと小サイズ広幅ＲＰ２０１ｂｂのいずれを消去、書込を行うかで、大サイズ広幅ＲＰ２０１ｂａ側と小サイズ広幅ＲＰ２０１ｂｂ側とに移動して、消去動作と書込動作を行う。なお、各大サイズ広幅ＲＰ２０１ｂａ及び小サイズ広幅ＲＰ２０１ｂｂは、それぞれ給紙コロ２２２ｂａ、２２２ｂｂによって案内されている。
【００７７】
そして、この２画面非対称ダブルタイプの広幅ＲＰ出力装置２００ｂは、図７にその正面図を示すように、大きな表示領域部２２１ｂａの大サイズ広幅ＲＰ２０１ｂａと小さな表示領域部２２１ｂｂの小サイズ広幅ＲＰ２０１ｂｂにパソコン１００からの画像データに基づいて印字部サーマルヘッド２０３ｂによって印字された印字内容（図７では、個人予定表）が表示され、本体筐体２２０ｂの表示領域部２２１ｂａの下部には、テンキーボタン２２３ｂと各種機能ボタン２２４ｂがそれぞれ分けて設けられている。そして、表示領域部２２１ｂａの大サイズ広幅ＲＰ２０１ｂａのテンキーボタン２２３ｂに対応する上部位置に、テンキーボタン２２３ｂに対応するキー内容（１、２、・・・）等を示す仮想テンキーボタンＫ２２３ｂと、機能ボタン２２４ｂの各機能を明示する仮想機能ボタンＫ２２４ｂが表示されている。図７では、仮想機能ボタンＫ２２４ｂとして、仮想文書ボタンＫ２２４ｂａ、仮想頁ボタンＫ２２４ｂｂ、仮想上下切替ボタンＫ２２４ｂｃ、Ｋ２２４ｂｄ、仮想確認ボタンＫ２２４ｂｅ、仮想取消ボタンＫ２２４ｂｆが記録表示されている。
【００７８】
そして、広幅ＲＰ出力装置２００ｂは、図６では、水平方向に大サイズ広幅ＲＰ２０１ｂａ、小サイズ広幅２０１ｂｂをスクロールする状態となっているが、広幅ＲＰ出力装置２００ｂの使用方法としては、水平方向に大サイズ広幅ＲＰ２０１ｂａ、小サイズ広幅２０１ｂｂをスクロールするものに限るものではなく、９０度回転させて、上下方向に大サイズ広幅ＲＰ２０１ｂａ、小サイズ広幅２０１ｂｂをスクロールする状態でも使用することができる。
【００７９】
さらに、広幅ＲＰ出力装置２００としては、上記基本タイプ、２画面対称ダブルタイプ、２画面非対称ダブルタイプのものに限るものではなく、例えば、図８に示すように、基本表示領域部２２１ｃａとカットＲＰ記録部（カットペーパー印刷機構）２２１ｃｂを備えたカットＲＰ付きタイプの広幅ＲＰ出力装置（カットペーパー印刷機構付き広幅リライタブルペーパー出力装置）２００ｃであってもよい。このカットＲＰ付きタイプの広幅ＲＰ出力装置２００ｃは、上記基本タイプの広幅ＲＰ出力装置２００の横にカットＲＰ２０１ｄへの画像の書出／消去を行うカットＲＰ記録部２２１ｃｂを並置した形となっており、広幅ＲＰ出力装置２００と同じ大きさの広幅ＲＰ２０１ｃａが回転軸２０６ｃａとカットＲＰ記録部２２１ｃｂ側の２つの回転軸２０６ｃａに架け渡されている。カットＲＰ記録部２２１ｃｂ側の２つの回転軸２０６ｃａの間を搬送される広幅ＲＰ２０１ｃａに沿って、１つの消去部熱ローラ２０２ｃと１つの印字サーマルヘッド２０３ｃが配設されている。
【００８０】
カットＲＰ記録部２２１ｃｂは、そのカットＲＰ２０１ｄの給紙口及び排出口が基本表示領域部２２１ｃａ側（広幅ＲＰ２０１ｃａの搬送方向と直交する方向）に設けられており、複数の給紙コロ２２２ｃｂにより、この給紙口から挿入されたカットＲＰ２０１ｄを、２つの回転軸２０６ｃａで搬送される広幅ＲＰ２０１ｃａに平行に搬送するとともに、画像の消去／書込の完了したカットＲＰ２０１ｄを排出口に搬送する。
【００８１】
そして、２つの回転軸２０６ｃａによって搬送される広幅ＲＰ２０１ｃａとカットＲＰ２０１ｄとの間に配設されている消去部熱ローラ２０２ｃと印字サーマルヘッド２０３ｃは、広幅ＲＰ２０１ｃａ側とカットＲＰ２０１ｄ側とに移動可能に配設されており、広幅ＲＰ２０１ｃａとカットＲＰ２０１ｄのいずれを消去、書込を行うかで、広幅ＲＰ２０１ｃａ側とカットＲＰ２０１ｄ側とに移動して、消去動作と書込動作を行う。
【００８２】
なお、このカットＲＰ付きタイプの広幅ＲＰ出力装置２００ｃは、基本表示領域部２２１ｃａが上側で、カットＲＰ記録部２２１ｃｂが下側になるように配置され、このような配置の場合、広幅ＲＰ２０１ｃａが図８において時計方向に搬送する場合、先に、消去を行ってその後に書き込みを行うため、前面側に消去部熱ローラ２０２ｃが位置し、印字サーマルヘッド２０３ｃが後方側に位置するため、カットＲＰ２０１ｄの給紙口が上部で、排出口が下部になる。
【００８３】
そして、広幅ＲＰ出力装置２００ｃの性格上、広幅ＲＰ出力装置２００ｃは、部屋の壁に取り付けるか、壁に寄り添う状態で配置されるため、給紙口と排出口は、前面に位置するように設計されている。さらに、広幅ＲＰ出力装置２００ｃは、人の通路に沿って配置される場合があり、人の移動を妨げるような長い給紙トレイや排出トレイを取り付けることができないときには、手作業でカットＲＰ２０１ｄを挿入する。また、挿入したカットＲＰ２０１ｄの長さが、広幅ＲＰ出力装置２００ｃのカットＲＰ記録部２２１ｃｂ内部の搬送経路よりも長いと、カットＲＰ２０１ｄの後端が給紙口に入りきらないうちに、カットＲＰ２０１ｄの先端が排出口から出る場合がある。その場合、排出口から出たカットＲＰ２０１ｄの先端部が手作業での挿入の妨害する可能性があり、それを防止するために、上側に給紙口を、下側に排出口が配置されている。
【００８４】
また、広幅ＲＰ出力装置２００は、図９に示すように、本体筐体２２０ｄの一部に薄型ディスプレイ（薄型表示手段）２３０を設けた広幅ＲＰ出力装置２００ｄとしてもよく、この薄型ディスプレイ２３０としては、例えば、ＬＣＤ（Liquid Crystal Display）等を用いることができる。
【００８５】
この薄型ディスプレイ２３０は、図９では、１行文字列のみを表示するものが用いられているが、１行文字列を表示するものに限るものではない。また、薄型ディスプレイ２３０は、１行文字列のみを表示する場合にも、迅速な動画表示等を行うことで、表示データ量を多くすることができる。
【００８６】
なお、薄型ディスプレイ２３０への表示は、緊急・重大情報等のみの表示に限定し、通常時には、表示を行わない設定にすると、電気消費量を抑制することができる。
【００８７】
再び、図１において、メモリ（記憶手段、画像記憶手段）２０８は、パソコン１００からの文書番号割当画像データ、更新印刷条件及び印刷等の指示による一時情報を保管し、ハードディスク（記憶手段、画像記憶手段）２０７は、主に画像１０３を保管する。画像バッファ２０５は、ハードディスク２０７内の画像１０３を描画する際に、出力内容を形成するための作業場所である。
【００８８】
ＣＰＵ２０９は、制御プログラム２１１の制御により、各部にコマンドを出して、広幅ＲＰ出力装置２００としての処理を実行する。
【００８９】
制御プログラム２１１は、広幅ＲＰ出力装置２００としての制御プログラムであり、種々の時間設定によりインターバル時間やタイムアウト時間が変更される際、変更後の時間の算出も行う。
【００９０】
時間監視プログラム２１０は、パソコン１００内のシステム日時を取得して、画像１０３の印刷開始日時になったときに、画像１０３の印刷を行うように制御プログラム２１１に通知し、また、セキュリティが必要な画像１０３の表示時間を定めて非表示の措置を取ったりする。時間監視プログラム２１０は、パソコン１００にも搭載されているが、パソコン１００との接続が切れてしまった場合に、画像１０３の表示を放置してしまう恐れがあるので、広幅ＲＰ出力装置２００にも配置して、表示の切り換えを行えるようにしている。
【００９１】
プリントサーバ３００は、制御プログラム３０１、印刷タスク予定リスト３０２及び定型フォーマットＤＢ３０３等を有している。プリントサーバ３００は、制御プログラム３０１に基づいて、複数の広幅ＲＰ出力装置２００と複数のパソコン１００を接続し、パソコン１００からの画像１０３を一時的に保管して、広幅ＲＰ出力装置２００で出力処理を行わせる。
【００９２】
プリントサーバ３００の定型フォーマットＤＢ３０３は、日程表、予定表等の複数種類の定型フォーマット３０３ａ（図１９参照）を格納しており、パソコン１００と広幅ＲＰ出力装置２００が１対１で接続されている場合には、パソコン１００内のハードディスク１１１またはメモリ１０９に配置される。
【００９３】
そして、広幅ＲＰ出力装置２００〜２００ｄは、例えば、基本の広幅ＲＰ出力装置２００について説明すると、図３に示したように、その本体筐体２２０の表示領域部２２１の下部に、テンキーボタン２２３と各種機能ボタン２２４がそれぞれ設けられており、このテンキーボタン２２３と機能ボタン２２４を使用して、各種動作を行わせることができる。
【００９４】
なお、以下の説明においては、広幅ＲＰ出力装置２００〜２００ｄとして、基本の広幅ＲＰ出力装置２００を用いた場合について説明する。
【００９５】
以下、広幅ＲＰ出力装置２００のテンキーボタン２２３と機能ボタン２２４を閲覧者が操作して、表示切替を行う場合について、説明する。
【００９６】
まず、広幅ＲＰ出力装置２００で閲覧者が他文書への表示切替を行う場合について説明する。広幅ＲＰ出力装置２００は、他文書への表示切替では、図１０に示すように、まず、仮想文書ボタンＫ２２４ａの下の文書機能ボタン２２４ａが押下されて、文書の切り替えが選択されると、ハッチングで示すように、当該文書機能ボタン２２４ａのバックライトのランプを点灯させ、次に、仮想テンキーボタンＫ２２３の「８」の真下のテンキーボタン２２３が押下されて８文書目が選択されると、ハッチングで示すように、押下されたテンキーボタン２２３のバックライトのランプを点灯させる。さらに、広幅ＲＰ出力装置２００は、仮想切替ボタンＫ２２４ｃの真下の切替機能ボタン２２４ｃが押下されて、表示の切替が指示されると、表示の切り替えを開始し、仮想文書ボタンＫ２２４ａの真下の文書機能ボタン２２４ａ、仮想テンキーボタンＫ２２３の「８」の真下のテンキーボタン２２３及び仮想切替ボタンＫ２２４ｃの真下の切替機能ボタン２２４ｃを全て点滅させて、表示の切替予告を行う。最後に、広幅ＲＰ出力装置２００は、８文書目への表示の切り替えが終了すると、上記全てのバックライトのランプの点滅を停止し、バックライトを消灯する。なお、表示切替が完了する前に、操作を取り止めるときには、仮想取消ボタンＫ２２４ｆの真下の取消機能ボタン２２４ｆを押下する。このとき、広幅ＲＰ出力装置２００は、全てのバックライトのランプの点滅を停止させ、バックライトを消灯する。
【００９７】
次に、広幅ＲＰ出力装置２００で閲覧者が他頁への表示切替を行う場合の操作について、図１１に基づいて、説明する。
【００９８】
広幅ＲＰ出力装置２００は、他頁への表示切替では、図１１に示すように、まず、仮想頁ボタンＫ２２４ｂの下の頁機能ボタン２２４ｂが押下されて、頁の切り替えが選択されると、ハッチングで示すように、当該頁機能ボタン２２４ｂのバックライトのランプを点灯させ、次に、仮想テンキーボタンＫ２２３の「３」の真下のテンキーボタン２２３が押下されて３頁目が選択されると、ハッチングで示すように、押下されたテンキーボタン２２３のバックライトのランプを点灯させる。さらに、広幅ＲＰ出力装置２００は、仮想切替ボタンＫ２２４ｃの真下の切替機能ボタン２２４ｃが押下されて、表示の切替が指示されると、表示の切り替えを開始し、仮想頁ボタンＫ２２４ｂの真下の頁機能ボタン２２４ｂ、仮想テンキーボタンＫ２２３の「３」の真下のテンキーボタン２２３及び仮想切替ボタンＫ２２４ｃの真下の切替機能ボタン２２４ｃを全て点滅させて、表示の切替予告を行う。最後に、広幅ＲＰ出力装置２００は、３頁目への表示の切り替えが終了すると、上記全てのバックライトのランプの点滅を停止し、バックライトを消灯する。なお、表示切替が完了する前に、操作を取り止めるときには、仮想取消ボタンＫ２２４ｆの真下の取消機能ボタン２２４ｆを押下する。このとき、広幅ＲＰ出力装置２００は、全てのバックライトのランプの点滅を停止させ、バックライトを消灯する。
【００９９】
ただし、文書が１頁のみの場合は、これらの操作は当然行うことができず、さらに、これらの操作で他文書で１頁以外の頁をすぐに指定することはできない。この場合、図１０を示す状態の表示を一旦行い、上記他文書への切替操作が行われると、１頁目を表示する。
【０１００】
次に、広幅ＲＰ出力装置２００で閲覧者が文書情報への表示切替を行う場合の操作について、図１２に基づいて、説明する。
【０１０１】
文書情報への表示切替では、広幅ＲＰ出力装置２００は、図１２に示すように、仮想文書ボタンＫ２２４ａの真下の文書機能ボタン２２４ａが押下されて、文書切替が選択されると、当該文書機能ボタン２２４ａのバックライトのランプを点灯させ、次に、仮想確認ボタンＫ２２４ｅの真下の確認機能ボタン２２４ｅが押下されると、文書情報の確認が選択されたとして、確認機能ボタン２２４ｅのバックライトのランプを点灯させる。さらに、広幅ＲＰ出力装置２００は、仮想切替ボタンＫ２２４ｃの真下の切替機能ボタン２２４ｃが押下されて、表示の切替が指示されると、表示の切り替えを開始し、仮想文書ボタンＫ２２４ａの真下の文書機能ボタン２２４ａ、仮想確認ボタンＫ２２４ｅの真下の確認機能ボタン２２４ｅ及び仮想切替ボタンＫ２２４ｃの真下の切替機能ボタン２２４ｃを全て点滅させて、表示の切替予告を行う。最後に、広幅ＲＰ出力装置２００は、文書情報への表示の切替えが終了すると、上記全てのバックライトのランプの点滅を停止し、バックライトを消灯する。
【０１０２】
表示切替が完了する前に、操作を取り止めるときには、仮想取消ボタンＫ２２４ｆの真下の取消機能ボタン２２４ｆを押下する。このとき、広幅ＲＰ出力装置２００は、全てのバックライトのランプの点滅を停止させ、バックライトを消灯する。
【０１０３】
この文書情報への表示切替操作で、切替機能ボタン２２４ｃが押下されると、広幅ＲＰ出力装置２００は、例えば、図４及び図５に示したダブルタイプの広幅ＲＰ出力装置２００ａの場合、図５で確認操作が行われると、例えば、図１３に示すように、広幅ＲＰ２０１ａａと広幅ＲＰ２０１ａｂに文書内容を記録して表示する。
【０１０４】
次に、広幅ＲＰ出力装置２００で閲覧者が頁情報への表示切替を行う場合の操作について、図１４に基づいて、説明する。
【０１０５】
頁情報への表示切替では、広幅ＲＰ出力装置２００は、図１４に示すように、仮想頁ボタンＫ２２４ｂの真下の頁機能ボタン２２４ｂが押下されて、頁切替が選択されると、当該頁機能ボタン２２４ｂのバックライトのランプを点灯させ、次に、仮想確認ボタンＫ２２４ｅの真下の確認機能ボタン２２４ｅが押下されると、頁情報の確認が選択されたと判断して、仮想確認ボタン２２４ｅのバックライトのランプを点灯させる。さらに、広幅ＲＰ出力装置２００は、仮想切替ボタンＫ２２４ｃの真下の切替機能ボタン２２４ｃが押下されて、表示の切替が指示されると、表示の切り替えを開始し、仮想頁ボタンＫ２２４ｂの真下の頁機能ボタン２２４ｂ、仮想確認ボタンＫ２２４ｅの真下の確認機能ボタン２２４ｅ及び仮想切替ボタンＫ２２４ｃの真下の切替機能ボタン２２４ｃを全て点滅させて、表示の切替予告を行う。最後に、広幅ＲＰ出力装置２００は、頁情報への表示の切替えが終了すると、上記全てのバックライトのランプの点滅を停止し、バックライトを消灯する。
【０１０６】
表示切替が完了する前に、操作を取り止めるときには、仮想取消ボタンＫ２２４ｆの真下の取消機能ボタン２２４ｆを押下する。このとき、広幅ＲＰ出力装置２００は、全てのバックライトのランプの点滅を停止させ、バックライトを消灯する。
【０１０７】
次に、広幅ＲＰ出力装置２００で閲覧者が非表示番号への表示切替を行う場合の操作について、図１５及び図１６に基づいて、説明する。
【０１０８】
非表示番号への表示切替では、広幅ＲＰ出力装置２００は、図１５に示すように、仮想テンキーボタンＫ２２３の「後」の真下のテンキーボタン２２３が押下されると、表示番号に続く、非表示番号への表示切替が選択されたと判断して、当該仮想テンキーボタンＫ２２３の「後」の真下のテンキーボタン２２３のランプを点灯させ、次に、仮想切替ボタンＫ２２４ｃの真下の切替機能ボタン２２４ｃが押下されて、表示の切替が指示されると、表示の切り替えを開始し、仮想テンキーボタンＫ２２３の「後」の真下のテンキーボタン２２３及び仮想切替ボタンＫ２２４ｃの真下の切替機能ボタン２２４ｃを全て点滅させて、表示の切替予告を行う。最後に、広幅ＲＰ出力装置２００は、表示番号に続く、非表示番号への表示の切替えが終了すると、上記全てのバックライトのランプの点滅を停止し、バックライトを消灯する。
【０１０９】
表示切替が完了する前に、操作を取り止めるときには、仮想取消ボタンＫ２２４ｆの真下の取消機能ボタン２２４ｆを押下する。このとき、広幅ＲＰ出力装置２００は、全てのバックライトのランプの点滅を停止させ、バックライトを消灯する。
【０１１０】
そして、上記非表示番号への表示切替えが完了すると、図１６に示すような状態となり、図１６では、仮想テンキーボタンＫ２２３が、「１１」〜「２０」の番号に切り替わっているとともに、「２０」以後の非表示番号への表示切替を選択可能とする「後」及び「１１」よりも前の非表示番号への表示切替を選択可能とする「前」に切り替わっている。
【０１１１】
そして、「２０」以降の非表示番号への表示切替を選択する場合には、仮想テンキーボタンＫ２２３の「後」の真下のテンキーボタン２２３を上記同様に操作し、逆に、「１１」以前の非表示番号への表示切替を選択する場合は、仮想テンキーボタンＫ２２３の「前」の真下のテンキーボタン２２３を上記同様に操作する。
【０１１２】
そして、上述のように、非表示番号への表示切替えの際には、広幅ＲＰ２０１の底部に描画するボタン（仮想テンキーボタンＫ２２３）の内容を書き変えるが、仮想ボタンＫ２２３、Ｋ２２４よりも上の画像１０３の内容は不変である。さらに、この操作の際、非表示番号が文書または頁の番号のどちらかであるかは考慮する必要はない。
【０１１３】
上記説明では、広幅ＲＰ出力装置２００が基本広幅ＲＰ出力装置２００であるときの操作について説明したが、例えば、図４及び図５に示したダブルタイプの広幅ＲＰ出力装置２００ａが、表示領域部２２１ａａと表示領域部２２１ａｂが、上下方向に広幅ＲＰ２０１ａａ、２０１ａｂをスクロールする状態で配置されている場合に閲覧者が文書情報への表示切替を行うときの操作について、図１７に基づいて説明する。なお、いま、図１７は、図７を反映したものとなっており、表示領域部２２１ａａが２２１ｂｂとして上部表示部（図示略）で、表示領域２２１ａｂが２２１ｂａとして下部表示部となっているものとする。
【０１１４】
この縦型配置のダブルタイプの広幅ＲＰ出力装置２００ｂでは、図１７に示すように、仮想テンキーボタンＫ２２３ｂの下方の本体筐体２２０ｂに、テンキーボタン２２３ｂが配設されており、各種仮想機能ボタンＫ２２４ｂの下方の本体筐体２２０ｂに、各種機能ボタン２２４ｂが配設されているが、この仮想機能ボタンＫ２２４ｂとして、仮想上切替ボタンＫ２２４ｂｃと仮想下切替ボタンＫ２２４ｂｄが表示され、これらの仮想上切替ボタンＫ２２４ｂｃと仮想下切替ボタンＫ２２４ｂｄの真下に、それぞれ上切替機能ボタン２２４ｂｃと下切替機能ボタン２２４ｂｄが設けられている。
【０１１５】
縦型配置のダブルタイプの広幅ＲＰ出力装置２００ｂは、まず、図１７に示すように、仮想文書ボタンＫ２２４ｂａの真下の文書機能ボタン２２４ｂａを押下されて、文書の切り替えが選択されると、当該文書機能ボタン２２４ｂａのバックライトのランプを点灯させ、次に、仮想テンキーボタンＫ２２３ｂの「８」の真下のテンキーボタン２２３ｂが押下されて８文書目が選択されると、押下されたテンキーボタン２２３ｂのバックライトのランプを点灯させる。さらに、広幅ＲＰ出力装置２００ｂは、仮想上切替ボタンＫ２２４ｂｃの真下の上切替機能ボタン２２４ｂｃが押下されて、表示の切替が指示されると、表示の切り替えを開始し、仮想文書ボタンＫ２２４ｂａの真下の文書機能ボタン２２４ｂａ、仮想テンキーボタンＫ２２３ｂの「８」の真下のテンキーボタン２２３ｂ及び仮想上切替ボタンＫ２２４ｂｃの真下の上切替機能ボタン２２４ｂｃを全て点滅させて、上部の表示領域部２２１ｂａの表示の切替予告を行う。最後に、広幅ＲＰ出力装置２００ｂは、上部の表示領域部２２１ｂａの８文書目への表示の切り替えが終了すると、上記全てのバックライトのランプの点滅を停止し、バックライトを消灯する。なお、表示切替が完了する前に、操作を取り止めるときには、仮想取消ボタンＫ２２４ｂｆの真下の取消機能ボタン２２４ｂｆを押下する。このとき、広幅ＲＰ出力装置２００ｂは、全てのバックライトのランプの点滅を停止させ、バックライトを消灯する。
【０１１６】
また、図４及び図５に示したように、ダブルタイプの広幅ＲＰ出力装置２００ａが、表示領域部２２１ａａと表示領域部２２１ａｂが左右方向（横方向）に広幅ＲＰ２０１ａａ、２０１ａｂをスクロールする状態で配置されている場合に閲覧者が他頁への表示切替を行うときの操作について、図１８に基づいて説明する。
【０１１７】
この横型配置のダブルタイプの広幅ＲＰ出力装置２００ａでは、図１８に示すように、仮想テンキーボタンＫ２２３ａの下方の本体筐体２２０ａに、テンキーボタン２２３ａが配設されており、各種仮想機能ボタンＫ２２４ａの下方の本体筐体２２０ａに、各種機能ボタン２２４ａが配設されているが、この仮想機能ボタンＫ２２４ａとして、仮想左切替ボタンＫ２２４ａｃと仮想右切替ボタンＫ２２４ａｄが表示され、これらの仮想左切替ボタンＫ２２４ａｃと仮想右切替ボタンＫ２２４ａｄの真下に、それぞれ左切替機能ボタン２２４ａｃと右切替機能ボタン２２４ａｄが設けられている。
【０１１８】
横型配置のダブルタイプの広幅ＲＰ出力装置２００ａは、他頁への表示切替では、図１８に示すように、まず、仮想頁ボタンＫ２２４ａｂの下の頁機能ボタン２２４ａｂが押下されて、頁の切り替えが選択されると、当該頁機能ボタン２２４ａｂのバックライトのランプを点灯させ、次に、仮想テンキーボタンＫ２２３ａの「３」の真下のテンキーボタン２２３ａが押下されて３頁目が選択されると、押下されたテンキーボタン２２３ａのバックライトのランプを点灯させる。さらに、広幅ＲＰ出力装置２００ａは、仮想右切替ボタンＫ２２４ａｄの真下の右切替機能ボタン２２４ａｄが押下されて、右側の表示領域部２２１ａａの表示の切替が指示されると、右側の表示領域部２２１ａａの表示の切り替えを開始し、仮想頁ボタンＫ２２４ａｂの真下の頁機能ボタン２２４ａｂ、仮想テンキーボタンＫ２２３ａの「３」の真下のテンキーボタン２２３ａ及び仮想切替ボタンＫ２２４ａｄの真下の切替機能ボタン２２４ａｄを全て点滅させて、表示の切替予告を行う。最後に、広幅ＲＰ出力装置２００ａは、右側の表示領域部２２１ａａの３頁目への表示の切り替えが終了すると、上記全てのバックライトのランプの点滅を停止し、バックライトを消灯する。なお、表示切替が完了する前に、操作を取り止めるときには、仮想取消ボタンＫ２２４ａｆの真下の取消機能ボタン２２４ａｆを押下する。このとき、広幅ＲＰ出力装置２００ａは、全てのバックライトのランプの点滅を停止させ、バックライトを消灯する。
【０１１９】
次に、本実施例の作用を説明する。リライタブル記録システム１は、パソコン１００で管理するデータ、特に、日程表、予定表等の定型データを定型フォーマットに合わせた画像として広幅ＲＰ出力装置２００の広幅ＲＰ２０１にリライタブルに印刷して表示することで、省エネルギーを図りつつ利用性の良好な表示を行う。
【０１２０】
なお、上記図１０、図１１及び図１３〜図１８において、機能ボタン２２４ａ〜２２４ｆの点滅をハッチングで示しているとともに、異なるハッチングで示したように、実際には、異なる色の点滅を行う。例えば、文書機能ボタン２２４ａは、赤色、頁機能ボタン２２４ｂは、緑色、切替機能ボタンは、橙色、確認機能ボタンは、青色等である。
【０１２１】
リライタブル記録システム１の基本的なデータの流れについて、図１９に基づいて説明する。なお、図１９において、Ａ１〜Ａ１２は、各処理の流れを示す符号であり、以下に説明する文書中の説明に対して対応する処理の符号を付す。
【０１２２】
図１９は、リライタブル記録システム１での基本的なデータの流れを示す図であり、使用者は、既に、パソコン１００で定型フォーマット３０３ａを使用した画像１０３を作成し、ハードディスク１１１に格納しているものとする。このとき、画像バッファ１０６が、作成中の画像１０３の作業場所に用いられる（処理Ａ１）。使用者は、文書番号割当プログラム１０４を使用して、文書番号割当画像データ１０４ａを設定する（処理Ａ２）。
【０１２３】
図２０は、パソコン１００の表示モニタに、プリンタドライバ１１０によって表示されるメインメニュー画面Ｇ１であり、メインメニュー画面Ｇ１には、文書番号割当設定、文書番号割当一覧、緊急・重大情報設定、表示時間一覧、オプション設定及び画像フォーマット設定の選択メニューアイコンと閉じアイコンが表示されている。
【０１２４】
以降、図１９の（処理Ａ３）について、説明する。パソコン１００は、図２１に示すように、メインメニュー画面Ｇ１を表示モニタに表示しているときに（ステップＳ１）、いずれのメニューアイコン（イベント）が選択操作されるかをチェックし（ステップＳ２）、選択された各メニューアイコンに設定されている動作処理モードに移行する（ステップＳ１０００〜Ｓ６０００）。
【０１２５】
＜文書番号割当設定処理＞
すなわち、パソコン１００は、メインメニュー画面Ｇ１で、「文書番号割当設定」が選択押下されると、図２２及び図２３に示す文書番号割当設定処理（図３０のステップＳ１０００）に移行し、まず、メインメニュー画面からの呼出で、かつ、設定されている文書数が最大値に達しているかチェックし（ステップＳ１００１）、文書数が最大値に達していると、「新規設定は不可」のエラーメッセージを表示モニタに表示して、処理を終了する（ステップＳ１００２）。
【０１２６】
ステップＳ１００１で、呼出元がメインメニュー画面でないか、最大値に達していないときには、パソコン１００は、図２４の文書番号割当設定画面Ｇ２を表示モニタに表示し（ステップＳ１００３）、以降、Ａ３の処理において、文書番号割当設定画面Ｇ２では、（処理Ａ１）で作成した画像１０３に文書番号を割り当てる。この文書番号は、ハードディスク１１１とメモリ１０９の容量やソフトウェアの仕様によってその最大値が決まり、文書番号に割り当てる文書名とファイル名を入力する。すなわち、パソコン１００に登録されているファイル名から画像１０３の内容が分かればよいが、通常、ファイル名は、パソコン１００内部でのファイルの配置場所を示していて、画像１０３の内容と無関係な場合が多い。それに不特定者にパソコン１００内部でのファイルの配置場所を示すことは、セキュリティ面で非常に好ましくない。ファイル名を入力するのは、画像変換プログラム１０７が画像１０３の内容を取得する際、画像１０３の配置場所を知るのに必要だからである。文書名は、画像１０３の内容を知ることができるが、安易にファイル名を想像することができないように付けるのが好ましい。具体的には、どの画像１０３を描画するかの情報は、どの文書名で、かつ、どの定型フォーマット３０３ａを定義したかが含まれる。
【０１２７】
なお、図２４の文書番号割当設定画面Ｇ２の「クリア」ボタンは、入力内容を消去する場合に用い、「参照」ボタンは、ファイル名を入力する際に押下することで、ファイルダイアログを表示させるために用いる。また、「ＯＫ」ボタンは、入力内容を確定して、入力内容をハードディスク１１１またはメモリ１０９内の文書番号割当画像データ１０４ａの保管場所に登録させるのに使用され、「キャンセル」ボタンは、入力内容をキャンセルして、登録を阻止する場合に用いられる。また、パソコン１００は、「ＯＫ」と「キャンセル」のいずれかが押下されると、最後に、図２４の文書番号割当設定画面Ｇ２を閉じる。
【０１２８】
そして、パソコン１００は、イベントが選択されたか、キャンセルされたかチェックし（ステップＳ１００４）、キャンセルが選択されると、文書番号割当設定画面Ｇ２を閉じて、文書番号割当設定処理を終了する（ステップＳ１００９）。ステップＳ１００４で、「ＯＫ」ボタンが選択押下されると、パソコン１００は、各条件値をチェックして（ステップＳ１００５）、各条件値が正常データであるか判別し（ステップＳ１００６）、各条件値が正常データであると、呼出元がメインメニュー画面であるか、後述する文書番号割当設定画面Ｇ２（図２４参照）であるかチェックする（ステップＳ１００７）。
【０１２９】
ステップＳ１００７で、呼出元がメインメニュー画面であると、パソコン１００は、各条件値をハードディスク１１１またはメモリ１０９に登録し（ステップＳ１００８）、文書番号割当設定画面Ｇ２を閉じて、文書番号割当設定処理を終了する（ステップＳ１００９）。
【０１３０】
ステップＳ１００７で、呼出元が文書番号割当画面Ｇ３であると、パソコン１００は、各条件値の仮登録を行い（ステップＳ１０１０）、文書番号割当設定画面Ｇ２を閉じて、文書番号割当設定処理を終了する（ステップＳ１００９）。
【０１３１】
そして、ステップＳ１００６で、条件値に異常があると、パソコン１００は、図２３に示すように、「入力データは異常」等のエラーメッセージを表示モニタに表示出力して（ステップＳ１０１１）、ステップＳ１００４に戻り、上記同様に処理する。
【０１３２】
また、ステップＳ１００４で、「参照」ボタンが押下されると、パソコン１００は、図２３に示すように、ファイルダイアログを表示モニタに表示し（ステップＳ１０１２）、ファイルが選択されると（ステップＳ１０１３）、各条件値にコピーして反映させて（ステップＳ１０１４）、ステップＳ１００４に戻り、上記同様に処理する。
【０１３３】
さらに、ステップＳ１００４で、「クリア」ボタンが選択押下されると、パソコン１００は、図２３に示すように、入力データを破棄して（ステップＳ１０１５）、ステップＳ１００４に戻り、上記同様に処理する。
【０１３４】
また、ステップＳ１００４で、条件値がテキスト入力されると、パソコン１００は、図２３に示すように、当該入力された条件値を設定して（ステップＳ１０１６）、ステップＳ１００４に戻り、上記同様に処理する。
【０１３５】
＜文書番号割当一覧処理＞
上記図２０のメインメニュー画面Ｇ１において、「文書番号割当一覧」ボタンが押下されると、パソコン１００は、図２５及び図２６に示す文書番号割当一覧処理（Ｓ２０００）に移行し、まず、図２４の文書番号割当設定画面Ｇ２で入力されて登録した文書番号割当画像データ１０４ａを、ハードディスク１１１またはメモリ１０９内の文書番号割当画像データ１０４ａの保管場所から読み取り、初回の一覧内の文書番号の表示開始値と表示終了値を算出する（ステップＳ２００１）。次に、パソコン１００は、表示開始値から表示終了値の文書番号が指す画像情報をデータベースＤＢから取得して、一覧に配置し（ステップＳ２００２）、図２７に示すように、文書番号割当一覧画面Ｇ３を、一覧表の形で表示モニタに表示する（ステップＳ２００３）。
【０１３６】
文書番号割当一覧画面Ｇ３では、一覧表の左下に、「先頭」「前頁」「中間」「後頁」「後端」の各ボタンアイコンが表示されており、これらのボタンは、一覧表で表示中の頁に表示されていない他の文書番号割当画像データ１０４ａを見るときに使用される。また、文書番号割当一覧画面Ｇ３では、一覧表の右下に、「変更」「削除」「ＯＫ」「キャンセル」の各ボタンアイコンが表示されており、一覧表の中からどれか１つの文書番号割当画像データ１０４ａを選択して反転表示になった所で、「変更」ボタンが押下されると、パソコン１００は、図２４の文書番号割当設定画面Ｇ２を表示し、選択された文書番号割当画像データ１０４ａの各データを該当する各項目に表示して、以降、上記文書番号割当設定画面Ｇ２についての説明のときと同様に処理する。なお、文書番号割当設定画面Ｇ２で「ＯＫ」ボタンが押下されても仮登録の状態であり、変更になったことを示すために、画面上に印を示したりや文字表示条件を変える等の変化を付ける。
【０１３７】
次に、図２７の文書番号割当一覧画面Ｇ３の文書番号割当一覧の中からいずれか１つの文書番号割当画像データ１０４ａが選択されて反転表示を行った状態で、「削除」ボタンが押下されると、パソコン１００は、当該選択された文書番号割当画像データ１０４ａを仮削除の状態とし、削除になったことを示すために、画面上に印を示したりや文字表示条件を変える等の変化を付ける。また、図２７の文書番号割当一覧画面Ｇ３の文書番号割当一覧表の中からどれか１つの文書番号割当画像データ１０４ａが選択され反転表示した所で、「表示日時割当」ボタンが押下されると、図２８の表示日時割当設定画面Ｇ４を表示させる。なお、表示日時割当設定画面Ｇ４の説明は後述する。さらに、図２７の文書番号割当一覧画面Ｇ３で、「ＯＫ」ボタンが押下されると、入力内容をハードディスク１１１またはメモリ１０９内の文書番号割当画像データ１０４ａの保管場所に登録し、「キャンセル」ボタンが押下されると、入力内容を登録することはしない。また、パソコン１００は、「ＯＫ」と「キャンセル」のどちらが押下されても、最後に文書番号割当一覧画面Ｇ３を閉じる。
【０１３８】
すなわち、図２５のステップＳ２００４で、「キャンセル」ボタンが押下されると、パソコン１００は、文書番号割当一覧画面Ｇ３を閉じて、文書番号割当一覧処理を終了し（ステップＳ２００７）、ステップＳ２００４で、「ＯＫ」ボタンが押下されると、仮登録または仮削除の処理があるかチェックする（ステップＳ２００５）。
【０１３９】
ステップＳ２００５で、仮登録の処理があるときには、パソコン１００は、各条件値の登録を行って（ステップＳ２００６）、文書番号割当一覧画面Ｇ３を閉じて、文書番号割当一覧処理を終了する（ステップＳ２００７）。
【０１４０】
ステップＳ２００５で、仮削除の処理があるときには、パソコン１００は、各条件値の削除を行い（ステップＳ２００８）、文書番号割当一覧画面Ｇ３を閉じて、文書番号割当一覧処理を終了する（ステップＳ２００７）。
【０１４１】
ステップＳ２００５で、仮登録と仮削除のいずれの処理もないときには、パソコン１００は、文書番号割当一覧画面Ｇ３を閉じて、文書番号割当一覧処理を終了する（ステップＳ２００７）。
【０１４２】
そして、ステップＳ２００４で、「削除」、「変更」、「表示日時割当」のいずれかのボタンが押下されると、パソコン１００は、選択文書があるかチェックし（ステップＳ２００９）、選択文書があるときには、選択文書の情報を取得して（ステップＳ２０１０）、選択された処理を判定する（ステップＳ２０１１）。
【０１４３】
ステップＳ２０１１で、押下されたボタンが「変更」であるときには、パソコン１００は、上記文書番号割当設定処理（ステップＳ１０００）を実行した後、ステップＳ２００４に戻って、上記同様に処理し、押下されたボタンが「表示日時割当」であるときには、後述する表示日時割当設定処理（ステップＳ４１００）を実行した後、ステップＳ２００４に戻って、上記同様に処理する。
【０１４４】
ステップＳ２０１１で、「削除」ボタンが選択されているときには、パソコン１００は、選択文書の情報を仮削除して（ステップＳ２０１２）、ステップＳ２００４に戻って、上記同様に処理する。
【０１４５】
ステップＳ２００４で、「文書選択」が行われると、パソコン１００は、選択操作された文書の欄を反転表示させ（ステップＳ２０１３）、ステップＳ２００４に戻って、上記同様に処理する。
【０１４６】
また、ステップＳ２００４で、「先頭」、「前頁」、「中間」、「次頁」、「後端」のいずれかが選択押下されると、パソコン１００は、次回の一覧内の文書番号の表示開始値と表示終了値を算出し（ステップＳ２０１４）、この表示開始値から表示終了値の文書番号が指す画像情報をデータベースＤＢから取得して、一覧に配置して（ステップＳ２０１５）、ステップＳ２００４に戻って、上記同様に処理する。
【０１４７】
＜表示日時割当設定処理＞
上記文書番号割当一覧処理でステップＳ４１００の表示日時割当設定処理に移行すると、パソコン１００は、図２９及び図３０に示す表示日時割当設定処理を実行する。すなわち、パソコン１００は、まず、図２９に示すように、表示日時割当設定処理を呼び出したタスクから文書番号を取得し（ステップＳ４１０１）、当該文書番号の表示時間情報があれば、データベースＤＢから取得して一覧に配置する（ステップＳ４１０２）。
【０１４８】
次に、パソコン１００は、図２８に示した表示日時割当設定画面Ｇ４を表示モニタに表示し（ステップＳ４１０３）、イベントのチェックを行う（ステップＳ４１０４）。
【０１４９】
この図２８の表示日時割当設定画面Ｇ４は、印刷条件の一つでもあり、図２８（ａ）の表示日時割当設定画面Ｇ４ａには、文書番号が「３」で、文書名が「プロジェクトＡ進捗表」の画像の表示条件が示されており、図２８（ｂ）の表示日時割当設定画面Ｇ４ｂには、文書番号が「１」で、文書名が「２００４年５月日程表」の画像の表示条件が示されている。まず、日時設定について説明すると、「毎日」、「月〜金」、「曜日設定」、「日付設定」の４項目のうち、いずれか１つが選択され、「毎日」または「月〜金」が選択されると、パソコン１００は、そのまま日時設定の値とする。また、図２８（ａ）に示すように、「曜日設定」が選択されると、パソコン１００は、月曜〜日曜の７つの曜日の項目を表示し、この中から画像１０３を表示する曜日を選択することができるが、複数選択が可能で、図２８（ａ）では、月曜と金曜が設定されている状態を示している。
【０１５０】
一方、図２８（ｂ）に示すように、「日付設定」が選択された場合、パソコン１００は、表示開始日と表示終了日の項目を表示し、直接キー入力で表示開始日と表示終了日が入力されることになるが、表示開始日、または、表示終了日の項目にカーソルが入っている状態で、「参照」ボタンが押されると、カレンダーを表示し、カレンダーの中から選択して入力することもできる。
【０１５１】
また、表示日時割当設定画面Ｇ４では、時刻設定として、「朝」、「昼１」、「昼２」、「夕方」、「その他」の５項目があり、各項目の右側には表示開始時刻の値が表示されている。表示開始時刻を選択するが、複数選択が可能であり、デフォルトでは標準値が設定されているが、「設定」ボタンを押すと、図３１の特定表示時刻設定画面Ｇ５が表示され、適宜、表示開始時刻を設定することができる。なお、表示時間としては、図２８では、デフォルトの標準値である１０分間表示となっているが、「設定」ボタンを押すと、図３１の特定表示時刻設定画面Ｇ５が表示され、値の変更が可能である。
【０１５２】
さらに、表示日時割当設定画面Ｇ４の画像１０３の内容更新には、「すぐに印刷」、「印刷しない」、「経過時間に印刷」、「指定時間に印刷」の４項目があり、いずれか１つが選択されるが、「経過時間に印刷」の場合、１０分後、「指定時間に印刷」の場合、「１４：００」となっているが、デフォルトでは標準値が設定されている。また、「設定」ボタンが押下されると、パソコン１００は、図３２の更新時印刷条件設定画面Ｇ６を表示し、値の変更を可能とする。なお、この内容更新が発生した場合の説明内容は更新印刷条件１０５の変更にも対応する。
【０１５３】
そして、ステップＳ４１０４で、「キャンセル」ボタンが押下されると、パソコン１００は、入力内容の登録を行うことなく、表示日時割当設定画面Ｇ４を閉じて（ステップＳ４１０７）、表示日時割当設定処理を終了する。
【０１５４】
ステップＳ４１０４で、「ＯＫ」ボタンが押下されると、パソコン１００は、仮登録または仮削除の処理があるかチェックし（ステップＳ４１０５）、仮登録も仮削除のいずれの処理もないときには、表示日時割当設定画面Ｇ４を閉じて（ステップＳ４１０７）、表示日時割当設定処理を終了する。
【０１５５】
ステップＳ４１０５で、仮登録の処理があるときには、パソコン１００は、ハードディスク１１１またはメモリ１０９への各条件値（入力内容）の登録を行って（ステップＳ４１０６）、表示日時割当設定画面Ｇ４を閉じて（ステップＳ４１０７）、表示日時割当設定処理を終了し、仮削除の処理があるときには、各条件値の削除を行い（ステップＳ４１０８）、表示日時割当設定画面Ｇ４を閉じて（ステップＳ４１０７）、表示日時割当設定処理を終了する。
【０１５６】
そして、ステップＳ４１０４で、図３０に示すように、「その他」が選択されると、パソコン１００は、各条件値（時間）の入力を行わせて（ステップＳ４１０９）、ステップＳ４１０４に戻り、ステップＳ４１０４で、「日付設定」が選択されると、表示開始日から表示終了日の表示欄、参照ボタン及び入力値を表示して（ステップＳ４１１０）、ステップＳ４１０４に戻り、上記同様に処理する。
【０１５７】
ステップＳ４１０４で、内容更新時の「設定」ボタンが押下されると、パソコン１００は、図３２の更新時印刷条件設定画面Ｇ６を表示し、値の変更を可能とする更新時表示時刻設定処理（ステップＳ４２００）を行って、ステップＳ４１０４に戻り、上記同様に処理する。
【０１５８】
また、ステップＳ４１０４で、「参照」ボタンが押下されると、パソコン１００は、カレンダ表示を行って、カレンダによる表示開始日と表示終了日の設定が行われると（ステップＳ４１１１）、ステップＳ４１０４に戻り、上記同様に処理する。
【０１５９】
ステップＳ４１０４で、表示時刻で、「設定」ボタンが押下されると、パソコン１００は、図３１に示す特定表示時刻設定画面Ｇ５を表示し、適宜、表示開始時刻を設定を可能とする特定表示時刻設定処理（ステップＳ４３００）を行って、ステップＳ４１０４に戻り、上記同様に処理する。
【０１６０】
ステップＳ４１０４で、「毎日」、「月〜金」、「曜日設定」のいずれかが選択されると、パソコン１００は、月曜日から日曜日のチェック７個を画面表示し、入力値に沿っていチェックを入れて（ステップＳ４１１２）、ステップＳ４１０４に戻り、上記同様に処理する。
【０１６１】
そして、上記ステップＳ４２００での更新時表示時刻設定処理は、図３３のように実施する。すなわち、図２８の表示日時割当設定画面Ｇ４ａ、Ｇ４ｂにおいて、内容更新時の欄にある「設定」ボタンが押下されると、パソコン１００は、更新時表示時刻設定処理に移行して、更新時表示時刻情報があると、当該更新時表示時刻情報を取得して（ステップＳ４２０１）、図３２に示した更新時印刷条件設定画面（更新時表示時刻設定画面）Ｇ６を表示モニタに表示し（ステップＳ４２０２）、イベントのチェックを行う（ステップＳ４２０３）。
【０１６２】
図３２の更新時印刷条件設定画面Ｇ６に更新時刻を表示するかの設定があり、表示する場合には、チェックを入れる。図１９の（処理Ａ３）の過程に対応する。
【０１６３】
ステップＳ４２０３で、その他のテキスト入力が行われると、パソコン１００は、入力された各条件値の設定入力処理を行い（ステップＳ４２０４）、ステップＳ４２０３に戻って、イベントのチェックを行う（ステップＳ４２０３）。
【０１６４】
ステップＳ４２０３で、「ＯＫ」ボタンが押下されると、パソコン１００は、入力されている各条件値を登録し（ステップＳ４２０５）、更新時表示時刻設定画面Ｇ６を閉じて（ステップＳ４２０６）、更新時表示時刻設定処理を終了する。
【０１６５】
ステップＳ４２０３で、「キャンセル」ボタンが押下されると、パソコン１００は、入力されている各条件値の登録を行うことなく、更新時表示時刻設定画面Ｇ６を閉じて（ステップＳ４２０６）、更新時表示時刻設定処理を終了する。
【０１６６】
そして、パソコン１００は、後で、制御プログラム１０８に対して印刷開始の指示がきたとき、制御プログラム１０８がプリンタドライバ１１０を経由して画像変換プログラム１０７に印刷を指示し、文書名と頁番号を入力データとして渡す（図１９の処理Ａ５）。さらに、画像変換プログラム１０７は、文書名と頁番号を基に文書番号割当画像データ１０４ａから画像１０３の入っているファイルの所在を割り出し、画像１０３そのものを取得して、画像バッファ１０６に格納する（図１９の処理Ａ６、Ａ７）。
【０１６７】
そして画像バッファ１０６において、他の印刷条件を加味して出力内容に仕立てるが、その過程で、更新印刷条件１０５の中で「更新時刻を表示する」にチェックが入っていると、パソコン１００内のシステム日時を取得し、その時刻を更新時刻と見なし、広幅ＲＰ２０１の画像１０３の表示領域外のスペースに更新時刻を付加する。そして、画像バッファ１０６の内容を印刷バッファ１０２にコピーし、印刷バッファ１０２の内容を広幅ＲＰ出力装置２００へ渡す（図１９の処理Ａ８、Ａ９、Ａ１０）。
【０１６８】
広幅ＲＰ２０１には、図９に示すように、個人予定表の枠外の下に、「２００４.０５.０１１３:００更新」と表示される。また、図３４に示すように、図９の広幅ＲＰ出力装置２００ｄの薄型ディスプレイ２３０に更新時刻を表示する。
【０１６９】
また、上記ステップＳ４３００での特定表示時刻設定処理は、図３５のように実施する。すなわち、特定表示時刻設定処理に移行すると、パソコン１００は、特定時表示時刻情報があると、当該特定時表示時刻情報を取得して（ステップＳ４３０１）、図３１に示した特定時表示時刻設定画面Ｇ５を表示モニタに表示し（ステップＳ４３０２）、イベントのチェックを行う（ステップＳ４３０３）。
【０１７０】
ステップＳ４３０３で、その他のテキスト入力が行われると、パソコン１００は、入力された各条件値の設定入力処理を行い（ステップＳ４３０４）、ステップＳ４３０３に戻って、イベントのチェックを行う（ステップＳ４３０３）。
【０１７１】
ステップＳ４３０３で、「ＯＫ」ボタンが押下されると、パソコン１００は、入力されている各条件値を登録し（ステップＳ４３０５）、特定時表示時刻設定画面Ｇ５を閉じて（ステップＳ４３０６）、特定時表示時刻設定処理を終了する。
【０１７２】
ステップＳ４３０３で、「キャンセル」ボタンが押下されると、パソコン１００は、入力されている各条件値の登録を行うことなく、特定時表示時刻設定画面Ｇ５を閉じて（ステップＳ４３０６）、特定時表示時刻設定処理を終了する。
【０１７３】
＜表示時間一覧処理＞
上記図２０のメインメニュー画面Ｇ１において、「表示時間一覧」ボタンが押下されると、パソコン１００は、図３６及び図３７に示す表示時間一覧処理（Ｓ４０００）に移行し、まず、図２４の文書番号割当設定画面Ｇ２で入力されて登録した文書番号割当画像データ１０４ａを、ハードディスク１１１またはメモリ１０９内の文書番号割当画像データ１０４ａの保管場所から読み取り、初回の一覧内の文書番号の表示開始値と表示終了値を算出する（ステップＳ４００１）。次に、パソコン１００は、表示開始値から表示終了値の文書番号が指す画像情報をデータベースＤＢから取得して、一覧に配置し（ステップＳ４００２）、図３８に示すように、表示時間一覧画面Ｇ７ａを、一覧表の形で表示モニタに表示して（ステップＳ４００３）、イベントの判別を行う（ステップＳ４００４）。
【０１７４】
図３８の表示時間一覧画面Ｇ７ａには、図２８（ａ）または図２８（ｂ）の表示日時割当設定画面Ｇ４ａ、Ｇ４ｂにおいて設定した更新印刷条件データ１０５が参照日と開始時刻を昇順にして一覧表示されており、参照日と開始時刻になると、広幅ＲＰ２０１の画面に、指定した画像１０３を表示する。
【０１７５】
なお、図３８の表示時間一覧画面Ｇ７ａは、出力先の広幅ＲＰ出力装置２００が、広幅ＲＰ２０１が１つで、表示領域部２２１が１つの基本タイプのものである場合に対応するものであるが、出力先の広幅ＲＰ出力装置２００が、広幅ＲＰ２０１が２つで、表示領域部２２１が２つの２画面対称ダブルタイプの広幅ＲＰ出力装置２００ａであるときには、図３９に示すような表示時間一覧画面Ｇ７ｂとなる。
【０１７６】
図３９の表示時間一覧画面Ｇ７ｂは、画面番号の欄において、「０」、「１」、「２」と番号が設定されており、「１」は、左画面、「２」は、右画面の指定となる。次の画像１０３を印刷して表示する場合、画面番号を「１」か「２」のどちらかに予め設定する必要があるが、ここでは「０」を設定する。次に、パソコン１００は、広幅ＲＰ出力装置２００ａの２画面に表示中の画像１０３の最新内容の印刷開始日時を取得し、広幅ＲＰ出力装置２００ａへの画像１０３の描画や消去が発生する度に、ログを作成して、パソコン１００またはプリントサーバ３００内のメモリかハードディスクに保管されるが、そのログの中に画面に表示中の画像１０３の最新内容の印刷開始日時を記述する。そして、パソコン１００は、広幅ＲＰ出力装置２００ａの２画面に表示中の画像１０３の最新内容、すなわち、２つの画像１０３の最新内容の印刷開始日時を比較して、印刷開始日時の早い方が表示されている画像１０３の表示画面を、次回の別の画像１０３の書き換え画面の対象にする。なお、表示中の画像１０３の内容を更新し表示切り替えが発生する場合は、別画面を表示中の画像１０３の更新内容の表示画面にすることはできない。これは、同じ画像１０３で新旧の内容を同時表示すると、閲覧者が混乱するからである。また、図３９の表示時間一覧画面Ｇ７ｂの画面番号の欄において、「０」と設定された画像１０３は、表示中の２つの画像１０３のうち、印刷開始日時の早い方が表示されている画像１０３の表示画面に対して描画されて書き換えられる。以上が、図１９の（処理Ａ３）に対応している。
【０１７７】
そして、図３６のステップＳ４００４で、「キャンセル」ボタンが押下されると、パソコン１００は、表示時間一覧画面Ｇ７ａ、７ｂを閉じて、表示時間一覧処理を終了し（ステップＳ４００７）、ステップＳ４００４で、「ＯＫ」ボタンが押下されると、仮登録または仮削除の処理があるかチェックする（ステップＳ４００５）。
【０１７８】
ステップＳ４００５で、仮登録も仮削除のいずれの処理もないときには、パソコン１００は、表示時間一覧画面Ｇ７ａ、７ｂを閉じて、表示時間一覧処理を終了し（ステップＳ４００７）、仮登録の処理があるときには、各条件値の登録を行って（ステップＳ４００６）、表示時間一覧画面Ｇ７ａ、７ｂを閉じて、表示時間一覧処理を終了する（ステップＳ４００７）。
【０１７９】
ステップＳ４００５で、仮削除の処理があるときには、パソコン１００は、各条件値の削除を行い（ステップＳ４００８）、表示時間一覧画面Ｇ７ａ、７ｂを閉じて、表示時間一覧処理を終了する（ステップＳ４００７）。
【０１８０】
そして、ステップＳ４００４で、図３７に示すように、「削除」、「変更」のいずれかのボタンが押下されると、パソコン１００は、選択文書があるかチェックし（ステップＳ４００９）、選択文書があるときには、選択文書の情報を取得して（ステップＳ４０１０）、選択された処理を判定する（ステップＳ４０１１）。
【０１８１】
ステップＳ４０１１で、押下されたボタンが「変更」であるときには、パソコン１００は、上記表示日時割当設定処理（ステップＳ４１００）を実行した後、ステップＳ４００４に戻って、上記同様に処理し、押下されたボタンが「削除」ボタンが選択されているときには、選択文書の情報を仮削除して（ステップＳ４０１２）、ステップＳ４００４に戻って、上記同様に処理する。
【０１８２】
ステップＳ４００４で、「文書選択」が行われると、パソコン１００は、選択操作された文書の欄を反転表示させ（ステップＳ４０１３）、ステップＳ４００４に戻って、上記同様に処理する。
【０１８３】
また、ステップＳ４００４で、「先頭」、「前頁」、「中間」、「次頁」、「後端」のいずれかが選択押下されると、パソコン１００は、次回の一覧内の文書番号の表示開始値と表示終了値を算出し（ステップＳ４０１４）、この表示開始値から表示終了値の文書番号が指す画像情報をデータベースＤＢから取得して、一覧に配置して（ステップＳ４０１５）、ステップＳ４００４に戻って、上記同様に処理する。
【０１８４】
そして、図１９の処理Ａ４として、時間監視プログラム１１３または時間監視プログラム２１０（以下、パソコン１００での処理として説明する。）が、パソコン１００のシステム日時を絶えず監視し、図１９の処理Ａ３でハードディスク１１１またはメモリ１０９内に登録された更新印刷条件データ１０５を図３８または図３９に示した表示時間一覧画面Ｇ７ａ、Ｇ７ｂのように、参照日と開始時刻を昇順に並び替えて、システム日時が指す日時が参照日と開始時刻に一致するかどうかをチェックする。
【０１８５】
広幅ＲＰ出力装置２００への出力準備を考慮して、一致のチェックを１分早めにする場合もある（処理Ａ４）。
【０１８６】
ここで、システム日時が示す日時が参照日と開始時刻に一致する場合、時間監視プログラム１１３は、制御プログラム１０８に報告し、制御プログラム１０８の指示で時間監視プログラム１１３は、対象となる画像１０３の文書名と文書内の頁番号を入力データとして制御プログラム１１３に渡す。
【０１８７】
そして、制御プログラム１１３は、プリンタドライバ１１０を経由して画像変換プログラム１０７に印刷を指示し、文書名と頁番号を入力データとして渡す（処理Ａ５）。
【０１８８】
画像変換プログラム１０７は、文書名と頁番号を基に文書番号割当画像データ１０４ａから画像１０３が入っているファイルの所在を割り出し、画像１０３そのものを取得して、広幅ＲＰ出力装置２００で描画可能な印刷画像１０３を形成し、ハードディスク１１１に一時保管する（処理Ａ６〜Ａ８）。
【０１８９】
そして、印刷タスク１２０は、プリントスプーラ１１２に格納され、関連している印刷画像１０３と更新印刷条件１０５とともに広幅ＲＰ出力装置２００へ渡されるのを待つ。
【０１９０】
パソコン１００は、当該印刷タスク１２０の順番がくると、印刷画像１０３を印刷バッファ１０２に展開して、更新印刷条件１０５とともに広幅ＲＰ出力装置２００へ渡す（処理Ａ９、Ａ１０）。
【０１９１】
広幅ＲＰ出力装置２００は、印刷時、電気消費量を印字に必要な量に復帰させ、広幅ＲＰ２０１に画像１０３を印刷する。広幅ＲＰ出力装置２００は、印刷が終了して、画像１０３を常時表示している間は、最低限必要な部分にのみ電源を供給して、その他の部分への電源供給停止または削減する省エネルギーモードに移行して、電気消費量を最少限に抑える（処理Ａ１１）。
【０１９２】
＜緊急・重大情報設定処理＞
図２０のメインメニュー画面Ｇ１で「緊急・重大情報設定」のアイコンが押下されると、図４０及び図４１に示す緊急・重大情報設定処理（図２１のステップＳ３０００の処理）に移行し、まず、図４２の緊急・重大情報の設定画面Ｇ８を表示モニタに表示する（ステップＳ３００１）。
【０１９３】
そして、この緊急・重大情報を印刷する場合のデータの流れは、図４３に示すようになる。緊急・重大情報を含む画像１０３とは、例えば、１０分〜１５分以内に通知する必要のある情報の画像１０３や全員への通知が必須の情報の画像１０３であり、リライタブル記録システム１を使用する組織や場所の事情や都合で独自に定めることができる。
【０１９４】
この図４２の緊急・重大情報の設定画面Ｇ８を使用した緊急・重大情報の内容入力では、予め、緊急・重大情報の内容が入っているファイルが作成されている場合、「呼出」ボタンを押して、ファイルダイアログを立ち上げ、ファイルを呼び出す。なお、このファイルは、互換性や汎用性を考慮して、テキストファイルで作成されていることが好ましい。
【０１９５】
一方、緊急・重大情報設定画面Ｇ８の画面内のテキストボックスから直接、緊急・重大情報の内容を入力できるようにする。この場合、入力内容の文字数や保管の是非は各仕様に委ねられるが、コピー＆ペーストと一般的なテキスト入力アプリケーションを使用すると、保管機能は無くてもよい。
【０１９６】
緊急・重大情報設定画面Ｇ８には、他に、表示画面、回毎表示時間、表示回数、表示締切時間、強調表示方法の項目、「詳細設定」ボタン、「ＯＫ」ボタン、「キャンセル」ボタン及び「ファイル作成」ボタンがある。回毎表示時間は、１回毎表示する際の表示時間を設定するのに使用し、表示回数は、緊急・重大情報の表示を何回行うかを設定するのに使用する。表示締切時間は、何分後までに緊急・重大情報の表示を行うかを設定するのに使用され、分単位であるが、現実的には、１０分〜１５分単位が望ましい。最初の表示開始時刻から表示締切時間が経過した時に緊急・重大情報の表示を打ち切る。表示回数を複数設定した場合は、１回目の表示開始時刻から表示締切時間までの間に等間隔の時間で表示する。例えば、回毎表示時間を１０分、表示締切時間を６０分後、表示回数を３回、最初の表示開始時刻が１０時と設定されると、等間隔の時間は、次式（１）で算出する。
【０１９７】
（表示締切時間−回毎表示時間）÷（表示回数−１）・・・（１）
上記数値をあてはめると、（６０−１０）÷（３−１）になり、等間隔の時間は、２５分になる。割り切れない場合は四捨五入する。
【０１９８】
したがって、以降は、２回目の表示開始時刻が、１０時２５分、３回目の表示開始時刻が、１０時５０分となり、３回目の表示開始時刻に回毎表示時間の１０分を足すと、ちょうど最初の表示開始時刻１０時から表示締切時間の６０分後、すなわち１１時になる。
【０１９９】
なお、上記式（１）で算出した等間隔の時間が５分〜１０分と短い場合、他の通常情報の印刷や表示ができなくなり、業務の進捗に支障が出る場合には、広幅ＲＰ出力装置２００が発音、発光する装置を備えている場合には、音声や光で緊急・重大情報を出力するようにしてもよい。この場合、頻繁に出すと、周辺の業務を妨げてしまう場合があるので、等間隔の時間の最少値、すなわち、所定値を１５分と定め、式（１）で算出した等間隔の時間が５分〜１０分のときには、表示間隔が短過ぎること、同時に回毎表示時間、表示回数、表示締切時間のいずれかを設定し直すようにというエラーメッセージを画面に表示し、設定者に警告を行う。
【０２００】
また、緊急・重大情報設定画面Ｇ８では、緊急・重大情報を表示する広幅ＲＰ出力装置２００を「表示画面」の欄で指定することができ、入力はリストの中から選択するが、複数選択することもできる。例えば、緊急度や重大度が最高の場合、全ての広幅ＲＰ出力装置２００に表示することができ、選択数が多い場合、設定を簡易化するために全部選択かグループ化して選択の方法を取ることもできる。図４２では、緊急・重大情報を表示する広幅ＲＰ出力装置２００として、「Ｃ０４Ｘ１」という名前の画面番号が割り当てられている状態を示している。
【０２０１】
次に、強調表示方法としては、色は、図９から図１４の広幅ＲＰ出力装置２００の「切替」の仮想ボタンの下の機能ボタン２２４ｃのバックライトの色であり、通常情報への切替を行う際、バックライトの色を黄色とすると、緊急・重大情報への切替を行う時は、バックライトの色を赤色に切り替える。点滅は、図９から図１４の広幅ＲＰ出力装置２００の「切替」の仮想ボタンの下の機能ボタン２２４ｃのバックライトの点滅であり、例えば、通常情報への切替を行う時の点滅よりは、短い間隔で点滅して、緊急・重大情報への切替であることを示す。音は、通常情報への切替を行う際、無音で行い、緊急・重大情報への切替を行う際は、アラーム音を発生する。
【０２０２】
なお、緊急・重大情報への切替を行う際、バックライトの色、バックライトの点滅、アラーム音を組み合わせて設定することもでき、この場合、全ての項目にチェックを入れる。また、バックライトの色、バックライトの点滅、アラーム音は、緊急・重大情報への切替に対しては、最低限どれか１つをチェックする必要がある。
【０２０３】
「詳細設定」ボタンは、バックライトの色の設定、バックライトの点滅パターンの設定、アラーム音のパターン、例えば、サイレン、インタホーン等の音色、音量等の細かい設定を行う際に、押される。
【０２０４】
「ＯＫ」ボタンは、設定した緊急・重大情報やその情報の表示条件をハードディスク１１１またはメモリ１０９に保管させる際に押下され（図４３の処理Ｂ１）、「ＯＫ」ボタンが押下されると、パソコン１００は、同時に、画像変換プログラム１０７に対して、緊急・重大情報の印刷指示を出す（図４３の処理Ｂ２）。画像変換プログラム１０７は、表示対象となる表示画面を有する広幅ＲＰ出力装置２００の印刷画像１０３を形成し（図４３の処理Ｂ３）、次に、ハードディスク１１１またはメモリ１０９に保管された緊急・重大情報を画像バッファ１０６に送って、画像１０３を形成する。さらに、パソコン１００は、緊急・重大情報の定型フォーマット３０３ａがあれば、定型フォーマットＤＢ３０３から取得し、画像１０３に合成する（図４３の処理Ｂ４〜Ｂ５）。
【０２０５】
パソコン１００は、画像バッファ１０６の内容を印刷バッファ１０２にコピーし、印刷バッファ１０２の内容を、表示条件とともに広幅ＲＰ出力装置２００に送る（図４３の処理Ｂ６〜Ｂ７）。
【０２０６】
これにより、広幅ＲＰ出力装置２００の広幅ＲＰ２０１に緊急・重大情報の画像１０３が印刷され、広幅ＲＰ出力装置２００が発音装置、発光装置が備えていれば、表示条件に従って緊急・重大情報を示す発音、発光で出力し、さらに、バックライトの色、バックライトの点滅も行う（図４３の処理Ｂ８）。
【０２０７】
最後に、パソコン１００は、緊急・重大情報発信のログを取って、ハードディスク１１１またはメモリ１０９に保管されたログ一覧に記録する（図４３の処理Ｂ９）。
【０２０８】
すなわち、パソコン１００は、図４０のステップＳ３００１で、緊急・重大情報設定画面Ｇ８を表示モニタに表示すると、イベントのチェックを行い（ステップＳ３００２）、「ＯＫ」ボタンが押下されると、入力されている各条件値のチェックを行い（ステップＳ３００３）、入力されている各条件値が正常データであるかチェックする（ステップＳ３００４）。ステップＳ３００４で、各条件値が正常データであると、パソコン１００は、当該各条件値の設定登録を行い（ステップＳ３００５）、緊急・重大情報設定画面Ｇ８を閉じて（ステップＳ３００６）、緊急・重大情報設定処理を終了する。
【０２０９】
ステップＳ３００４で、入力されている条件値に異常があるときには、パソコン１００は、「入力データは不正」等のエラーメッセージを表示モニタに表示出力して（ステップＳ３００７）、ステップＳ３００２に戻って、上記同様に処理する。
【０２１０】
ステップＳ３００２で、「キャンセル」ボタンが押下されると、パソコン１００は、条件値の登録を行うことなく、緊急・重大情報設定画面Ｇ８を閉じて（ステップＳ３００６）、緊急・重大情報設定処理を終了する。
【０２１１】
また、ステップＳ３００２で、「詳細設定」ボタンが押下されると、パソコン１００は、強調表示の各設定のダイアログを表示して、設定が行われると（ステップＳ３００８）、更新ありか否かチェックして（ステップＳ３００９）、更新があるときには、強調表示の更新値を反映させて（ステップＳ３０１０）、ステップＳ３００２に戻り、ステップＳ３００９で、更新がないときには、そのままステップＳ３００２に戻り、上記同様に処理する。
【０２１２】
ステップＳ３００２で、「ファイル作成」ボタンが押下されると、パソコン１００は、テキスト文と条件の入ったファイルを作成し（ステップＳ３０１１）、ステップＳ３００２に戻って、上記同様に処理する。
【０２１３】
ステップＳ３００２で、図４１に示すように、表示画面、回毎表示時間、表示回数、表示締切時間、強調表示方法の設定が行われると、パソコン１００は、当該か癖って位置を設定して（ステップＳ３０１２）、ステップＳ３００２に戻り、ステップＳ３００２で、「呼出」ボタンが押下されると、ファイルダイアログを表示して（ステップＳ３０１３）、ファイルのチェックを行う（ステップＳ３０１４）。
【０２１４】
ステップＳ３０１４で、ファイルがテキスト文のみであると、当該テキスト文を表示モニタに表示して（ステップＳ３０１５）、ステップＳ３００２に戻り、ファイルが全データであると、テキスト文と条件を表示モニタに表示して（ステップＳ３０１６）、ステップＳ３００２に戻って、上記同様に処理する。ステップＳ３０１４で、ファイルの呼出がない（キャンセルされた）ときには、パソコン１００は、そのままステップＳ３００２に戻って、上記同様に処理する。
【０２１５】
ステップＳ３００２で、ファイル呼出にチェックが入れられたときには、パソコン１００は、ファイル呼出を可能にして、情報のテキストの入力を不可にし（ステップＳ３０１７）、ステップＳ３００２に戻り、ステップＳ３００２で、情報のテキスト入力にチェックが入れられると、情報のテキストの入力を可能にして、ファイル呼出を不可にし（ステップＳ３０１８）、ステップＳ３００２に戻って、上記同様に処理する。
【０２１６】
＜オプション設定処理＞
上記図２０のメインメニュー画面Ｇ１において、「オプション設定」ボタンが押下されると、パソコン１００は、図４４に示すオプション設定処理（Ｓ５０００）に移行し、まず、図４５のオプション設定画面Ｇ９を一覧表の形で表示モニタに表示する（ステップＳ５００１）。
【０２１７】
オプション設定画面Ｇ９は、図４５に示すように、「インターバル時間設定」、「定型フォーマット設定」、「参照日設定」、「ローカル定数設定」、「画面非表示時間設定」及び「閉じる」の各ボタンを表示する。
【０２１８】
そして、パソコン１００は、オプション設定画面Ｇ９を表示すると、イベントの判別を行い、「閉じる」ボタンが押下されると、オプション設定画面Ｇ９を閉じて、オプション設定処理を終了する（ステップＳ５００３）。
【０２１９】
パソコン１００は、ステップＳ５００２で、「インターバル時間設定」、「定型フォーマット設定」、「参照日設定」、「ローカル定数設定」、「画面非表示時間設定」のいずれかのボタンが押下されると、当該押下されたボタンに対応する設定処理、すなわち、参照日設定処理（ステップＳ５１００）、インターバル時間設定処理（ステップＳ５２００）、ローカル定数設定処理（ステップＳ５３００）、画面非表示時間設定処理（ステップＳ５４００）及び定数フォーマット設定処理（ステップＳ５５００）に移行して、当該処理を終了すると、ステップＳ５００２に戻って、イベントの判別から上記同様に処理する。
【０２２０】
＜参照日設定処理＞
図４５のオプション設定画面で「参照日設定」ボタンが押下されると、パソコン１００は、図４６に示す参照日設定処理に移行し、まず、参照日情報があると、取得して、配置し（ステップＳ５１０１）、当該参照日情報を配置した図４７に示す参照日設定画面Ｇ１０を表示モニタに表示して（ステップＳ５１０２）、イベントの判別を行う（ステップＳ５１０３）。
【０２２１】
この参照日設定画面Ｇ１０には、図４７に示すように、テキスト入力の可能な参照日欄、「参照」ボタン、１日単位と週間単位を選択するチェックボックス、「ＯＫ」ボタン及び「キャンセル」ボタンが設けられている。
【０２２２】
ステップＳ５１０３で、「その他」のテキスト入力が参照日欄に行われると、パソコン１００は、各条件値（参照日）の入力を行わせて（ステップＳ５１０４）、ステップＳ５１０３に戻り、ステップＳ５１０３で、「参照」ボタンが押されると、カレンダーを表示し、カレンダーの中から選択して参照日を設定可能とし（ステップＳ５１０５）、ステップＳ５１０３に戻る。
【０２２３】
ステップＳ５１０３で、「ＯＫ」ボタンが押下されると、パソコン１００は、設定されている各条件の登録を行い（ステップＳ５１０６）、参照日設定画面Ｇ１０を閉じて（ステップＳ５１０７）、参照日設定処理を終了する。
【０２２４】
ステップＳ５１０３で、「キャンセル」ボタンが押下されると、パソコン１００は、入力されている各条件値の登録を行うことなく、参照日設定画面Ｇ１０を閉じて（ステップＳ５１０７）、参照日設定処理を終了する。
【０２２５】
＜インターバル時間設定処理＞
図４５のオプション設定画面で「インターバル時間設定」ボタンが押下されると、パソコン１００は、図４８に示すインターバル時間設定処理に移行し、まず、インターバル時間情報があると、取得して、配置し（ステップＳ５２０１）、当該インターバル時間情報を配置した図４９に示すインターバル時間設定画面Ｇ１１を表示モニタに表示して（ステップＳ５２０２）、イベントの判別を行う（ステップＳ５２０３）。
【０２２６】
このインターバル時間設定画面Ｇ１１には、図４９に示すように、セル数との関係を選択するチェックボックス、時間を入力する複数のテキストボックス、「ＯＫ」ボタン及び「キャンセル」ボタンが設けられている。
【０２２７】
ステップＳ５２０３で、「その他」のテキスト入力が行われると、パソコン１００は、各条件値（インターバル時間）の入力を行わせて（ステップＳ５２０４）、ステップＳ５２０３に戻る。
【０２２８】
ステップＳ５２０３で、「ＯＫ」ボタンが押下されると、パソコン１００は、設定されている各条件の登録を行い（ステップＳ５２０５）、インターバル時間設定画面Ｇ１１を閉じて（ステップＳ５２０６）、インターバル時間設定処理を終了する。
【０２２９】
ステップＳ５２０３で、「キャンセル」ボタンが押下されると、パソコン１００は、入力されている各条件値の登録を行うことなく、インターバル時間設定画面Ｇ１１を閉じて（ステップＳ５２０６）、インターバル時間設定処理を終了する。
【０２３０】
すなわち、図１９の処理Ａ１の過程において、パソコン１００で定型フォーマット３０３ａを使った画像１０３を作成し、ハードディスク１１１に格納しているが、定型フォーマット３０３ａには行数と列数が決まっている。デフォルトの定型フォーマット３０３ａを加工して、独自の定型フォーマット３０３ａを作成する際、行数と列数のいずれかまたは両方を変更する場合がある。この行数と列数の情報は、画像１０３の属性データとしてハードディスク１１１に格納される。
【０２３１】
その後で、図１９の処理Ａ６〜Ａ８の過程で、画像変換プログラム１０７は、文書名と頁番号を基に文書番号割当画像データ１０４ａから画像１０３の入っているファイルの在処を割り出し、画像１０３そのものをハードディスク１１１から取得する。
【０２３２】
このとき、行数と列数の情報も取得することができ、そこで、行数と列数を乗算したセル数の値を算出する。
【０２３３】
そして、上記図４９のインターバル時間設定画面Ｇ１１に示すように、セル数の値によってインターバル時間を決める。最初は、セル数と無関係の値で設定されているが、セル数と使用場所の事情に沿ってインターバル時間を設定することができる。なお、この設定情報は、リライタブル記録システム１のシステム情報の一つであり、各画像１０３が作成され登録する際、システム情報から画像情報としてコピーされる。
【０２３４】
＜ローカル定数設定処理＞
図４５のオプション設定画面で「ローカル定数設定」ボタンが押下されると、パソコン１００は、図５０及び図５１に示すローカル定数設定処理に移行し、まず、初回の一覧内の定義済みのローカル定数の表示開始値と表示終了値を算出する（ステップＳ５３０１）。次に、パソコン１００は、表示開始値から表示終了値の登録順のローカル定数の情報をデータベースＤＢから取得して、一覧に配置し（ステップＳ５３０２）、図５２に示すように、ローカル定数設定画面Ｇ１２を、一覧表の形で表示モニタに表示し（ステップＳ５３０３）、イベントを判定する（ステップＳ５３０４）。
【０２３５】
ローカル定数設定画面Ｇ１２では、一覧表の左下に、「先頭」、「前頁」、「次頁」、「後端」の各ボタンアイコンが表示されており、これらのボタンは、一覧表で表示しきれない他のローカル定数設定項目を見るときに使用される。また、ローカル定数設定画面Ｇ１２では、一覧表の一番下に、「削除」、「ＯＫ」、「キャンセル」の各ボタンアイコンが表示されている。図５２のローカル定数設定画面Ｇ１２の定義データの中からいずれか１つの定義データが選択されて反転表示を行った状態で、「削除」ボタンが押下されると、パソコン１００は、当該選択された定義データを仮削除の状態とし、削除になったことを示すために、画面上に印を示したりや文字表示条件を変える等の変化を付ける。また、図５２のローカル定数設定画面Ｇ１２で、「ＯＫ」ボタンが押下されると、入力内容をハードディスク１１１またはメモリ１０９内のローカル定数情報の保管場所に登録し、「キャンセル」ボタンが押下されると、入力内容を登録することはしない。また、パソコン１００は、「ＯＫ」と「キャンセル」のどちらが押下されても、最後にローカル定数設定画面Ｇ１２を閉じる。
【０２３６】
すなわち、図５０のステップＳ５３０４で、「ＯＫ」ボタンが押下されると、仮登録または仮削除の処理があるかチェックする（ステップＳ５３０４）。
【０２３７】
ステップＳ５３０５で、仮登録の処理があるときには、各条件値の登録を行い（ステップＳ５３０６）、ローカル定数設定画面Ｇ１２を閉じて（ステップＳ５３０７）、ローカル定数設定処理を終了する。
【０２３８】
ステップＳ５３０５で、仮削除の処理があるときには、パソコン１００は、各条件値の削除を行い（ステップＳ５３０８）、ローカル定数設定画面Ｇ１２を閉じて（ステップＳ５３０７）、ローカル定数設定処理を終了する。
【０２３９】
ステップＳ５３０５で、仮登録と仮削除のいずれの処理もないときには、パソコン１００は、文書番号割当一覧画面Ｇ３を閉じて（ステップＳ５３０７）、文書番号割当一覧処理を終了する。
【０２４０】
ステップＳ５３０４で、「キャンセル」ボタンが押下されると、パソコン１００は、ローカル定数設定画面Ｇ１２を閉じて（ステップＳ５３０７）、ローカル定数設定処理を終了する。
【０２４１】
そして、ステップＳ５３０４で、「削除」ボタンが押下されると、パソコン１００は、選択データがあるかチェックし（ステップＳ５３０９）、選択データがあるときには、削除する旨のメッセージを表示するとともに、当該選択データを仮削除して（ステップＳ５３１０）、ステップＳ５３０４に戻って、上記同様に処理する。
【０２４２】
ステップＳ５３０４で、データ選択が行われると、パソコン１００は、選択操作されたデータの欄を反転表示させ（ステップＳ５３１１）、ステップＳ５３０４に戻って、上記同様に処理する。
【０２４３】
ステップＳ５３０４で、「その他」のテキスト入力が行われると、パソコン１００は、各データの変更／新規入力を処理し（ステップＳ５３１２）、ステップＳ５３０４に戻って、上記同様に処理する。
【０２４４】
また、ステップＳ５３０４で、「先頭」、「前頁」、「次頁」、「後端」のいずれかが選択押下されると、パソコン１００は、次回の一覧内の登録順のローカル定数の表示開始値と表示終了値を算出し（ステップＳ５３１３）、この表示開始値から表示終了値の登録順のローカル定数情報をデータベースＤＢから取得して、一覧に配置して（ステップＳ５３１４）、ステップＳ５３０４に戻って、上記同様に処理する。
【０２４５】
＜画面非表示時間設定処理＞
図４５のオプション設定画面で「画面非表示時間設定」ボタンが押下されると、パソコン１００は、図５３に示す画面非表示時間設定処理に移行し、まず、非表示時間情報があれば、データベースＤＢから取得して一覧に配置する（ステップＳ５４０１）。
【０２４６】
次に、パソコン１００は、図５４（ａ）、（ｂ）に示した画像非表示日時設定画面Ｇ１３ａ、１３ｂを表示モニタに表示し（ステップＳ５４０２）、イベントのチェックを行う（ステップＳ５４０３）。
【０２４７】
この図５４（ａ）の画像非表示時間設定画面Ｇ１３ａは、週単位での設定を行っている画面であり、図５４（ｂ）の画像非表示時間設定画面Ｇ１３ｂは、長期休暇での設定を行っている画面である。図５４（ａ）の画像非表示時間設定画面Ｇ１３ａでは、非表示日の部分が曜日指定となっているが、図５４（ｂ）の画像非表示時間設定画面Ｇ１３ｂでは、非表示日の部分が日付指定となっており、その他の部分は変わりないが、図５４（ｂ）の画像非表示時間設定画面Ｇ１３ｂでは、「参照」ボタンが設けられていて、「参照」ボタンを押すことで、カレンダーが表示され、非表示日の設定の参照にすることができる。
【０２４８】
非表示方法としては、「装置内部に入る」に設定すると、表示領域部２２１に位置する広幅ＲＰ２０１に表示中の画像１０３の内容を広幅ＲＰ出力装置２００の中に入れて、表示領域部２２１から外すことで不可視にして非表示状態にする。逆に、「一旦消去する」に設定すると、ロール状の広幅ＲＰ２０１をスクロールして画像１０３の内容を白紙状態に消去し、画像１０３の内容を消去したログをメモリ１０９またはハードディスク１１１に保管する。
【０２４９】
パソコン１００は、この画像非表示日時設定画面Ｇ１３ａ、Ｇ１３ｂを利用して画像非表示時間設定処理で設定された設定情報を、図１９の処理Ａ３のルートで、更新印刷条件１０５の一部として、メモリ１０９またはハードディスク１１１に保管する。
【０２５０】
すなわち、ステップＳ５４０３で、その他の時間入力、非表示方法の設定が行われると、パソコン１００は、入力された各条件値の設定入力処理を行い（ステップＳ５４０４）、ステップＳ５４０３に戻って、イベントのチェックを行う（ステップＳ５４０３）。
【０２５１】
ステップＳ５４０３で、長期休暇がチェックされると、パソコン１００は、表示開始から表示終了日の表示欄と参照ボタンを表示して、図５４（ｂ）の画像非表示日時設定画面Ｇ１３ｂとし、入力された日付の入力値を表示し（ステップＳ５４０５）、ステップＳ５４０３に戻って、上記同様に処理する。
【０２５２】
ステップＳ５４０３で、時間指定がチェックされると、パソコン１００は、表示終了時刻、表示開始時刻の欄を全輝度か表示にし（ステップＳ５４０６）、ステップＳ５４０３に戻って、上記同様に処理する。
【０２５３】
また、ステップＳ５４０３で、図５４（ｂ）の画像非表示日時設定画面Ｇ１３ｂの「参照」ボタンが押下されると、カレンダを表示して、カレンダによる表示開始日、表示終了日の設定を可能とし（ステップＳ５４０７）、ステップＳ５４０３に戻って、上記同様に処理する。
【０２５４】
さらに、ステップＳ５４０３で、時間項目の一日中がチェックされると、パソコン１００は、表示終了時刻、表示開始時刻の欄を半輝度または非表示にし（ステップＳ５４０８）、ステップＳ５４０３に戻って、上記同様に処理する。
【０２５５】
また、ステップＳ５４０３で、日付項目の週単位がチェックされると、パソコン１００は、月曜日から日曜日のチェック７個を画面表示して、図５４（ａ）の画像非表示日時設定画面Ｇ１３ａとし、ステップＳ５４０３に戻って、上記同様に処理する。
【０２５６】
そして、ステップＳ５４０３で、「ＯＫ」ボタンが押下されると、パソコン１００は、入力されている各条件値を登録し（ステップＳ５４１０）、画像非表示日時設定画面Ｇ１３ａ、１３ｂを閉じて（ステップＳ５４１１）、画像非表示日時設定処理を終了する。
【０２５７】
ステップＳ５４０３で、「キャンセル」ボタンが押下されると、パソコン１００は、入力されている各条件値の登録を行うことなく、画像非表示日時設定画面Ｇ１３ａ、１３ｂを閉じて（ステップＳ５４１１）、画像非表示日時設定処理を終了する。
【０２５８】
＜定型フォーマット設定処理＞
図４５のオプション設定画面で「定型フォーマット設定」ボタンが押下されると、パソコン１００は、図５５及び図５６に示す定型フォーマット設定処理に移行し、まず、初回の一覧内の登録順の定型フォーマット情報の表示開始値と表示終了値を算出する（ステップＳ５５０１）。次に、パソコン１００は、表示開始値から表示終了値の登録順の定型フォーマット情報を定型フォーマットＤＢ３０３から取得して、一覧に配置し（ステップＳ５５０２）、図５７に示すように、定型フォーマット設定画面Ｇ１４を、一覧表の形で表示モニタに表示して（ステップＳ５５０３）、イベントの判定を行う（ステップＳ５５０４）。
【０２５９】
定型フォーマット設定画面Ｇ１４では、一覧表の左下に、「ローカル定数設定」、「先頭」、「前頁」、「中間」、「次頁」、「後端」、「削除」、「ＯＫ」、「キャンセル」の各ボタンアイコンが表示されている。
【０２６０】
図５７の定型フォーマット設定画面Ｇ１４では、定型フォーマット名、仮行数及び仮桁数（仮列数）を設定する。この定型フォーマット設定画面Ｇ１４では、図５２のローカル定数設定画面Ｇ１２で設定された定数と関連付けられた定義データが用いられ、仮行数または又列数の値として設定される。なお、仮が付いているのは、広幅ＲＰ２０１が縦長だったり横長だったりした場合、行と列の入れ替えを可能としているからである。
【０２６１】
すなわち、  そして、定型フォーマット処理においては、例えば、日程表の場合、職場の社員数や１ヵ月の勤務日数、１日の勤務時間に基づいて行数と桁数が定められ、どのデータも定数が決まっている。日程表だけであれば、社員が２０人、勤務日数が２０日、勤務時間が８時間と記憶すればよいが、定型フォーマット３０３ａが多数になると、行数と桁数に入れる定数データも多くなり、数値で記憶するだけでも負担が大きくなる上に、新しいデータを入力する際、誤入力を招き易い。
【０２６２】
さらに、長期間、一定の数値で取り扱うと、人事異動で社員数が、例えば、２２人に増えたのに、以前の社員数が長期記憶されているため、２０人と誤入力をしてしまう場合がある。
【０２６３】
また、既存の定型フォーマットの行数または列数を数値で取り扱っていると、更新時に修正が必要になり、定型フォーマットの数が多い程、その更新作業が増えて大きな負担となる。
【０２６４】
そこで、本実施例では、前もって定義データと定数の関連付けを行う。年月日や時間等のように一般的で汎用な定数の場合、システムが用意する。例えば、「１月日数」＝３１日、「１日時間数」＝２４時間が用意される。それに対し、職場や地域別等のような局地的な場所しか使用しない定数の場合、それぞれの使用者が前もって定義データ名と定数の関連付けを自ら行う。図５２のローカル定数設定画面Ｇ１２において、例えば、「営業１課社員」＝３０名、「営業日」＝２０日を設定する。
【０２６５】
また、後述する図６１の画像フォーマット設定画面Ｇ１５では、画像名と参照する定型フォーマット名と行数、桁数を設定する。定型フォーマット名は、図５７の定型フォーマット設定画面Ｇ１４で設定した定型フォーマット名を入力すると、図５７の定型フォーマット設定画面Ｇ１４で設定した仮行数と仮桁数の値がそのまま行数と桁数になって表示され、その後、画像の内容に応じて行数と桁数の値を増減すればよい。その後、行数と列数を乗算したセル数の値に基づいて、パソコン１００からの別の定型フォーマットの印刷が開始されるまでのインターバル時間を自動的に設定し、広幅ＲＰ出力装置２００が自動的に設定したインターバル時間後にパソコン１００からの別の定型フォーマット３０３ａの印刷を行う。
【０２６６】
また、定型フォーマット３０３ａの表に入る文字の向きが縦長であるかまたは横長であるかは、図５７の定型フォーマット設定画面Ｇ１４で、まず設定され、図５７の定型フォーマット設定画面Ｇ１４での設定が、図６１の画像フォーマット設定画面Ｇ１５での設定値に流用されて、最終的に、図６１の画像フォーマット設定画面Ｇ１５での設置値が画像における表の文字の向きとなる。
【０２６７】
図６１の画像フォーマット設定画面Ｇ１５での文字の向きの設定値が横書きの場合、広幅ＲＰ２０１の表示頁の範囲内に定型フォーマット３０３ａの表の行が最大何行入るかを確認する必要がある。そのためには、セルの垂直方向の長さの値を定めて、行数とかけて算出し、広幅ＲＰ２０１の長さに収まるかどうかを確認する必要がある。表に入る文字のフォントサイズは、遠方から視認できるサイズである必要がある。
【０２６８】
例えば、図５８（ａ）は、ある職場の個人予定表であり、８行分、すなわち、８人分の予定が入るが、実際は、１１人いるので、３人分表示できない。そこで、頁機能ボタン２２４ｂ→「２」のテンキーボタン２２３→切替機能ボタン２２４ｃを押下することで、図５８（ｂ）のように９人以後の予定が表示される。逆に、８人目以前の予定を見る時は、頁機能ボタン２２４ｂ→「１」のテンキーボタン２２３→切替機能ボタン２２４ｃを押下することで、再び図５８（ａ）の内容が画面に描画される。
【０２６９】
従来のホワイトボードで使用する表は、一般的に、Ａ１縦サイズで大体２０行前後であるので、それに倣い、広幅ＲＰ２０１の表示頁の範囲内に描画する最大行数は２０行になる。
【０２７０】
一方、図６１の画像フォーマット設定画面Ｇ１５での文字の向きの設定値が縦書きの場合、広幅ＲＰ２０１の表示頁の範囲内に定型フォーマット３０３ａの表の列が最大何列入るかを確認する必要がある。そのためには、セルの水平方向の幅の値を定めて、列数とかけて算出し、広幅ＲＰ２０１の幅に収まるかどうかを確認する必要がある。表に入る文字のフォントサイズは、遠方から視認できるサイズである必要がある。
【０２７１】
そして、上記図５５のステップＳ５５０４で、「ＯＫ」ボタンが押下されると、仮登録または仮削除の処理があるかチェックする（ステップＳ５５０５）。
【０２７２】
ステップＳ５５０５で、仮登録の処理があるときには、各条件値の登録を行い（ステップＳ５５０６）、定型フォーマット設定画面Ｇ１４を閉じて（ステップＳ５５０７）、定型フォーマット設定処理を終了する。
【０２７３】
ステップＳ５５０５で、仮削除の処理があるときには、パソコン１００は、各条件値の削除を行い（ステップＳ５５０８）、定型フォーマット設定画面Ｇ１４を閉じて（ステップＳ５５０７）、定型フォーマット設定処理を終了する。
【０２７４】
ステップＳ５５０５で、仮登録と仮削除のいずれの処理もないときには、パソコン１００は、定型フォーマット設定画面Ｇ１４を閉じて（ステップＳ５５０７）、定型フォーマット設定処理を終了する。
【０２７５】
ステップＳ５５０４で、「キャンセル」ボタンが押下されると、パソコン１００は、定型フォーマット設定画面Ｇ１４を閉じて（ステップＳ５５０７）、定型フォーマット設定処理を終了する。
【０２７６】
そして、ステップＳ５５０４で、図５６に示すように、「削除」ボタンが押下されると、パソコン１００は、選択情報があるかチェックし（ステップＳ５５０９）、選択情報があるときには、削除する旨のメッセージを表示するとともに、当該選択情報を仮削除して（ステップＳ５５１０）、ステップＳ５５０４に戻って、上記同様に処理する。
【０２７７】
ステップＳ５５０４で、文書選択が行われると、パソコン１００は、選択操作された文書の欄を反転表示させ（ステップＳ５５１１）、ステップＳ５５０４に戻って、上記同様に処理する。
【０２７８】
ステップＳ５５０４で、「ローカル定数設定」ボタンが押下されると、パソコン１００は、上記図５０及び図５１のローカル定数設定処理を実行し（ステップＳ５３００）、ステップＳ５５０４に戻って、上記同様に処理する。
【０２７９】
また、ステップＳ５５０４で、「行数」、「列数」、「縦書き」の選択入力が行われると、パソコン１００は、選択情報を取得し（ステップＳ５５１２）、値が変更されたかチェックする（ステップＳ５５１３）。ステップＳ５５１３で、値が変更されていると、パソコン１００は、変更列と変更値を一時保管し（ステップＳ５５１４）、ステップＳ５５０４に戻って、上記同様に処理する。ステップＳ５５１３で、値が変更されていないときには、パソコン１００は、値の一時保管を行うことなく、ステップＳ５５０４に戻って、上記同様に処理する。
【０２８０】
ステップＳ５５０４で、「先頭」、「前頁」、「中間」、「次頁」、「後端」のいずれかが選択押下されると、パソコン１００は、次回の一覧内の登録順の定型フォーマット情報の表示開始値と表示終了値を算出し（ステップＳ５５１５）、この表示開始値から表示終了値の登録順の定型フォーマット情報を定型フォーマットＤＢ３０３から取得して、一覧に配置して（ステップＳ５５１６）、ステップＳ５５０４に戻って、上記同様に処理する。
【０２８１】
＜画像フォーマット設定処理＞
図２０のメインメニュー画面Ｇ１で、「画像フォーマット設定」のアイコンが押下されると、パソコン１００は、図５９及び図６０に示す画像フォーマット設定処理（図２１のステップＳ６０００の処理）に移行し、まず、初回の一覧内の文書番号の表示開始値と表示終了値を算出する（ステップＳ６００１）。次に、パソコン１００は、表示開始値から表示終了値の文書番号が指す画像情報をデータベースＤＢから取得して、一覧に配置し（ステップＳ６００２）、図６１に示すように、画像フォーマット設定画面Ｇ１５を、一覧表の形で表示モニタに表示して（ステップＳ６００３）、イベントの判別を行う（ステップＳ６００４）。
【０２８２】
この図６１の画像フォーマット設定画面Ｇ１５は、一覧表の左下に、「ローカル定数設定」、「先頭」、「前頁」、「中間」、「次頁」、「後端」、「削除」、「ＯＫ」、「キャンセル」の各ボタンアイコンが表示されており、また、画像名、フォーマット名、行数、列数及び縦書きを設定する。
【０２８３】
そして、上記図５９のステップＳ６００４で、「ＯＫ」ボタンが押下されると、仮登録または仮削除の処理があるかチェックする（ステップＳ６００５）。
【０２８４】
ステップＳ６００５で、仮登録の処理があるときには、各条件値の登録を行い（ステップＳ６００６）、画像フォーマット設定画面Ｇ１５を閉じて（ステップＳ６００７）、画像フォーマット設定処理を終了する。
【０２８５】
ステップＳ６００５で、仮削除の処理があるときには、パソコン１００は、各条件値の削除を行い（ステップＳ６００８）、画像フォーマット設定画面Ｇ１５を閉じて（ステップＳ６００７）、画像フォーマット設定処理を終了する。
【０２８６】
ステップＳ６００５で、仮登録と仮削除のいずれの処理もないときには、パソコン１００は、そのまま画像フォーマット設定画面Ｇ１５を閉じて（ステップＳ６００７）、画像フォーマット設定処理を終了する。
【０２８７】
ステップＳ６００４で、「キャンセル」ボタンが押下されると、パソコン１００は、画像フォーマット設定画面Ｇ１５を閉じて（ステップＳ６００７）、画像フォーマット設定処理を終了する。
【０２８８】
そして、ステップＳ６００４で、図６０に示すように、「削除」ボタンが押下されると、パソコン１００は、選択文書があるかチェックし（ステップＳ６００９）、選択文書があるときには、削除する旨のメッセージを表示するとともに、当該選択文書の情報を仮削除して（ステップＳ６０１０）、ステップＳ６００４に戻って、上記同様に処理する。
【０２８９】
ステップＳ６００４で、文書選択が行われると、パソコン１００は、選択操作された文書の欄を反転表示させ（ステップＳ６０１１）、ステップＳ６００４に戻って、上記同様に処理する。
【０２９０】
ステップＳ６００４で、「ローカル定数設定」ボタンが押下されると、パソコン１００は、上記図５０及び図５１のローカル定数設定処理を実行し（ステップＳ５３００）、ステップＳ６００４に戻って、上記同様に処理する。
【０２９１】
また、ステップＳ６００４で、「行数」、「列数」、「縦書き」の選択入力が行われると、パソコン１００は、選択文書の情報を取得し（ステップＳ６０１２）、値が変更されたかチェックする（ステップＳ６０１３）。ステップＳ６０１３で、値が変更されていると、パソコン１００は、変更列と変更値を一時保管し（ステップＳ６０１４）、ステップＳ６００４に戻って、上記同様に処理する。ステップＳ６０１３で、値が変更されていないときには、パソコン１００は、値の一時保管を行うことなく、ステップＳ６００４に戻って、上記同様に処理する。
【０２９２】
ステップＳ６００４で、「先頭」、「前頁」、「中間」、「次頁」、「後端」のいずれかが選択押下されると、パソコン１００は、次回の一覧内の登録順の画像フォーマット情報の表示開始値と表示終了値を算出し（ステップＳ６０１５）、この表示開始値から表示終了値の登録順の画像フォーマット情報をデータベースＤＢから取得して、一覧に配置して（ステップＳ６０１６）、ステップＳ６００４に戻って、上記同様に処理する。
【０２９３】
以上の処理により、各種設定処理が完了し、この設定内容に応じて、広幅ＲＰ出力装置２００の広幅ＲＰ２０１への画像の印刷処理（表示処理）が行われる。以下、この印刷処理について、説明する。
【０２９４】
＜基本印刷処理＞
リライタブル記録システム１は、パソコン１００のＣＰＵ１０１が、制御プログラム１０８に基づいて、図６２及び図６３に示すように処理する。この印刷処理は、リライタブル記録システム１の電源が投入されており、プログラムが起動されている限り、無限ループで実施される。
【０２９５】
パソコン１００のＣＰＵ１０１は、図６２に示すように、まず、印刷タスク予定リスト１１４を読み込み（ステップＳ１０００１）、緊急・重大情報印刷割込があるかチェックする（ステップＳ１０００２）。
【０２９６】
ステップＳ１０００２で、緊急・重大情報印刷割込があるときには、制御プログラム１０８は、後述する緊急・重大情報印刷処理を実行し（ステップＳ１１０００）、ステップＳ１０００２に戻って、上記同様に処理する。
【０２９７】
ステップＳ１０００２で、緊急・重大情報印刷割込がないときには、制御プログラム１０８は、画像更新による表示切替の割込があるかチェックし（ステップＳ１０００３）、画像更新による表示切替の割込があると、後述する画像更新による表示切替割込処理を実行し（ステップＳ１２０００）、印刷を実施するのか取り止めにするのか判別する（ステップＳ１０００４）。
【０２９８】
ステップＳ１０００４で、印刷を取り止めする場合には、制御プログラム１０８は、ステップＳ１０００２に戻って、上記同様に処理し、印刷を実行する場合には、ステップＳ１００１０に移行して、時間監視プログラム１１３からシステム日時を取得する。
【０２９９】
ステップＳ１０００３で、画像更新による表示切替割込が無いときには、制御プログラム１０８は、未確認または新規発生の非表示中の情報があるかチェックし（ステップＳ１０００５）、未確認または新規発生の非表示中の情報があるときには、当該非表示中の情報の表示条件（非表示開始日時を含む条件）を取得し（ステップＳ１０００６）、時間監視プログラム１１３からシステム日時を取得する（ステップＳ１００１０）。
【０３００】
ステップＳ１０００５で、未確認または新規発生の非表示中の情報がないときには、制御プログラム１０８は、印刷タスク予定リスト１１４にタスクが最低限１個あるかチェックし（ステップＳ１０００７）、印刷タスク予定リスト１１４に１つもタスクがないときには、ステップＳ１０００１に戻って、上記同様に処理する。
【０３０１】
ステップＳ１０００７で、印刷タスク予定リスト１１４に１つでもタスクがあると、制御プログラム１０８は、リストの先頭文書の表示条件を取得したかチェックし（ステップＳ１０００８）、表示条件を所得していないときには、リストの先頭文書の表示条件を取得して（ステップＳ１０００９）、時間監視プログラム１１３からシステム日時を取得する（ステップＳ１００１０）。
【０３０２】
ステップＳ１０００８で、印刷タスク予定リスト１１４の先頭文書の表示条件を既に取得しているときには、制御プログラム１０８は、ステップＳ１００１０に移行して、時間監視プログラム１１３からシステム日時を取得する。
【０３０３】
制御プログラム１０８は、システム日時を取得すると、図６３に示すように、取得したシステム日時は表示開始日時に達しているかチェックし（ステップＳ１００１１）、システム日時が表示開始日時に達していないときには、ステップＳ１０００１に戻って、上記同様に処理する。
【０３０４】
ステップＳ１００１１で、システム日時が表示開始日時に達していると、制御プログラム１０８は、現在表示中の画像があるかチェックし（ステップＳ１００１２）、表示中の画像がないときには、後述する画像形成・印刷処理を実行する（ステップＳ１３０００）。制御プログラム１０８は、画像形成・印刷処理（ステップＳ１３０００）を実行すると、次回のタスクを先頭にするように印刷タスク予定リスト１１４を更新し（ステップＳ１００１３）、ステップＳ１０００１に戻って、上記同様に処理する。
【０３０５】
ステップＳ１００１２で、表示中の画像があるときには、制御プログラム１０８は、後述する画像切替予告処理を行い（ステップＳ１４０００）、画像切替予告処理を行うと、広幅ＲＰ出力装置２００からの印刷要請の割込（タイムアップ時間到達も含む）があるかチェックする（ステップＳ１００１４）。
【０３０６】
ステップＳ１００１４で、印刷要請の割込またはタイムアップ時間到達があると、制御プログラム１０８は、ステップＳ１３０００に移行して、画像形成・印刷処理を実行し（ステップＳ１３０００）、次回のタスクを先頭にするように印刷タスク予定リスト１１４を更新して（ステップＳ１００１３）、ステップＳ１０００１に戻って、上記同様に処理する。
【０３０７】
ステップＳ１００１４で、印刷要請の割込とタイムアップ時間到達のいずれも無いときには、制御プログラム１０８は、ステップＳ１０００２に移行して、緊急・重大情報印刷の割込があるかのチェック処理から上記同様に処理する。
【０３０８】
＜画像非表示の表示処理＞
パソコン１００は、上記画像表示を行っているときに、上記画像非表示の設定に基づいて、非表示にする非表示処理を行う。
【０３０９】
すなわち、パソコン１００は、図５４の上記画像非表示日時設定画面Ｇ１３ａ、Ｇ１３ｂを利用して画像非表示時間設定処理で設定された設定情報を、図１９の処理Ａ３のルートで、更新印刷条件１０５の一部として、メモリ１０９またはハードディスク１１１に保管する。
【０３１０】
次に、パソコン１００は、処理Ａ４のルートで、時間監視プログラム１１３がパソコン１００内のシステム日時を取得して、画像非表示日時設定画面Ｇ１３ａ、Ｇ１３ｂでの設定情報と照らし合わせる。
【０３１１】
時間監視プログラム１１３は、システム日時が画像非表示日時設定画面Ｇ１３ａ、Ｇ１３ｂで設定された非表示時間帯の範囲内、すなわち、表示終了時間から表示開始時間までの範囲に一致すると、制御プログラム１０８に、その旨を報告し（図１９の処理Ａ５）、制御プログラム１０８が、非表示方法を参照して、画像変換プログラム１０７に非表示方法で表示を行うように指示する（図１９の処理Ａ６〜Ａ７）。
【０３１２】
なお、「装置内部に入る」方法で非表示とする場合、画像変換プログラム１０７は、広幅ＲＰ出力装置２００に対して、広幅ＲＰ２０１をスクロールして、表示中の画像１０３がある頁を広幅ＲＰ出力装置２００の中に入れて非可視で非表示するよう指示し、広幅ＲＰ出力装置２００は、その指示に従った作動を行う（図１９の処理Ａ１０〜Ａ１１）。
【０３１３】
一方、「一旦消去する」方法で非表示とする場合、画像変換プログラム１０７は、広幅ＲＰ出力装置２００に対して、広幅ＲＰ２０１をスクロールしながら表示中の画像１０３の内容を消去して、広幅ＲＰ出力装置２００の中に入れるよう指示し、広幅ＲＰ出力装置２００は、その指示に従った作動を行う。その際、パソコン１００は、表示中の画像１０３内容の消去作業のログをメモリ１０９かハードディスク１１１に保管する（図１９のＡ１０〜Ａ１２）。
【０３１４】
そして、上記「装置内部に入る」方法で非表示とした後、図１９の処理Ａ４のルートで、時間監視プログラム１１３がパソコン１００内のシステム日時を取得して画像非表示日時設定画面Ｇ１３ａ、Ｇ１３ｂでの設定情報と照らし合わせて、パソコン１００内のシステム日時を取得し、表示時間帯の範囲内、すなわち、表示開始時間から表示終了時間までの範囲内に一致すると、時間監視プログラム１１３は、制御プログラム１０８に、その旨を報告する（図１９の処理Ａ５）。制御プログラム１０８は、画像変換プログラム１０７に、装置内部に入れて非表示となっている広幅ＲＰ２０１を表示領域部２２１に位置するようにスクロールさせて、画像の再表示を行うように指示する（図１９の処理Ａ６〜Ａ７）。
【０３１５】
画像変換プログラム１０７は、広幅ＲＰ出力装置２００に対して、広幅ＲＰ２０１をスクロールして、表示中の画像１０３がある頁を装置２００の中に入れて非可視にしていた表示中の画像１０３のある頁を、可視部分に出すよう指示し、広幅ＲＰ出力装置２００はその指示に従った作動を行う（図１９の処理Ａ１０〜Ａ１１）。
【０３１６】
一方、上記「一旦消去する」方法で非表示とした後、図１９の処理Ａ４のルートで、時間監視プログラム１１３がパソコン１００内のシステム日時を取得して画像非表示日時設定画面Ｇ１３ａ、Ｇ１３ｂでの設定情報と照らし合わせて、パソコン１００内のシステム日時を取得し、表示時間帯の範囲内、すなわち、表示開始時間から表示終了時間までの範囲内に一致すると、時間監視プログラム１１３は、制御プログラム１０８に、その旨を報告する（図１９の処理Ａ５）。制御プログラム１１３は、画像変換プログラム１０７に保管していた画像を広幅ＲＰ２０１に再描画して表示するように指示する（図１９の処理Ａ６〜Ａ７）。
【０３１７】
画像変換プログラム１０７は、消去した画像１０３の内容が保管されているメモリ１０９またはハードディスク１１１から、再び画像１０３の内容を取り出し（図１９の処理Ａ７〜Ａ８）、画像１０３を印刷バッファ１０２に展開して他の印刷条件を加味して出力内容に仕立てて更新印刷条件１０５とともに広幅ＲＰ出力装置２００へ渡す（図１９の処理Ａ９、Ａ１０）。
【０３１８】
次に、広幅ＲＰ出力装置２００は、渡された画像１０３をハードディスク２０７に格納し、更新印刷条件１０５をメモリ２０８に格納した後、広幅ＲＰ２０１に画像１０３を印刷する。
【０３１９】
＜緊急・重大情報印刷処理＞
緊急・重大情報印刷時のデータの流れは、図４３に示したような流れであり、緊急・重大情報印刷処理は、図６４に示すように処理される。
【０３２０】
すなわち、緊急・重大情報印刷処理では、制御プログラム１０８は、図６４に示すように、緊急・重大情報の内容と表示条件を取得し（ステップＳ１１００１）、表示画面がある広幅ＲＰ出力装置２００を探索して（ステップＳ１１００２）、探索結果を判定する（ステップＳ１１００３）。
【０３２１】
ステップＳ１１００３で、探索結果がＯＫであると、制御プログラム１０８は、緊急・重大情報の内容を画像バッファ１０６に展開し、印刷用画像を形成して印刷バッファ１０２にコピーする（ステップＳ１１００４）。
【０３２２】
次に、制御プログラム１０８は、広幅ＲＰ出力装置２００の電源を画像形成可能な通常モードにし（ステップＳ１１００５）、印刷バッファ１０２の印刷用画像と表示条件を広幅ＲＰ出力装置２００に送る（ステップＳ１１００６）。
【０３２３】
広幅ＲＰ出力装置２００は、印刷バッファ１０２の印刷用画像と表示条件が送られてくると、当該印刷用画像を広幅ＲＰ２０１に印刷し、表示条件に基づいて発音、発光、機能ボタン２２４の点滅を行う（ステップＳ１１００７）。
【０３２４】
次に、制御プログラム１０８は、時間監視プログラム１１３（図４３では図示略）からシステム日時を取得して、経過時間を算出し（ステップＳ１１００９）、経過時間（システム日時）が表示時間になるまで、待つ（ステップＳ１１０１０、Ｓ１１００９）。
【０３２５】
ステップＳ１１０１０で、システム日時が表示時間になると、制御プログラム１０８は、発音、発光、機能ボタン２２４の点滅を行っているときには、これらの動作を解除して、広幅ＲＰ出力装置２００を電源の消費を削減する省エネモードに落とし（ステップＳ１１０１１）、緊急・重大情報印刷の内容を印刷ログに書き込んで（ステップＳ１１０１２）、緊急・重大情報印刷処理を終了する。
【０３２６】
ステップＳ１１００３で、探索結果がＮＧのときには、制御プログラム１０８は、指定の表示画面が無い旨のメッセージを、パソコン１００の表示モニタに表示し（ステップＳ１１０１３）、緊急・重大情報印刷の内容を印刷ログに書き込んで（ステップＳ１１０１２）、緊急・重大情報印刷処理を終了する。
【０３２７】
＜画像更新による表示切替割込処理＞
図６２の画像更新による表示切替割込処理（ステップＳ１２０００）は、図６５に示すように処理され、制御プログラム１０８は、まず、ファイル情報を取得して（ステップＳ１２００１）、印刷タスク予定リスト１１４に登録されされているかチェックする（ステップＳ１２００２）。
【０３２８】
ステップＳ１２００２で、印刷タスク予定リスト１１４に登録されていると、制御プログラム１０８は、リスト中の文書の印刷条件を取得し（ステップＳ１２００３）、印刷条件を判定する（ステップＳ１２００４）。
【０３２９】
逆に、ステップＳ１２００２で、印刷タスク予定リスト１１４に登録されていないときには、制御プログラム１０８は、印刷取止のフラグを立てて（ステップＳ１２０１４）、画像更新による表示切替割込処理を終了する。
【０３３０】
ステップＳ１２００４で、印刷条件が直ぐ印刷であると、制御プログラム１０８は、時間監視プログラム１１３からシステム時刻を取得し（ステップＳ１２００５）、印刷条件の印刷開始時刻をシステム時刻＋αにする（ステップＳ１２００６）。
【０３３１】
次に、制御プログラム１０８は、印刷タスク予定リストの更新を行い（ステップＳ１２００７）、印刷実施のフラグを立てて（ステップＳ１２００８）、画像更新による表示切替割込処理を終了する。
【０３３２】
ステップＳ１２００４で、印刷条件がインターバル時間後に印刷するであると、制御プログラム１０８は、時間監視プログラム１１３からシステム時刻を取得し（ステップＳ１２００９）、印刷条件の印刷開始時刻を（システム時刻＋インターバル時間）にして（ステップＳ１２０１０）、印刷タスク予定リスト１１４の更新を行う（ステップＳ１２００７）。
【０３３３】
次に、制御プログラム１０８は、印刷実施のフラグを立てて（ステップＳ１２００８）、画像更新による表示切替割込処理を終了する。
【０３３４】
ステップＳ１２００４で、印刷条件が指定の開始日時に印刷するであると、制御プログラム１０８は、時間監視プログラム１１３からシステム時刻を取得し（ステップＳ１２０１１）、指定日時が有効かチェックする（ステップＳ１２０１２）。
【０３３５】
ステップＳ１２０１２で、指定日時が有効のときには、制御プログラム１０８は、印刷実施のフラグを立てて（ステップＳ１２００８）、画像更新による表示切替割込処理を終了する。
【０３３６】
ステップＳ１２０１２で、指定日時が無効のときには、制御プログラム１０８は、設定無効のメッセージをパソコン１００の表示モニタに表示し（ステップＳ１２０１３）、印刷取止のフラグを立てて（ステップＳ１２０１４）、画像更新による表示切替割込処理を終了する。
【０３３７】
＜文書更新時の印刷処理＞
そして、上記文書更新時に印刷する場合のデータの流れは、図６６に示すような流れとなる。ただし、更新画像を読み込んで画像バッファ１０６に格納してからの処理、すなわち、図６６の処理Ｃ７以後の処理は、図１９の処理と同様であるため、説明を省略し、処理Ｃ７までの処理Ｃ１〜Ｃ６について説明する。
【０３３８】
文書更新割込プログラム１１５にアプリケーションから文書更新発生時の連絡がくると、文書更新割込プログラム１１５が、更新文書の情報を取得し（処理Ｃ１）、メモリ１０９またはハードディスク１１１の印刷タスク予定リスト１１４を参照して、その文書が登録済みであるかをチェックする。文書更新割込プログラム１１５は、その文書が登録済みでないときには、処理を打ち切り（処理Ｃ２）、逆に、その文書が印刷タスク予定リスト１１４に登録済みであれば、文書更新割込プログラム１１５は、制御プログラム１０８を経由して、画像変換プログラム１０７の起動を促す（処理Ｃ３）。
【０３３９】
画像変換プログラム１０７は、メモリ１０９またはハードディスク１１１からその更新文書の更新印刷条件１０５を参照して、どう処理するかを決める（処理Ｃ４）。すなわち、更新後すぐ印刷する場合、印刷開始日時に印刷する場合、インターバル時間経過後に印刷する場合に分かれて処理を行う。
【０３４０】
まず、更新後すぐ印刷する場合、画像変換プログラム１０７は、更新文書の情報から文書名と頁番号を基に文書番号割当画像データから画像１０３が入っているファイルの所在を割り出し、画像１０３そのものを取得して、画像バッファ１０６に格納する（処理Ｃ５〜Ｃ６）。画像バッファ１０６に格納した後の処理は、図１９の処理Ａ７〜Ａ１２と同様である。
【０３４１】
次に、印刷開始日時に印刷する場合、すなわち、処理Ｃ４の過程で、更新文書の更新印刷条件１０５を取得していて、その条件には参照日と開始時刻が含まれており、文書が更新されているかいないかが違うだけで、印刷開始日時のチェック手順は、既に処理Ａ４と処理Ａ５の手順と同じである。
【０３４２】
最後に、インターバル時間経過後に印刷する場合、図２８（ａ）、（ｂ）の表示日時割当設定画面Ｇ４ａ、Ｇ４ｂにおいて、「一定間隔時間（＝インターバル時間）の経過後に印刷」を選択した場合、例えば、１０分経過すると印刷するという設定になっていると、印刷対象の画像１０３内容が更新された時刻が仮に１３時であると、インターバル時間を加算した値が印刷開始日時１３時１０分となって設定される。
【０３４３】
時間監視プログラム１１３は、設定された印刷開始日時、すなわち、１３時１０分の値を取得して、システム日時を監視し、システム日時が１３時１０分、または、１３時１０分の直前に指し掛かった時に、画像１０３の最新内容を印刷バッファ１０２経由で広幅ＲＰ出力装置２００に渡して、広幅ＲＰ２０１に印刷させる。
【０３４４】
この更新での画像の書き換えを行った場合、図６７に示すように、表示内容に変更があったことを明確にする処理を行ってもよい。
【０３４５】
すなわち、図６７は、その表示内容で新宿氏の行動が加えられ、変化があった場合、広幅ＲＰ２０１に書き換えて印刷したものである。閲覧者は、通常、変更前の内容を記憶していないか、書き変わった瞬間を見ていないと、内容の変化に気が付かないことが多い、そこで、広幅ＲＰ出力装置２００は、広幅ＲＰ２０１を２画面分用意して、上下スクロールして画像内容の書き換えや消去を行う場合、変更のあった画像１０３を、別画面の広幅ＲＰ２０１に異なる色を施して、その異なる色の広幅ＲＰ２０１に印刷して表示する。例えば、図６７の場合、２頁目の広幅ＲＰ２０１に薄い黄色（図６７でハッチングを施した部分）を施して、図６７の表示内容で新宿氏の行動が加えられた内容を印刷する。
【０３４６】
このようにすると、更新前の内容を１頁目の白色の広幅ＲＰ２０１に印刷して表示していると、更新されたことが一目で分かる。図６７の場合、２度目の更新があった場合は、今度は、２度目の更新内容を１頁目の白色の広幅ＲＰ２０１に印刷して表示する。
【０３４７】
＜画像形成・印刷処理＞
図６３の画像形成・印刷処理（ステップＳ１３０００）は、図６８に示すように処理され、制御プログラム１０８は、まず、文書番号を先頭文書の画像と印刷条件を取得する（ステップＳ１３００１）。
【０３４８】
制御プログラム１０８は、画像を画像バッファ１０６に展開し（ステップＳ１３００２）、指定の定型フォーマット３０３ａを定型フォーマットＤＢ３０３から取得する（ステップＳ１３００３）。制御プログラム１０８は、取得した指定の定型フォーマット３０３ａを画像バッファ１０６の内容に合成する形で展開し（ステップＳ１３００４）、更新時刻を印刷するかチェックする（ステップＳ１３００５）。
【０３４９】
ステップＳ１３００５で、更新時刻を印刷するときには、制御プログラム１０８は、更新時刻データを画像バッファ１０６の展開して（ステップＳ１３００６）、画像バッファ１０６の内容を印刷バッファ１０２にコピーし（ステップＳ１３００７）、更新時刻を印刷しないときには、そのまま画像バッファ１０６の内容を印刷バッファ１０２にコピーする（ステップＳ１３００７）。
【０３５０】
次に、制御プログラム１０８は、広幅ＲＰ出力装置２００の電源を省エネモードになっていれば、通常モードにして（ステップＳ１３００８）、印刷バッファ１０２の内容を広幅ＲＰ出力装置２００に送り（ステップＳ１３００９）、広幅ＲＰ出力装置２００が、送られてきた印刷バッファ１０２の内容を広幅ＲＰ２０１に印刷する（ステップＳ１３０１０）。
【０３５１】
次に、制御プログラム１０８は、印刷画像、印刷条件、印刷先、印刷結果等を印刷ログに書き込み（ステップＳ１３０１１）、広幅ＲＰ出力装置２００での印刷が完了して、印刷内容を表示すると、広幅ＲＰ出力装置２００の電源を省エネモードに落として（ステップＳ１３０１２）、画像形成・印刷処理を終了する。
【０３５２】
＜画像切替予告処理＞
図６３の画像切替予告処理（ステップＳ１４０００）は、図６９に示すように処理され、制御プログラム１０８は、まず、ボタンに関しては、図７０（ａ）に示すように、仮想切替ボタンＫ２２４ｃの真下の切替機能ボタン２２４ｃの点滅を開始し、液晶である薄型ディスプレイ２３０に切替予告のメッセージを表示させる（ステップＳ１４００１）。
【０３５３】
次に、制御プログラム１０８は、図７０（ｂ）に示すように、タイムアップ時間を、仮想テンキーボタンＫ２２３の真下のテンキーボタン２２３を点滅を行い、図７１に示すように、タイムアップ時間を表示する（ステップＳ１４００２）。
【０３５４】
制御プログラム１０８は、時間監視プログラム１１３からシステム日時を取得して開始時刻として保管し（ステップＳ１４００３）、切替機能ボタン２２４ｃが押下されたかチェックする（ステップＳ１４００４）。
【０３５５】
制御プログラム１０８は、ステップＳ１４００４で、切替機能ボタン２２４ｃが押されないときには、時間監視プログラム１１３からシステム日時を取得して経過時間を算出し（ステップＳ１４００５）、経過時間がタイムアップ時間に達したかチェックする（ステップＳ１４００６）。
【０３５６】
ステップＳ１４００６で、経過時間がタイムアップ時間に達していないときには、制御プログラム１０８は、経過時間が１分毎経過したかチェックし（ステップＳ１４００７）、経過時間が１分毎経過していないときには、ステップＳ１４００４に戻って、上記同様に処理する。
【０３５７】
ステップＳ１４００７で、経過時間が１分毎経過したときには、制御プログラム１０８は、ボタンとして、経過時間が示す数値の仮想テンキーボタンＫ２２３の真下のテンキーボタン２２３を、点滅させ、また、経過時間を図７１に示すように表示し（ステップＳ１４００８）、ステップＳ１４００４に戻って、上記同様に処理する。すなわち、リライタブル記録システム１は、閲覧者に対して、図７０（ａ）に示したように、タイムアップ時間を一旦表示し、時間の経過とともに、経過時間を表示する。このとき、例えば、切替機能ボタン２２４ｃが赤く点滅し、画像１０３の切り替えがあることを通知するとともに、「５」に対応するテンキーボタン２２３を点滅し、タイムアップ時間が５分であることを通知している。そして、閲覧者が切替機能ボタン２２４ｃを押下しないで時間が経過して、残りのタイムアップ時間が減少するため、残りのタイムアップ時間を表示する必要がある。そこで、図７０（ｂ）に示すように、テンキーボタン２２３の「１」と「２」を反転するかライトアップで強調表示することで、２分経過し、残りのタイムアップ時間が３分であることを通知している。また、切替機能ボタン２２４ｃとテンキーボタン２２３の「５」は点滅したままである。
【０３５８】
そして、ステップＳ１４００４で、切替機能ボタン２２４ｃが押下されると、制御プログラム１０８は、経過時間、タイムアップ時間を示す仮想テンキーボタンＫ２２３の真下のテンキーボタン２２３（図７０（ｂ）では、「１」、「２」、「５」に対応するテンキーボタン２２３）の点滅を解除し、薄型ディスプレイ２３０に表示切替を行う旨のメッセージを表示し（ステップＳ１４００９）、画像切替予告処理を終了する。
【０３５９】
また、ステップＳ１４００６で、切替機能ボタン２２４ｃが押下されないままタイムアップ時間に達すると、制御プログラム１０８は、経過時間、タイムアップ時間を示す仮想テンキーボタンＫ２２３の真下のテンキーボタン２２３の点滅を解除し、薄型ディスプレイ２３０にタイムアップである旨のメッセージを表示し（ステップＳ１４００９）、画像切替予告処理を終了する。
【０３６０】
なお、このとき、図７０（ｃ）に示すように、「１」〜「５」に対応するテンキーボタン２２３を反転またはライトアップで強調表示し、切替機能ボタン２２４ｃを点滅したままとし、画像１０３の表示切り替えが完了した後で、テンキーボタン２２３の強調表示と切替機能ボタン２２４ｃの点滅を解除するようにしてもよい。
【０３６１】
したがって、切替機能ボタン２２４ｃの押し忘れ等で、いつまで経っても切替機能ボタン２２４ｃが押下されないで、次の表示画像１０３への切り替えを行うことができず、次の業務に支障をもたらすことを防止することができる。
【０３６２】
＜広幅ＲＰ出力装置２００からの印刷要求のあったときの処理＞
広幅ＲＰ出力装置２００から印刷要求があった場合のデータの流れは、図７２に示すようになる。なお、図７２では、図１９と重複する部分については、省いているため、図１９と合わせて、参照のこと。
【０３６３】
すなわち、広幅ＲＰ出力装置２００の切替機能ボタン２２４ｃが点滅し、画像１０３の表示切替を事前告知している状態のときに、表示切替後の画像１０３は作成されておらず、閲覧者が切替機能ボタン２２４ｃを押下するのを待つ。この状態は、図１９の処理Ａ４の状態、すなわち、時間監視プログラム１１３がパソコン１００のシステム日時を絶えず監視し、システム日時が指す日時が参照日と開始時刻に一致するかをどうかをチェックする状態と、同様の待機状態にある。
【０３６４】
この状態で、閲覧者が、画像１０３の表示切替を承諾して切替機能ボタン２２４ｃを押下すると、広幅ＲＰ出力装置２００から押下されたことをパソコン１００内の制御プログラム１０８に通知し、制御プログラム１０８は、プリンタドライバ１１０経由で画像変換プログラム１０７に印刷を指示し、文書名と頁番号を入力データとして渡す（図７２の処理Ｄ１、Ｄ３）。
【０３６５】
この過程で、閲覧者が、点滅中の切替機能ボタン２２４ｃを押下したことをパソコン１００からの定型フォーマット３０３ａの内容の印刷を指示した使用者に通知する必要がある場合には、制御プログラム１０８は、表示バッファ経由で、パソコン１００の表示モニタに切替機能ボタン２２３ｃが押下された旨のメッセージを表示する（図７２の処理Ｄ２）。
【０３６６】
画像変換プログラム１０７は、文書名と頁番号を基に文書番号割当画像データ１０４ａから画像１０３が入っているファイルの所在を割り出し、画像１０３そのものを取得して、画像バッファ１０６に格納する（図７２の処理Ｄ５で、図１９の処理Ａ６〜Ａ７に対応している）。
【０３６７】
次に、画像バッファ１０６の内容を印刷バッファ１０２にコピーし、表示切り替え後の画像１０３に対する更新印刷条件１０５は既に設定されており、その更新印刷条件１０５を加味して出力内容に仕立て、更新印刷条件１０５とともに印刷バッファ１０２の内容を広幅ＲＰ出力装置２００へ渡す（図７２の処理Ｄ６で、図１９の処理Ａ８〜Ａ１０に対応している）。
【０３６８】
次に、広幅ＲＰ出力装置２００は、パソコン１００から送られてきた画像１０３を広幅ＲＰ２０１に印刷する（図７２の処理Ｄ７、Ｄ８で、図１９の処理Ａ１１に対応している）。なお、ここでも広幅ＲＰ出力装置２００の電気消費量を制御する必要がある。
【０３６９】
最後に、パソコン１００は、これらの印刷タスクの発信のログを取って、ハードディスク１１１またはメモリ１０９に保管されたログ一覧に記録する（図７２の処理Ｄ９）。
【０３７０】
＜ログ一覧印刷＞
パソコン１００は、ログ一覧の印刷要求があると、図１９の処理Ａ６で、制御プログラム１０８に対してログ一覧の印刷開始を要請する。制御プログラム１０８は、プリンタドライバ１１０を経由して画像変換プログラム１０７に印刷を指示し文書名と頁番号を入力データとして渡すが、同時にパソコン１００内のシステム日時を取得して更新時刻として確保し、メモリ１０９またはハードディスク１１１に一時保管しておく。
【０３７１】
制御プログラム１０８は、同時に取得しておいた更新対象の文書名と頁番号と更新時刻を一組としてログ一覧を形成し、以前からのログ一覧に組み込み、メモリ１０９またはハードディスク１１１に登録する（図１９の処理Ａ１２）。
【０３７２】
その後、使用者の要請に応じて、制御プログラム１０８は、ログ一覧を取得し、画像バッファ１０６内でログ一覧用の定型フォーマット３０３ａに合成して画像１０３として形成し（図１９の処理Ａ１）、印刷バッファ１０６に取り込む（図１９の処理Ａ１０）。
【０３７３】
そして、画像変換プログラム１０７が、印刷バッファ１０２の内容を広幅ＲＰ出力装置２００に渡して、広幅ＲＰ出力装置２００が、例えば、図７３に示すように、広幅ＲＰ２０１にログ一覧を描画する。
【０３７４】
また、メモリ１０９またはハードディスク１１１に登録したログ一覧の中から、最新の書き替え内容から数件溯ったログを取得し、画像バッファ１０６内で、広幅ＲＰ２０１を上下２つ有している広幅ＲＰ出力装置２００ａ（図７４参照）の上側の広幅ＲＰ２０１ａｂに表示するログ一覧用の定型フォーマット３０３ａに合成して画像として形成し（図１９の処理Ａ１）、印刷バッファ１０２に取り込む。
【０３７５】
そして、画像変換プログラム１０７が、印刷バッファ１０２の内容を広幅ＲＰ出力装置２００に渡して、上下に表示領域部２２１ａａ、２２１ａｂを有する表示広幅ＲＰ出力装置２００ａが、例えば、図７４に示すように、上側の広幅ＲＰ２０１ａｂにログ一覧を描画して、上側の表示領域部２２１ａｂに表示する。
【０３７６】
このように、本実施例のリライタブル記録システム１は、請求項１に示すように、パソコン１００から広幅ＲＰ出力装置２００に予定表及び日程表等の定型フォーマットの画像と当該定型フォーマットに組み込む組込情報を印刷データとして送って、広幅ＲＰ出力装置２００で広幅ＲＰ２０１に当該印刷データに基づいて画像を印刷して表示するが、広幅ＲＰ出力装置２００で広幅ＲＰ２０１への画像の印刷処理を行う印刷モード以外の待機モードにおいては、各部への電源の供給の停止、削減を行って電気消費量を削減する省エネルギーモード処理を行っている。
【０３７７】
したがって、パソコン１００と広幅ＲＰ出力装置２００を接続して、広幅ＲＰ出力装置２００で広幅ＲＰ２０１に情報を記録出力して表示手段として機能させることで、多くの閲覧者に対して、データの提供と共有を可能とすることができるとともに、広幅ＲＰ２０１に印刷した情報の内容に変化が発生すると、速やかに更新内容を印刷して、迅速に反映（表示）することができ、かつ、広幅ＲＰ２０１の表示内容が不変の間は、広幅ＲＰ出力装置２００の電気消費量を最少限に抑えることができ、電気消費を節約して、省エネルギー、低コストの強化と情報更新の迅速化、情報共有、常時表示の利便性の向上を図ることができる。
【０３７８】
また、本実施例のリライタブル記録システム１は、請求項２に示すように、パソコン１００が、少なくとも印刷開始日時を含む更新印刷条件を印刷タスク予定リストとして保存し、現在日時が当該印刷タスク予定リストの印刷開始日時になると、当該印刷開始日時となった更新印刷データを広幅ＲＰ出力装置２００に送り、広幅ＲＰ出力装置２００が、当該更新印刷データを広幅ＲＰ２０１に印刷している。
【０３７９】
したがって、操作者の出力指示の手入力が無くても、印刷タスク予定リスト１１４の印刷開始日時に指定した画像１０３の内容を広幅ＲＰ２０１に印刷して、業務の進捗に必要な内容を伝達することができ、行動や業務の進捗を円滑にすることができる。
【０３８０】
さらに、本実施例のリライタブル記録システム１は、請求項３に示すように、パソコン１００が、更新印刷条件が、更新印刷データ発生後速やかに印刷する設定である場合に、更新印刷データが発生すると、当該更新印刷条件に基づいて、当該発生した更新印刷データを速やかに広幅ＲＰ出力装置２００に送っている。
【０３８１】
したがって、迅速に情報を伝達することができ、印刷指示の手順を省く操作を簡易化することができる。
【０３８２】
また、本実施例のリライタブル記録システム１は、請求項４に示すように、パソコン１００が、更新印刷条件が、印刷開始日時に印刷する設定である場合に、更新印刷データが発生すると、現在の日時が当該更新印刷条件で設定されている印刷開始日時になるのを待って、当該発生した更新印刷データを広幅ＲＰ出力装置２００に送っている。
【０３８３】
したがって、情報を閲覧して欲しい人に適正なタイミングで、行動や業務の進捗に必要な最新内容を迅速に掲示して伝達することができ、行動や業務の進捗を円滑にすることができる。
【０３８４】
さらに、本実施例のリライタブル記録システム１は、請求項５に示すように、パソコン１００が、更新印刷条件が、所定のインターバル時間経過後に印刷する設定である場合に、更新印刷データが発生すると、当該更新印刷データが発生した時点から当該更新印刷条件で設定されているインターバル時間が経過した時点で、当該発生した更新印刷データを広幅ＲＰ出力装置２００に送っている。
【０３８５】
したがって、印刷開始日時の代わりに１０分後とか３０分後とか憶え易いインターバル時間で通知することができ、行動や業務の進捗に必要な最新内容を適切な時期に掲示して伝達して、行動や業務の進捗をより一層円滑にすることができる。
【０３８６】
また、本実施例のリライタブル記録システム１は、請求項６に示すように、パソコン１００が、更新印刷条件が定型フォーマット３０３ａの所定の行数と所定の列数を乗算した基準セル数に対して設定された基準インターバル時間を有し、更新印刷データが発生すると、当該更新印刷データの行数と列数を乗算したセル数と基準セル数及び基準インターバル時間に基づいてインターバル時間を算出し、当該更新印刷データが発生した時点から当該算出したインターバル時間が経過した時点で、当該発生した更新印刷データを広幅ＲＰ出力装置２００に送っている。
【０３８７】
したがって、データ量の多い定型フォーマット３０３ａを隅々まで閲覧するための時間を確保するとともに、逆にデータ量の少ない定型フォーマット３０３ａの参照時間を短く設定して、パソコン１００からの別の定型フォーマット３０３ａの表示切り替えをすぐに実施することができ、行動や業務を円滑かつ効率的に行うことができる。
【０３８８】
さらに、本実施例のリライタブル記録システム１は、請求項７に示すように、パソコン１００が、更新印刷条件が定型フォーマットの所定の行数と所定の列数を乗算した基準セル数に対して設定された基準インターバル時間を有し、年月日、人数等の予め数値の設定されているデータに対して所定の数値を定義値として行数または列数に設定し、更新印刷データが発生すると、当該更新印刷データと定義値に基づいて行数または列数を求めてセル数を算出して、当該算出したセル数と基準セル数及び基準インターバル時間に基づいてインターバル時間を算出し、当該更新印刷データが発生した時点から当該算出したインターバル時間が経過した時点で、当該発生した更新印刷データを広幅ＲＰ出力装置２００に送っている。
【０３８９】
したがって、行数または列数の数値の誤入力を防止することができ、新しいデータや更新直後のデータを数値で記憶する負担をなくすとともに、既存の定型フォーマット３０３ａの行数または列数の修正を容易に行うことができる。
【０３９０】
また、本実施例のリライタブル記録システム１は、請求項８に示すように、パソコン１００が、定型フォーマット３０３ａの行数を設定する際に、広幅ＲＰ２０１に印刷可能な限界行数を算出し、定型フォーマット３０３ａの行数が当該限界行数を超えると、当該定型フォーマットを当該限界行数毎に分割して、分割定型フォーマット毎に広幅ＲＰ出力装置２００に印刷データを送っている。
【０３９１】
したがって、広幅ＲＰ２０１に表示行数以上の情報を続けて書き換えて表示することができ、掲示に必要なスペースを必要最小限にすることができる。
【０３９２】
さらに、本実施例のリライタブル記録システム１は、請求項９に示すように、パソコン１００が、定型フォーマット３０３ａの列数を設定する際に、広幅ＲＰ２０１に印刷可能な限界列数を算出し、定型フォーマット３０３ａの列数が当該限界列数を超えると、定型フォーマット３０３ａを当該限界列数毎に分割して、分割定型フォーマット毎に広幅ＲＰ出力装置２００に印刷データを送っている。
【０３９３】
したがって、広幅ＲＰ２０１に表示列数以上の情報を続けて書き換えて表示することができ、掲示に必要なスペースを必要最小限にすることができる。
【０３９４】
また、本実施例のリライタブル記録システム１は、請求項１０に示すように、パソコン１００が、更新印刷データを広幅ＲＰ出力装置２００に送る前に、当該広幅ＲＰ出力装置２００のボタン２２３、２２４の点灯／点滅、音声の出力等の方法で広幅ＲＰ２０１の表示内容が切り替わる旨を予告している。
【０３９５】
したがって、表示中の画像を参照している閲覧者が、別の画像への書替を事前に知ることができ、利用性を向上させることができる。
【０３９６】
さらに、本実施例のリライタブル記録システム１は、請求項１１に示すように、パソコン１００が、更新印刷データを広幅ＲＰ出力装置２００に送る前に、広幅ＲＰ出力装置２００の切替機能ボタン２２４ｃを点滅駆動させるとともに、当該切替機能ボタン２２４ｃを点滅駆動させているときに、当該切替機能ボタン２２４ｃが操作されると、更新印刷データを速やかに送信する。
【０３９７】
したがって、閲覧者の意図に沿った画像切替を行うことができ、業務の進捗を円滑化することができる。
【０３９８】
また、本実施例のリライタブル記録システム１は、請求項１２に示すように、パソコン１００が、広幅ＲＰ出力装置２００の切替機能ボタン２２４ｃを点滅駆動させているときに、当該切替機能ボタン２２４ｃが操作されると、当該切替機能ボタン２２４ｃが操作された旨をパソコン１００の表示モニタに表示して通知している。
【０３９９】
したがって、確実に画像が書き換えられたことがわかり、行動や業務を円滑に行うことができる。
【０４００】
さらに、本実施例のリライタブル記録システム１は、請求項１３に示すように、パソコン１００が、広幅ＲＰ出力装置２００に送る更新印刷データが所定の緊急性・重要性を有する緊急・重要印刷データであると、通常の印刷データのときの駆動状態とは異なる駆動状態で切替機能ボタン２２４ｃの点滅駆動や音声出力を行っている。
【０４０１】
したがって、表示中の画像を閲覧している閲覧者が、書き換える別の画像が緊急・重大情報であるか否かを事前に知ることができ、切替機能ボタン２２４ｃを押してよいかの判断を迅速に行って、行動や業務をより一層円滑に行うことができる。
【０４０２】
また、本実施例のリライタブル記録システム１は、請求項１４に示すように、パソコン１００が、緊急・重大印刷データの印刷条件として、回毎表示時間、表示回数及び表示締切時間を設定し、当該緊急・重大印刷データの印刷指示を出すに際して、当該印刷指示を出すときの現在時刻に所定の猶予時間を加えた初回印刷開始時間から緊急・重大印刷データ印刷条件の表示締切時間までに当該緊急・重大印刷データを前記表示回数だけ印刷出力するのに必要な緊急・重大印刷データ送信間隔を、（表示締切時間−回毎表示時間）÷（表示回数−１）によって算出して、当該算出した緊急・重大印刷データ送信間隔で緊急・重要印刷予告を行って当該緊急・重大印刷データを広幅ＲＰ出力装置２００に送信している。
【０４０３】
したがって、伝達したい相手に伝達する確率を高めることができ、緊急・重大情報を繰り返し印刷して表示することで、閲覧者に強く印象付けて、伝達の効率を高まるるとともに、緊急・重大情報の発信者の負担を減らすことができる。
【０４０４】
さらに、本実施例のリライタブル記録システム１は、請求項１５に示すように、パソコン１００が、算出した緊急・重大印刷データ送信間隔が予め設定された所定時間より短いと、緊急・重大印刷データ印刷条件の回毎表示時間、表示回数及び表示締切時間の再設定を要請する表示をパソコン１００の表示モニタに表示している。
【０４０５】
したがって、適正な回数、等間隔の時間で緊急・重大情報を発信することができ、他の通常情報の印刷や表示への影響を少なくして、業務の進捗の円滑化を図ることができる。
【０４０６】
また、本実施例のリライタブル記録システム１は、請求項１６に示すように、パソコン１００が、更新印刷データを広幅ＲＰ出力装置２００へ送る前に、切替機能ボタン２２４ｃを点滅させたり、音声出力して予告するとともに、当該更新印刷データの印刷を開始するまでの当初書替残時間を報知出力した後、その後の経過時間と当該当初書替残時間から経過時間を減算した書替残時間を広幅ＲＰ出力装置２００とパソコン１００の双方で報知出力している。
【０４０７】
したがって、表示中または表示切替え後の画像の閲覧者が必要な行動や措置を取ることができ、業務の進捗の円滑化を図ることができる。
【０４０８】
さらに、本実施例のリライタブル記録システム１は、請求項１７に示すように、パソコン１００が、更新印刷データを広幅ＲＰ出力装置２００に送信する際に、当該送信時の時間を更新時間として当該更新印刷データに組み込んで送信し、広幅ＲＰ出力装置２００が、当該更新時間を組み込んだ更新印刷データで印刷出力する。
【０４０９】
したがって、閲覧者が画像の更新時刻を見るだけで、最新の内容かどうか判断し易くなる。
【０４１０】
また、本実施例のリライタブル記録システム１は、請求項１８に示すように、広幅ＲＰ２０１の画像を外部から視認可能な表示領域部と、広幅ＲＰ２０１の画像を外部から視認不可能で少なくとも当該表示領域部の大きさを有する非表示領域部と、に広幅ＲＰ２０１を移動可能であるとともに、広幅ＲＰ２０１が当該表示領域部と略同じ大きさを有し画像の書き込まれる画像書込領域を少なくとも２つ有し、当該画像書込領域の一方が白色に施されており、他方の画像書込領域が近似色または非白色（上記例では、黄色）に施されている。
【０４１１】
したがって、広幅ＲＰ２０１を、見たときのイメージの変化が大きく、一定時間内に広幅ＲＰ２０１を見ると、最新内容に書き換えたことを確認することができ、薄型ディスプレイ２３０と同様の機能性を持たせることができるとともに、再度画像内容が変化した場合、異なる色を施した部分に書き換えることを繰り返し行うので、作業面が簡易化され効率を向上させることができる。
【０４１２】
さらに、本実施例のリライタブル記録システム１は、請求項１９に示すように、広幅ＲＰ出力装置２００として、広幅ＲＰ２０１の画像を外部から視認可能な表示領域部２２１と、広幅ＲＰ２０１の画像を外部から視認不可能で少なくとも表示領域部２２１の大きさを有する非表示領域部である広幅リライタブルペーパー出力装置２００の内部と、に広幅ＲＰ２０１を移動可能であるとともに、広幅ＲＰ２０１が表示領域部２２１と略同じ大きさを有し画像の書き込まれる画像書込領域を少なくとも２つ有し、パソコン１００が、広幅ＲＰ出力装置２００に表示させている印刷データに対して予め設定されている表示時間以外の時間または表示日以外の日付になると、当該印刷データの画像の印刷されている広幅ＲＰ２０１の画像書込領域を非表示領域部である広幅ＲＰ出力装置２００の内部に移動させ、広幅ＲＰ２０１の画像の印刷されていない画像書込領域を表示領域部２２１に移動させる。
【０４１３】
したがって、社外秘の情報や内部向けの情報を守秘することができる。
【０４１４】
また、本実施例のリライタブル記録システム１は、請求項２０に示すように、非表示領域部である広幅ＲＰ出力装置２００の内部に移動させている印刷データの画像の印刷されている広幅ＲＰ２０１の画像書込領域を、当該印刷データの表示時間または表示日になると、表示領域部２２１に移動させている。
【０４１５】
したがって、閲覧者が何の操作をするも無く、画像の内容を継続して見ることができ、業務の進捗の円滑化を図ることができる。
【０４１６】
さらに、本実施例のリライタブル記録システム１は、請求項２１に示すように、パソコン１００が、広幅ＲＰ出力装置２００に送信している印刷データに対して予め設定されている表示時間以外の時間または表示日以外の日付になると、広幅ＲＰ出力装置２００に当該印刷データの画像を広幅ＲＰ２０１から消去させ、当該消去作業のログを所定のメモリ１０９またはハードディスク１１１に記憶している。
【０４１７】
したがって、社外秘の情報や内部向けの情報を守秘することができる。
【０４１８】
また、本実施例のリライタブル記録システム１は、請求項２２に示すように、パソコン１００が、消去させた印刷データの表示時間または表示日になると、メモリ１０９またはハードディスク１１１に記憶されている当該印刷データの消去作業ログから当該印刷データの印刷データを広幅ＲＰ出力装置２００に送り、再度印刷させている。
【０４１９】
したがって、閲覧者が何の操作をするも無く、画像の内容を継続して見ることができ、業務の進捗の円滑化を図ることができる。
【０４２０】
さらに、本実施例のリライタブル記録システム１は、請求項２３に示すように、パソコン１００が、印刷データを、その文書名、頁番号、更新時刻を組とするログ一覧を記憶して管理し、広幅ＲＰ出力装置２００に表示させている印刷データに更新があると、当該更新時刻を取得して、当該印刷データの文書名、頁番号、更新時刻を組とするログ一覧を形成して、ログ一覧に組み込み、必要に応じて、当該ログ一覧を広幅ＲＰ出力装置２００に送信して広幅ＲＰ２０１に印刷出力している。
【０４２１】
したがって、重要な伝達の漏れを防止することができ、業務に支障をきたすことを防止することができる。
【０４２２】
また、本実施例のリライタブル記録システム１は、請求項２４に示すように、広幅ＲＰ出力装置２００として、２画面対称広幅リライタブルペーパー出力装置２００ａを用いている。
【０４２３】
したがって、閲覧者の閲覧時間を最小限確保し、別画面の広幅ＲＰ２０１に別の画像を描画して、別の画像の内容を迅速に伝達することができ、業務をより一層円滑に運営することができる。
【０４２４】
さらに、本実施例のリライタブル記録システム１は、請求項２５に示すように、広幅ＲＰ出力装置２００として、２画面非対称広幅リライタブルペーパー出力装置２００ｂを用いている。
【０４２５】
したがって、僅かな書換えの際、表示面積の小さい方の広幅ＲＰ２０１へ書き込みを行い、視界に入っても反応することがあまり少ないため、業務に集中することができる。
【０４２６】
また、本実施例のリライタブル記録システム１は、請求項２６に示すように、広幅ＲＰ出力装置２００として、カットペーパー印刷機構付き広幅ＲＰ出力装置２００ｃを用いている。
【０４２７】
したがって、描画内容のテキストの量が多かったり、メモに書き表せない画像を直ぐにカットペーバー状のリライタブルペーパーに印刷して持ち出すことができ、業務の遂行の円滑化をさらに向上させることができる。また、ロール状の広幅ＲＰ２０１とカットペーバー状のリライタブルペーパーへの描画構造部であるカットＲＰ記録部２２１ｃｂを一体化しているので、広幅ＲＰ出力装置２００ｃの設置場所の周辺が狭く、人の行き来が多くても、メモを描画することができる。
【０４２８】
さらに、本実施例のリライタブル記録システム１は、請求項２７に示すように、パソコン１００が、印刷データを、その文書名、頁番号、更新時刻を組とするログ一覧を記憶して管理し、印刷データに更新があると、当該更新時刻を取得して、当該印刷データの文書名、頁番号、更新時刻を組とするログ一覧を作成してログ一覧に組み込み、当該最新のログから過去数件分のログ一覧を、２画面非対称広幅ＲＰ出力装置２００ａの小サイズ広幅ＲＰ２０１ｂｂに印刷出力させ、大サイズ広幅ＲＰ２０１ｂａに印刷中の印刷データに更新が発生すると、当該更新を反映させたログ一覧を作成して、小サイズ広幅ＲＰ２０１ｂｂに印刷出力させている。
【０４２９】
したがって、一定かつ少量のログ一覧を表示して、情報の理解を向上させることができるとともに、スペースの有効利用を図ることができる。
【０４３０】
また、本実施例のリライタブル記録システム１は、請求項２８に示すように、広幅ＲＰ出力装置２００が、２画面対称広幅ＲＰ出力装置２００ａ、２画面非対称広幅ＲＰ出力装置２００ｂまたはカットペーパー印刷機構付き広幅ＲＰ出力装置２００ｃであり、２つのロール状の広幅ＲＰ２０１またはロール状の広幅ＲＰ２０１とカットＲＰ２０１ｄが、所定距離略平行して移動され、当該平行移動部分で、当該リライタブルペーパーに画像を印刷する印刷部サーマルヘッド２０３と、当該リライタブルペーパーの画像を消去する消去部熱ローラ２０２と、がそれぞれ独自に当該リライタブルペーパーの一方側に移動して、画像の書き込み、消去を行っている。
【０４３１】
したがって、発熱や温度維持に必要な熱エネルギー、電気消費量を削減することができ、ひいては、広幅ＲＰ出力装置２００の製作コストやランニングコストを抑制することができる。
【０４３２】
さらに、本実施例のリライタブル記録システム１は、請求項２９に示すように、広幅ＲＰ出力装置２００が、１行から複数行の表示領域または１列から複数列の表示領域を有する薄型ディスプレイ２３０を備え、緊急・重大情報等のデータ量の少ない情報を当該薄型ディスプレイ２３０に表示出力している。
【０４３３】
したがって、薄型ディスプレイ２３０の反転表示や迅速な動画表示で、緊急・重大情報等の頻繁に書き換える情報を強調表示することで、情報の伝達をより確実にかつ速やかに行うことができる。
【０４３４】
また、本実施例のリライタブル記録システム１は、請求項３０に示すように、広幅ＲＰ出力装置２００が、広幅ＲＰ２０１の外側に所定数のボタン２２３、２２４が配置されており、当該各ボタン２２３、２２４が、広幅ＲＰ２０１の各ボタン２２３、２２４の近くにそれぞれの位置のボタン２２３、２２４の機能を明示して印刷表示される仮想ボタンＫ２２３、Ｋ２２４の機能が付与され、当該各ボタン２２３、２２４が操作されると、当該操作されたボタン２２３、２２４に対応する仮想ボタンＫ２２３、Ｋ２２４の機能が付与された操作情報がパソコン１００に送信され、パソコン１００が当該操作情報に基づいて処理を行っている。
【０４３５】
したがって、ボタン２２３、２２４の機能の範囲を広げて、リライタブル記録システム１の提供する機能の範囲を広げることができ、広幅ＲＰ２０１の描画内容に沿った、使用者とのインターフェースを提供することができる。
【０４３６】
さらに、本実施例のリライタブル記録システム１は、請求項３１に示すように、パソコン１１０が、複数のボタン２２３、２２４に対応して広幅ＲＰ２０１に印刷表示させる仮想ボタンＫ２２３、Ｋ２２４の機能として、当該複数の仮想ボタンＫ２２３、Ｋ２２４の所定の順序での操作手順の操作に対して所定の機能を設定し、当該操作手順で仮想ボタンＫ２２３、Ｋ２２４に対応するボタン２２３、２２４が操作されると、当該操作手順に対して設定されている機能を実行する。
【０４３７】
したがって、１つの画面で数字や記号、機能の入力を可能にすることができ、提供する機能の範囲をさらに広げて、操作性を向上させることができる。
【０４３８】
また、本実施例のリライタブル記録システム１は、請求項３２に示すように、広幅ＲＰ出力装置２００の複数の広幅ＲＰ２０１のうち印刷済み画像の印刷日時からの経過時間の最も長い広幅ＲＰ２０１を、次回の更新印刷データの印刷対象の広幅ＲＰ２０１としている。
【０４３９】
したがって、画面を確実に閲覧させつつ、最新の画面を速やかに表示して、迅速に通知したい画像や情報に書き換える時期を早めることができ、利用性を向上させることができる。
【０４４０】
さらに、本実施例のリライタブル記録システム１は、請求項３３に示すように、パソコン１００が、更新印刷データを送るに際して、広幅ＲＰ出力装置２００の複数の広幅ＲＰ２０１のうち更新印刷データで画像の書替を行う広幅ＲＰ２０１に対応する切替機能ボタン２２４ｃを点滅等させて画像切替予告を行い、当該画像切替予告中に、他の広幅ＲＰ２０１に対応する切替機能ボタン２２４ｃが操作されると、当該操作された切替機能ボタン２２４ｃに対応する広幅ＲＰ２０１に対して更新印刷データを送って、当該広幅ＲＰ２０１の画像の書替を行っている。
【０４４１】
したがって、閲覧者が閲覧中の画像を引き続き読んだり見たりすることができ、円滑な行動や業務の進捗を図ることができる。
【０４４２】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０４４３】
安価にかつ省電力で、予定表、日程表等の定型フォーマットの画像を効率的に省スペースで表示するリライタブル記録システムに適用することができる。
【図面の簡単な説明】
【０４４４】
【図１】本発明のリライタブル記録システムの一実施例を適用したリライタブル記録システムのブロック構成図。
【図２】図１の広幅ＲＰ出力装置の概略構成上面図。
【図３】図２の広幅ＲＰ出力装置の正面図。
【図４】図１の２画面対称ダブルタイプの広幅ＲＰ出力装置の概略構成上面図。
【図５】図４の広幅ＲＰ出力装置の正面図。
【図６】図１の２画面非対称ダブルタイプの広幅ＲＰ出力装置の概略構成上面図。
【図７】図６の広幅ＲＰ出力装置の正面図。
【図８】図１のカットＲＰ付きタイプの広幅ＲＰ出力装置の概略構成上面図。
【図９】図１の薄型ディスプレイ付き広幅ＲＰ出力装置の正面図。
【図１０】広幅ＲＰ出力装置の他文書への表示切替時のテンキーボタンと機能キーボタンの操作の説明図。
【図１１】広幅ＲＰ出力装置の他頁への表示切替時のテンキーボタンと機能キーボタンの操作の説明図。
【図１２】広幅ＲＰ出力装置の文書情報への表示切替時のテンキーボタンと機能キーボタンの操作の説明図。
【図１３】ダブルタイプの広幅ＲＰ出力装置の文書情報の表示状態を示す図。
【図１４】広幅ＲＰ出力装置の頁情報への表示切替時のテンキーボタンと機能キーボタンの操作の説明図。
【図１５】広幅ＲＰ出力装置の非表示番号への表示切替時のテンキーボタンと機能キーボタンの操作の説明図。
【図１６】広幅ＲＰ出力装置の非表示番号への表示切替完了時のテンキーボタンと機能キーボタンの状態を示す図。。
【図１７】上下２画面対称ダブルタイプの広幅ＲＰ出力装置の文書情報への表示切替時のテンキーボタンと機能キーボタンの操作の説明図。
【図１８】左右２画面対称ダブルタイプの広幅ＲＰ出力装置の他の頁情報への表示切替時のテンキーボタンと機能キーボタンの操作の説明図。
【図１９】リライタブル記録システムの基本的なデータの流れを示す説明図。
【図２０】図１のパソコンの表示モニタのメインメニュー画面を示す図。
【図２１】図１のパソコンによるメイン処理を示すフローチャート。
【図２２】図２１の文書番号割当設定処理の詳細な処理を示すフローチャート。
【図２３】図２２の文書番号割当設定処理の続きの処理を示すフローチャート。
【図２４】図２０のメインメニュー画面で文書番号割当設定ボタンが押されたときの文書番号割当設定画面を示す図。
【図２５】図２１の文書番号割当一覧処理の詳細な処理を示すフローチャート。
【図２６】図２５の文書番号割当一覧処理の詳細な処理の続きの処理を示すフローチャート。
【図２７】図２０のメインメニュー画面で文書番号割当一覧ボタンが押されたときの文書番号割当一覧画面を示す図。
【図２８】図２０の文書番号割当一覧画面で表示日時割当ボタンが押されたときの曜日設定モードの表示日時割当設定画面（ａ）と日付設定モードの表示日時割当設定画面（ｂ）を示す図。
【図２９】図２１の表示日時割当設定処理の詳細な処理を示すフローチャート。
【図３０】図２９の表示日時割当設定処理の続きの処理を示すフローチャート。
【図３１】図２８の表示日時割当設定画面で設定ボタンが押されたときの特定表示時刻設定画面を示す図。
【図３２】図２８の表示日時割当設定画面の内容更新欄の設定ボタンが押されたときの更新時印刷条件設定画面を示す図。
【図３３】図３０の更新時表示時刻設定処理の詳細な処理を示すフローチャート。
【図３４】図３３の更新を表示する薄型ディスプレイの正面図。
【図３５】図３０の特定時刻設定処理の詳細な処理を示すフローチャート。
【図３６】図２１の表示時間一覧処理の詳細な処理を示すフローチャート。
【図３７】図３６の表示時間一覧処理の続きの処理を示すフローチャート。
【図３８】図３６の表示時間一覧処理でパソコンの表示モニタに表示される表示時間一覧画面を示す図。
【図３９】図３６の表示時間一覧処理でパソコンの表示モニタに表示される２画面対称ダブルタイプの広幅ＲＰ出力装置用の表示時間一覧画面を示す図。
【図４０】図２１の緊急・重大情報設定処理の詳細な処理を示すフローチャート。
【図４１】図４０の緊急・重大情報設定処理の続きの処理を示すフローチャート。
【図４２】図４０の緊急・重大情報設定処理でパソコンの表示モニタに表示される緊急・重大情報設定画面を示す図。
【図４３】図１のリライタブル記録システムの緊急・重大情報を印刷する場合のデータの流れを示す説明図。
【図４４】図２１のオプション設定処理のメニュー処理を示すフローチャート。
【図４５】図４４のオプション設定のメニュー処理でパソコンの表示モニタに表示されるオプション設定画面を示す図。
【図４６】図４４の参照日設定処理の詳細な処理を示すフローチャート。
【図４７】図４６の参照日設定処理でパソコンの表示モニタに表示される参照日設定画面を示す図。
【図４８】図４４のインターバル時間設定処理の詳細な処理を示すフローチャート。
【図４９】図４８のインターバル時間設定処理でパソコンの表示モニタに表示されるインターバル時間設定画面を示す図。
【図５０】図４４のローカル定数設定処理の詳細な処理を示すフローチャート。
【図５１】図５０のローカル定数設定処理の続きの処理を示すフローチャート。
【図５２】図５０のローカル定数設定処理でパソコンの表示モニタに表示されるローカル定数設定画面を示す図。
【図５３】図４４の画像非表示日時設定処理の詳細な処理を示すフローチャート。
【図５４】図５３の画像非表示日時設定処理でパソコンの表示モニタに表示される週単位モード（ａ）と長期休暇モード（ｂ）での画像非表示日時設定画面を示す図。
【図５５】図４４の定型フォーマット設定処理の詳細な処理を示すフローチャート。
【図５６】図５５の定型フォーマット設定処理の続きの処理を示すフローチャート。
【図５７】図５５の定型フォーマット設定処理でパソコンの表示モニタに表示される定型フォーマット設定画面を示す図。
【図５８】図５５の定型フォーマット設定処理の説明図。
【図５９】図５５の画像フォーマット設定処理の詳細な処理を示すフローチャート。
【図６０】図５９の画像フォーマット設定処理の続きの処理を示すフローチャート。
【図６１】図５９の画像フォーマット設定処理でパソコンの表示モニタに表示される画像フォーマット設定画面を示す図。
【図６２】図１のリライタブル記録システムによる印刷処理を示すフローチャート。
【図６３】図６２の印刷処理の続きの処理を示すフローチャート。
【図６４】図６２の緊急・重大情報印刷処理の詳細な処理を示すフローチャート。
【図６５】図６２の画像更新による表示切替割込処理の詳細な処理を示すフローチャート。
【図６６】図１のリライタブル記録システムの文書更新時に印刷する場合のデータの流れを示す説明図。
【図６７】図１の広幅ＲＰ出力装置の表示内容に変更があったことを明示する２画面対称ダブルタイプの広幅ＲＰ出力装置の要部正面図。
【図６８】図６３の画像形成・印刷処理の詳細な処理を示すフローチャート。
【図６９】図６３の画像切替予告処理の詳細な処理を示すフローチャート。
【図７０】図６９の画像切替予告処理でのボタン部分の点滅状態の説明図。
【図７１】図６９の画像切替予告処理で画像切替予告メッセージを表示する薄型ディスプレイの正面図。
【図７２】図１のリライタブル記録システムの広幅ＲＰ出力装置から印刷要求があった場合のデータの流れを示す図。
【図７３】図１のログ一覧を表示する広幅ＲＰ出力装置の正面図。
【図７４】上下２つの表示領域部のうち上側の表示領域部にログ一覧を表示する広幅ＲＰ出力装置の正面図。
【符号の説明】
【０４４５】
１  リライタブル記録システム
１００  パソコン（パーソナルコンピュータ）
１０１  ＣＰＵ
１０２  印刷バッファ
１０３  画像
１０４  文書番号割当プログラム
１０５  更新印刷条件
１０６  画像バッファ
１０７  画像変換プログラム
１０８  制御プログラム
１０９  メモリ
１１０  プリンタドライバ
１１１  ハードディスク（ＨＤＤ）
１１２  プリントスプーラ
１１３  時間監視プログラム
１１４  印刷タスク予定リスト
１１５  文書更新割込プログラム
２００  広幅ＲＰ出力装置（広幅リライタブル出力装置）
２００、２００ａ、２００ｂ、２００ｃ、２００ｄ  広幅ＲＰ出力装置
２０１、２０１ａａ、２０１ａｂ、２０１ｂａ、２０１ｂｂ  広幅ＲＰ
２０１ｄ  カットＲＰ
２０２、２０２ａ、２０２ｂ  消去部熱ローラ
２０３、２０３ａ、２０３ｂ  印字部サーマルヘッド
２０４  モータ
２０５  画像バッファ
２０６、２０６ａａ、２０６ａｂ、２０６ｂａ、２０６ｂｂ  回転軸
２０７  ハードディスク（ＨＤＤ）
２０８  メモリ
２０９  ＣＰＵ
２１０  時間監視プログラム
２１１  制御プログラム
２２０  本体筐体
２２１、２２１ａ、２２１ｂ、２２１ａａ、２２１ａｂ  表示領域部
２２１ｂａ、２２１ｂｂ、２２１ｃａ、２２１ｃｂ  表示領域部
２２２、２２２ａａ、２２２ａｂ、２２２ｂａ、２２２ｂｂ、２２２ｃｂ  給紙コロ
２２３  仮想テンキーボタン
Ｋ２２３  テンキーボタン
２２４  機能ボタン
２２４ａ  文書機能ボタン
２２４ｂ  頁機能ボタン
２２４ｃ  切替機能ボタン
２２４ｄ  切替機能ボタン
２２４ｆ  取消機能ボタン
Ｋ２２４  仮想機能ボタン
Ｋ２２４ａ  仮想文書ボタン
Ｋ２２４ｂ  仮想頁ボタン
Ｋ２２４ｃ  仮想切替ボタン
Ｋ２２４ｅ  仮想確認ボタン
Ｋ２２４ｆ  仮想取消ボタン
２３０  薄型ディスプレイ
３００  プリントサーバ
３０１  制御プログラム
３０２  印刷タスク予定リスト
３０３  定型フォーマットＤＢ（定型フォーマットデータベース）
ＮＷ  ネットワーク
【図１】
2006263918.tif 000003
【図２】
2006263918.tif 000004
【図３】
2006263918.tif 000005
【図４】
2006263918.tif 000006
【図５】
2006263918.tif 000007
【図６】
2006263918.tif 000008
【図７】
2006263918.tif 000009
【図８】
2006263918.tif 000010
【図９】
2006263918.tif 000011
【図１０】
2006263918.tif 000012
【図１１】
2006263918.tif 000013
【図１２】
2006263918.tif 000014
【図１３】
2006263918.tif 000015
【図１４】
2006263918.tif 000016
【図１５】
2006263918.tif 000017
【図１６】
2006263918.tif 000018
【図１７】
2006263918.tif 000019
【図１８】
2006263918.tif 000020
【図１９】
2006263918.tif 000021
【図２０】
2006263918.tif 000022
【図２１】
2006263918.tif 000023
【図２２】
2006263918.tif 000024
【図２３】
2006263918.tif 000025
【図２４】
2006263918.tif 000026
【図２５】
2006263918.tif 000027
【図２６】
2006263918.tif 000028
【図２７】
2006263918.tif 000029
【図２８】
2006263918.tif 000030
【図２９】
2006263918.tif 000031
【図３０】
2006263918.tif 000032
【図３１】
2006263918.tif 000033
【図３２】
2006263918.tif 000034
【図３３】
2006263918.tif 000035
【図３４】
2006263918.tif 000036
【図３５】
2006263918.tif 000037
【図３６】
2006263918.tif 000038
【図３７】
2006263918.tif 000039
【図３８】
2006263918.tif 000040
【図３９】
2006263918.tif 000041
【図４０】
2006263918.tif 000042
【図４１】
2006263918.tif 000043
【図４２】
2006263918.tif 000044
【図４３】
2006263918.tif 000045
【図４４】
2006263918.tif 000046
【図４５】
2006263918.tif 000047
【図４６】
2006263918.tif 000048
【図４７】
2006263918.tif 000049
【図４８】
2006263918.tif 000050
【図４９】
2006263918.tif 000051
【図５０】
2006263918.tif 000052
【図５１】
2006263918.tif 000053
【図５２】
2006263918.tif 000054
【図５３】
2006263918.tif 000055
【図５４】
2006263918.tif 000056
【図５５】
2006263918.tif 000057
【図５６】
2006263918.tif 000058
【図５７】
2006263918.tif 000059
【図５８】
2006263918.tif 000060
【図５９】
2006263918.tif 000061
【図６０】
2006263918.tif 000062
【図６１】
2006263918.tif 000063
【図６２】
2006263918.tif 000064
【図６３】
2006263918.tif 000065
【図６４】
2006263918.tif 000066
【図６５】
2006263918.tif 000067
【図６６】
2006263918.tif 000068
【図６７】
2006263918.tif 000069
【図６８】
2006263918.tif 000070
【図６９】
2006263918.tif 000071
【図７０】
2006263918.tif 000072
【図７１】
2006263918.tif 000073
【図７２】
2006263918.tif 000074
【図７３】
2006263918.tif 000075
【図７４】
2006263918.tif 000076